(57)【要約】興味の対象であるＤＮＡの部位特異的な、組換え指定の組込みに利用可能な部位を含むように遺伝子操作された、Ａｃｅｓを含む人工染色体が提供される。これらの人工染色体は、様々な適用についての染色体の御しやすく有効で合理的な遺伝子操作を可能にする。【特許請求の範囲】
【請求項１】
１個または複数のａｔｔ部位を含む真核生物染色体であって、
ａｔｔ部位が染色体にとって異種のものであり、そして
ａｔｔ部位がラムダ・インテグラーゼの存在下での位置指定組込みを可能にする
真核生物染色体。
【請求項２】
ａｔｔ部位が、ａｔｔＰおよびａｔｔＢまたはａｔｔＬおよびａｔｔＲ、またはその変異型から成る群から選択される、請求項１記載の真核生物染色体。
【請求項３】
人工染色体である、請求項１記載の真核生物染色体。
【請求項４】
人工染色体発現系(ＡＣｅｓ)である、請求項１記載の真核生物染色体。
【請求項５】
主にヘテロクロマチンである、請求項４記載の真核生物染色体。
【請求項６】
約３０％、４０％、５０％、６０％、７０％、８０％、９０％または９５％以下の割合でユークロマチンを含む人工染色体である、請求項１記載の染色体。
【請求項７】
植物染色体である、請求項１記載の染色体。
【請求項８】
動物染色体である、請求項１記載の染色体。
【請求項９】
植物人工染色体である、請求項７記載の染色体。
【請求項１０】
動物人工染色体である、請求項８記載の染色体。
【請求項１１】
哺乳類染色体である、請求項８記載の染色体。
【請求項１２】
哺乳類人工染色体である、請求項１１記載の染色体。
【請求項１３】
人工染色体発現系(ＡＣｅｓ)である、請求項６記載の染色体。
【請求項１４】
リコンビナーゼ触媒による組換えに関与する１個または複数の部位を含むプラットホーム人工染色体発現系(ＡＣｅｓ)。
【請求項１５】
一部位を含む、請求項１４記載のＡＣｅｓ。
【請求項１６】
主にヘテロクロマチンである、請求項１４記載のＡＣｅｓ。
【請求項１７】
約３０％、４０％、５０％、６０％、７０％、８０％、９０％または９５％以下の割合でユークロマチンを含む、請求項１４記載のＡＣｅｓ。
【請求項１８】
植物ＡＣｅｓである、請求項１４記載のＡＣｅｓ。
【請求項１９】
動物ＡＣｅｓである、請求項１４記載のＡＣｅｓ。
【請求項２０】
魚、昆虫、爬虫類、両生類、蛛形類または哺乳類ＡＣｅｓから選択される、請求項１４記載のＡＣｅｓ。
【請求項２１】
魚ＡＣｅｓである、請求項１４記載のＡＣｅｓ。
【請求項２２】
リコンビナーゼおよび部位(複数も可)が、バクテリオファージＰ１のＣｒｅ／ｌｏｘ系、ラムダファージのｉｎｔ／ａｔｔ系、酵母のＦＬＰ／ＦＲＴ系、ファージＭｕのＧｉｎ／ｇｉｘリコンビナーゼ系、Ｃｉｎリコンビナーゼ系、エシェリキア・コリ(E.coli)のＰｉｎリコンビナーゼ系、ｐＳＲ１プラスミドのＲ／ＲＳ系、またはそれらの任意の組合わせに由来する、請求項１４記載の人工染色体発現系(ＡＣｅｓ)。
【請求項２３】
異種核酸を染色体へ導入する方法であって、
染色体および核酸分子における部位間の組換えを促進するリコンビナーゼの存在下、異種核酸および組換え部位を共に含む核酸分子と請求項１または１４のいずれかに記載の染色体を接触させることを含む方法。
【請求項２４】
リコンビナーゼが、Ｃｒｅ、Ｇｉｎ、Ｃｉｎ、Ｐｉｎ、ＦＬＰ、ファージインテグラーゼおよびｐＳＲ１プラスミドからのＲから成る群から選択される、請求項２３記載の方法。
【請求項２５】
核酸分子が、治療的タンパク質、アンチセンス核酸をコード化するか、または人工染色体を含む、請求項２３記載の方法。
【請求項２６】
核酸分子が、酵母人工染色体(ＹＡＣ)、細菌性人工染色体(ＢＡＣ)または昆虫人工染色体(ＩＡＣ)を含む、請求項２５記載の方法。
【請求項２７】
請求項１記載の染色体および同族組換え部位を含む第一ベクターを含む組み合わせであって、同族組換え部位が、染色体へ遺伝子操作により組込まれた部位との組換え部位である、組み合わせ。
【請求項２８】
さらにリコンビナーゼをコード化する核酸を含み、核酸が第二ベクターまたは第一ベクター、または誘導性プロモーター下のＡＣｅｓにある、請求項２７記載の組み合わせ。
【請求項２９】
リコンビナーゼおよび部位が、バクテリオファージＰ１のＣｒｅ／ｌｏｘ系、ラムダファージのｉｎｔ／ａｔｔ系、酵母のＦＬＰ／ＦＲＴ系、ファージＭｕのＧｉｎ／ｇｉｘリコンビナーゼ系、エシェリキア・コリ(E.coli)のＰｉｎリコンビナーゼ系、ｐＳＲ１プラスミドのＲ／ＲＳ系、またはそれらの任意の組合わせに由来する、請求項２８記載の組み合わせ。
【請求項３０】
ベクターがプラスミドｐＣＸＬａｍＩｎｔＲである、請求項２８記載の組み合わせ。
【請求項３１】
ベクターがプラスミドｐＤｓＲｅｄＮ１−ａｔｔＢである、請求項２７記載の組み合わせ。
【請求項３２】
請求項２７記載の組み合わせおよび所望により染色体への異種核酸導入についての使用説明書を含んでいてもよい、キット。
【請求項３３】
プラットホーム人工染色体への異種核酸の導入方法であって、
(ａ)少なくとも第一組換え部位を含む人工染色体および少なくとも第二組換え部位および異種核酸を含むベクターを混合し、
(ｂ)第一および第二組換え部位間の組換えが行なわれる条件下、生じた混合物を、少なくとも一つの組換えタンパク質の存在下でインキュベーションし、それによって異種核酸を人工染色体へ導入する
工程を含む方法。
【請求項３４】
人工染色体がＡＣｅｓである、請求項３３記載の方法。
【請求項３５】
混合工程(ａ)をエクスビボ細胞で実施する、請求項３３記載の方法。
【請求項３６】
混合工程(ａ)をインビトロ反応混合物中において細胞外的に実施する、請求項３３記載の方法。
【請求項３７】
少なくとも一つの組換えタンパク質が、バクテリオファージ・ラムダ、ｐｈｉ８０、Ｐ２２、Ｐ２、１８６、Ｐ４およびＰ１から成る群から選択されたバクテリオファージによりコード化される、請求項３３記載の方法。
【請求項３８】
少なくとも一つの組換えタンパク質が、バクテリオファージ・ラムダまたはその突然変異体によりコード化される、請求項３７記載の方法。
【請求項３９】
少なくとも一つの組換えタンパク質が、Ｉｎｔ、ＩＨＦ、Ｘｉｓ、Ｃｒｅ、ｙδ、Ｔｎ３リゾルベース、Ｈｉｎ、Ｇｉｎ、ＣｉｎおよびＦｌｐから成る群から選択される、請求項３３記載の方法。
【請求項４０】
組換え部位が、ａｔｔおよびｌｏｘＰ部位から成る群から選択される、請求項３３記載の方法。
【請求項４１】
第一および／または第二組換え部位が、１個またはそれ以上の停止コドンを除去する少なくとも１つの突然変異を含む、請求項３３記載の方法。
【請求項４２】
第一および／または第二組換え部位が、ヘアピン形成を回避する少なくとも一つの突然変異を含む、請求項３３記載の方法。
【請求項４３】
第一および第二組換え部位が、配列番号４１〜５６：
【化１】
2005503778.tif 000006
および対応するまたは相補的ＤＮＡまたはＲＮＡ配列、
(ただし、Ｒ＝ＡまたはＧ、Ｋ＝ＧまたはＴ／Ｕ、Ｙ＝ＣまたはＴ／Ｕ、Ｗ＝ＡまたはＴ／Ｕ、Ｎ＝ＡまたはＣまたはＧまたはＴ／Ｕ、Ｓ＝ＣまたはＧ、およびＢ＝ＣまたはＧまたはＴ／Ｕ)、
から成る群から選択される少なくとも第一核酸配列を含み、
コア領域が１個またはそれ以上の読み枠において停止コドンを含まない、
請求項３３記載の方法。
【請求項４４】
第一および／または第二組換え部位が、組換え特異性を高める少なくとも１個の突然変異を含む突然変異ａｔｔ組換え部位、それと相補的なＤＮＡ配列、およびそれに対応するＲＮＡ配列から成る群から選択される少なくとも第一核酸配列を含む、請求項３３記載の方法。
【請求項４５】
第二部位を含むベクターがさらに少なくとも１個の選択マーカーをコード化する、請求項３３記載の方法。
【請求項４６】
マーカーが、プロモーター非随伴マーカーであって、組換え時、プロモーターの制御下にあり、それによって発現される、請求項４５記載の方法。
【請求項４７】
第一組換え部位がａｔｔＰであり、組換え前にはセンス配向である、請求項４６記載の方法。
【請求項４８】
選択マーカーが、抗生物質耐性遺伝子および検出可能タンパク質から成る群から選択され、検出可能タンパク質が、色素原性、蛍光性であるか、または抗体により結合され、ＦＡＣｓ選別され得るものである、請求項４６記載の方法。
【請求項４９】
選択マーカーが、緑色蛍光タンパク質(ＧＦＰ)、赤色蛍光タンパク質(ＲＦＰ)、青色蛍光タンパク質(ＢＦＰ)、およびエシェリキア・コリ(E.coli)ヒスチジノールデヒドロゲナーゼ(ｈｉｓＤ)から成る群から選択される、請求項４８記載の方法。
【請求項５０】
請求項１記載の染色体を含む細胞。
【請求項５１】
細胞が核供与細胞である、請求項５０記載の細胞。
【請求項５２】
細胞が幹細胞である、請求項５０記載の細胞。
【請求項５３】
幹細胞がヒトのものであり、間葉幹細胞、造血幹細胞、成人幹細胞および胚性幹細胞から成る群から選択される、請求項５２記載の幹細胞。
【請求項５４】
細胞が哺乳類のものである、請求項５０記載の細胞。
【請求項５５】
哺乳類が、ヒト、霊長類、ウシ、ブタ、ウサギ、ヤギ、ヒツジ、マウス、ラット、モルモット、ハムスター、ネコ、イヌおよびウマから成る群から選択される、請求項５４記載の細胞。
【請求項５６】
細胞が植物細胞である、請求項５０記載の細胞。
【請求項５７】
請求項１４記載のプラットホームＡＣｅｓを含む細胞。
【請求項５８】
細胞が核供与細胞である、請求項５７記載の細胞。
【請求項５９】
細胞が幹細胞である、請求項５７記載の細胞。
【請求項６０】
幹細胞が、ヒトのものであり、間葉幹細胞、造血幹細胞、成人幹細胞および胚性幹細胞から成る群から選択される、請求項５９記載の幹細胞。
【請求項６１】
人工染色体を含むヒト間葉細胞。
【請求項６２】
人工染色体がＡＣｅｓである、請求項６１記載のヒト間葉細胞。
【請求項６３】
ＡＣｅｓがプラットホームＡＣｅｓである、請求項６２記載のヒト間葉細胞。
【請求項６４】
請求項６３記載の間葉細胞への異種核酸の導入方法であって、
(ａ)プラットホーム−ＡＣｅｓが第一組換え部位を有する請求項６３記載の細胞へ、少なくとも第二組換え部位および異種核酸を含むベクターを導入し、
(ｂ)第一および第二組換え部位間の組換えが行なわれる条件下、少なくとも一つの組換えタンパク質の存在下で生成した混合物をインキュベーションし、それによって異種核酸を間葉細胞内のプラットホームＡＣｅｓへ導入する
手順を含む方法。
【請求項６５】
野生型ラムダ−ｉｎｔＲの１７４位にグルタミン酸からアルギニンへの変化を含むラムダ−ｉｎｔＲムテイン。
【請求項６６】
ラムダ−ｉｎｔＲムテインが配列番号３７を含む、請求項６５記載のラムダ−ｉｎｔＲムテイン。
【請求項６７】
プロモーター非随伴マーカーが異種核酸の転写的に下流であり、異種核酸が異種タンパク質をコード化し、そして発現レベルの選択マーカーが発現レベルの異種タンパク質に転写的に結合されている、請求項４６記載の方法。
【請求項６８】
選択マーカーおよび異種核酸が、それらの間におけるＩＲＥＳの存在により転写的に結合されている、請求項６７記載の方法。
【請求項６９】
選択マーカーが、抗生物質耐性遺伝子および検出可能タンパク質から成る群から選択され、検出可能タンパク質が色素原性または蛍光性である、請求項６８記載の方法。
【請求項７０】
選択マーカーが、緑色蛍光タンパク質(ＧＦＰ)、赤色蛍光タンパク質(ＲＦＰ)、青色蛍光タンパク質(ＢＦＰ)、およびエシェリキア・コリ(E.coli)ヒスチジノールデヒドロゲナーゼから成る群から選択される、請求項６９記載の方法。
【請求項７１】
さらに異種タンパク質を発現させ、異種タンパク質を単離することを含む、請求項６７記載の方法。
【請求項７２】
プラットホーム−ＡＣｅｓを胚細胞へ導入することを含む、トランスジェニック動物の製造方法。
【請求項７３】
胚細胞が幹細胞である、請求項７２記載の方法。
【請求項７４】
胚細胞が胚にある、請求項７２記載の方法。
【請求項７５】
プラットホーム−ＡＣｅｓが、治療的生成物をコード化する異種核酸を含む、請求項７２記載の方法。
【請求項７６】
トランスジェニック動物が、魚、昆虫、爬虫類、両生類、蛛形類または哺乳類である、請求項７２記載の方法。
【請求項７７】
ＡＣｅｓが、細胞融合、担体系による脂質仲介トランスフェクション、マイクロインジェクション、ミクロセル融合、エレクトロポレーション、微粒子銃または直接ＤＮＡ導入により導入される、請求項７２記載の方法。
【請求項７８】
請求項７２記載の方法により製造されたトランスジェニック動物。
【請求項７９】
内性染色体全体に無作為に組込まれた様々な異種組換え部位を含む、ＡＣｅｓのライブラリー作成に有用なセルライン。
【請求項８０】
ゲノムのランダム部分を含むＡＣｅｓのライブラリーの作成方法であって、細胞染色体ＤＮＡ内の様々な異種組換え部位へ、およびそこからのＡＣｅｓの位置特異的染色体アーム交換を促進する条件下、１個またはそれ以上のＡＣｅｓを請求項７９記載のセルラインに導入し、様々なＡＣｅｓを単離することにより、多様なＡＣｅｓがその中のゲノムの異なる部分を有するＡＣｅｓのライブラリーを製造することを含む方法。
【請求項８１】
ゲノムスクリーニングに有用な細胞のライブラリーであって、各細胞がそこの染色体核酸の相互限定的部分を有するＡＣｅｓを含む、様々な細胞を含むライブラリー。
【請求項８２】
ライブラリーの細胞が、ＡＣｅｓ内の染色体核酸とは異なる種に由来する、請求項８１記載の細胞のライブラリー。
【請求項８３】
１種またはそれ以上のセルラインの製造方法であって、
ａ）選択された細胞種の内性染色体ＤＮＡへ様々な異種組換え部位を組込み、
ｂ）細胞内性染色体ＤＮＡ内に組込まれた様々な異種組換え部位へ、およびそこからのＡＣｅｓの位置特異的染色体アーム交換を促進する条件下様々なＡＣｅｓを導入し、
ｃ）様々なＡＣｅｓを単離することにより、様々なＡＣｅｓがそこの内性染色体ＤＮＡの相互限定的部分を有するＡＣｅｓのライブラリーを製造し、
ｄ）工程ｃ）の単離された様々なＡＣｅｓを様々な細胞へ導入することにより、細胞のライブラリーを作製し、
ｅ）相互限定的なＡＣｅｓをそこに有する異なる細胞を選択し、異なる細胞をクローン細胞培養物へクローン的に拡張または分化させることにより、１種またはそれ以上のセルラインを作製する
工程を含む方法。
【請求項８４】
組換え部位をもつ核酸分子がＰＣＲ産物である、請求項２３記載の方法。
【請求項８５】
リコンビナーゼがタンパク質であり、組換え事象がインビトロで生じる、請求項２３記載の方法。
【請求項８６】
ベクターが、第二組換え部位を含むＰＣＲ産物である、請求項３３記載の方法。
【請求項８７】
ムテインがさらに核局在性についてのアミノ酸シグナルを含む、請求項６５記載のラムダ−ｉｎｔＲムテイン。
【請求項８８】
ムテインがさらにタンパク質精製のためのエピトープ標識を含む、請求項６５記載のラムダ−ｉｎｔＲムテイン。
【請求項８９】
配列番号１２８を含む修飾鉄誘導プロモーター。
【請求項９０】
請求項８９のプロモーターを含むプラスミドまたは発現カセット。
【請求項９１】
組換え用の認識部位、および
ベクターを増幅可能な染色体領域へターゲッティングするヌクレオチド配列
を含むベクター。
【請求項９２】
増幅可能な領域がヘテロクロマチン核酸を含む、請求項９１記載のベクター。
【請求項９３】
増幅可能な領域がｒＤＮＡを含む、請求項９１記載のベクター。
【請求項９４】
ｒＤＮＡが遺伝子間スペーサーを含む、請求項９３記載のベクター。
【請求項９５】
さらに、いかなるプロモーターとも機能し得るように結合されてはいない選択マーカーをコード化する核酸を含む、請求項９１記載のベクター。
【請求項９６】
染色体が哺乳類染色体である、請求項９１記載のベクター。
【請求項９７】
染色体が植物染色体である、請求項９１記載のベクター。
【請求項９８】
植物細胞であり、ＡＣｅｓプラットホームがＭＡＣである、請求項５７記載の細胞。
【請求項９９】
ＭＡＣが、植物から誘導されたヌクレオチドの転写調節配列を含む、請求項９８記載の植物細胞。
【請求項１００】
調節配列が、プロモーター、ターミネーター、エンハンサー、サイレンサーおよび転写因子結合部位から成る群から選択される、請求項９９記載の植物細胞。
【請求項１０１】
動物細胞であり、ＡＣｅｓプラットホームが植物人工染色体(ＰＡＣ)である、請求項５７記載の細胞。
【請求項１０２】
哺乳類細胞である、請求項１０１記載の細胞。
【請求項１０３】
ＭＡＣが、植物から誘導されたヌクレオチドの転写調節配列を含む、請求項９８記載の細胞。
【請求項１０４】
ＰＡＣが、動物から誘導されたヌクレオチドの転写調節配列を含む、請求項１０２記載の細胞。
【請求項１０５】
調節配列が、プロモーター、ターミネーター、エンハンサー、サイレンサーおよび転写因子結合部位から成る群から選択される、請求項１０４記載の細胞。
【請求項１０６】
請求項９１記載のベクターを細胞に導入し、
細胞を成長させ、そして
１個またはそれ以上の反復領域を含む人工染色体を含む細胞を選択する
ことを含む方法。
【請求項１０７】
ベクターの十分な部分が細胞における染色体へ組込まれることにより、染色体ＤＮＡが増幅される、請求項１０６記載の方法。
【請求項１０８】
人工染色体がＡＣｅｓである、請求項１０６記載の方法。
【請求項１０９】
リポーターＡＣｅｓを含む細胞を、試験化合物または既知化合物と接触させ、ただし
リポーターＡＣｅｓは１個または複数のリポーター構築物を含み、
リポーター構築物は、試験または既知化合物に応答する調節領域と機能し得るように結合されたリポーター遺伝子を含むものとし、そして
リポーターからのシグナル出力の増加または減少を検出することを含み、ただし、シグナルの変化は調節領域に対する試験または既知化合物の活性の指標であるものとする、
スクリーニング方法。
【請求項１１０】
リポーターが、シグナル伝達経路における遺伝子の発現を制御するプロモーターに機能し得るように結合されており、それによってシグナルの活性化または低減化が、試験化合物により経路が活性化またはダウンレギュレーションされたことを示すものである、請求項１０９記載の方法。
【請求項１１１】
構築物におけるリポーターが、薬剤耐性をコード化または蛍光タンパク質をコード化する、請求項１０９記載の方法。
【請求項１１２】
蛍光タンパク質が、赤色、緑色および青色蛍光タンパク質から成る群から選択される、請求項１１１記載の方法。
【請求項１１３】
ＡＣｅｓが、各々異なるリポーターを伴う、複数のリポーター結合構築物を含み、それにより試験化合物により影響される経路(複数も可)が解明され得る、請求項１０９記載の方法。
【請求項１１４】
リポーターが、ＤＮＡ損傷に応答して転写調節されるプロモーターに機能し得るように結合されており、試験化合物が遺伝子毒性物質である、請求項１０９記載の方法。
【請求項１１５】
ＤＮＡ損傷がアポトーシス、壊死または細胞周期摂動により誘導される、請求項１１４記載の方法。
【請求項１１６】
未知化合物をスクリーニングすることにより、それらが遺伝子毒性物質であるか否かを評価する、請求項１１４記載の方法。
【請求項１１７】
プロモーターがシトクロムＰ４５０プロファイルプロモーターである、請求項１１４記載の方法。
【請求項１１８】
細胞がトランスジェニック動物に存し、毒性を動物において評価する、請求項１１４記載の方法。
【請求項１１９】
細胞が患者細胞標本であって、その患者は罹患しており、
調節領域が薬剤または薬剤摂取法によりターゲッティングされるものであり、
方法が特定患者に関する病気の処置の有効性を評価するものである、
請求項１０９記載の方法。
【請求項１２０】
細胞が腫瘍細胞である、請求項１１９記載の方法。
【請求項１２１】
細胞が幹細胞または始原細胞であり、リポーターの発現が細胞で発現された調節領域に機能し得るように結合されていることにより、幹細胞または始原細胞が同定される、請求項１０９記載の方法。
【請求項１２２】
細胞が動物に存し、全身イメージングを含むことにより、動物におけるリポーターの発現をモニターする方法である、請求項１０９記載の方法。
【請求項１２３】
リポーター構築物が試験または既知化合物に応答する調節領域と機能し得るように結合されたリポーター遺伝子を含む、１個または複数のリポーター構築物を含むリポーターＡＣｅｓ。
【発明の詳細な説明】
【０００１】
関連出願
２００１年５月３０日付け、「染色体に基くプラットホーム」と題する、Perkins et al.による米国出願６０／２９４７５８および２００２年３月２１日付け、「染色体に基くプラットホーム」と題する、Perkins et al.による、米国仮出願６０／３６６８９１に対する優先権の利益が主張されている。認められる場合、その対象について出典明示で援用する。
【０００２】
この出願は、２００１年５月３０日付け、「植物人工染色体、その使用および植物人工染色体の製造方法」と題する、CARL PEREZおよびSTEVEN FABIJANSKIによる、仮出願６０／２９４６８７および２００１年６月４日付け、「植物人工染色体、その使用および植物人工染色体の製造方法」と題する、CARL PEREZおよびSTEVEN FABIJANSKIによる、米国仮出願６０／２９６３２９に関連している。この出願はまた、２００１年５月３０日付、「染色体に基くプラットホーム」と題する、EDWARD PERKINS et al.による、米国仮出願６０／２９４７５８および２００２年３月２１日付け、「染色体に基くプラットホーム」と題する、EDWARD PERKINS et al.による、米国仮出願６０／３６６８９１に関連している。この出願はまた、これと同日付けのPerez et al.による「植物人工染色体、その使用および植物人工染色体の製造方法」と題する、米国特許出願  (代理人ｄｋｔ番号２４６０１−４１９および４１９ＰＣ)に関連している。
【０００３】
この出願は、１９９６年８月７日付、「人工染色体、その使用および人工染色体の製造方法」と題する、GYULA HADLACZKYおよびALADAR SZALAYによる、米国特許出願第０８／６９５１９１号、現米国特許第６０２５１５５号に関連している。この出願はまた、１９９６年７月１５日付け、「人工染色体、その使用および人工染色体の製造方法」と題する、GYULA HADLACZKYおよびALADAR SZALAYによる、米国特許出願第０８／６８２０８０号、現米国特許第６０７７６９７号に関連している。この出願はまた、１９９６年４月１０日付、「人工染色体、その使用および人工染色体の製造方法」と題する、GYULA HADLACZKYおよびALADAR SZALAYによる、米国特許出願第０８／６２９８２２号(現在棄却)に関連しており、また、１９９８年６月１２日付、「人工染色体、その使用および人工染色体の製造方法」と題する、GYULA HADLACZKYおよびALADAR SZALAYによる、同時係属中の米国特許出願第０９／０９６６４８号および１９９７年４月１０日付、「人工染色体、その使用および人工染色体の製造方法」と題する、GYULA HADLACZKYおよびALADAR SZALAYによる、米国特許出願第０９／８３５６８２号(現在棄却)に関連している。この出願はまた、同時係属中の米国特許出願０９／７２４７２６号(２０００年１１月２８日付)、米国特許出願０９／７２４８７２号(２０００年１１月２８日付)、米国特許出願０９／７２４６９３号(２０００年１１月２８日付)、米国特許出願０９／７９９４６２号(２００１年３月５日付)、米国特許出願０９／８３６９１１号(２００１年４月１７日付)、および米国特許出願１０／１２５７６７号(２００２年４月１７日付)に関連しており、これらは各々「人工染色体、その使用および人工染色体の製造方法」と題する、GYULA HADLACZKYおよびALADAR SZALAYによるものである。この出願はまた、国際ＰＣＴ出願第ＷＯ９７／４０１８３号に関連している。認められる場合、これらの仮出願、国際出願、および出願の各々の対象を出典明示で援用する。
【０００４】
発明の分野
興味の対象であるＤＮＡの位置特異的な、組換え指定組込みについての利用可能な部位を含むように遺伝子操作が加えられたＡＣｅｓを含む人工染色体が提供されている。これらの人工染色体は、染色体の制御しやすく有効で合理的な遺伝子工学的操作を可能にする。
【０００５】
背景
人工染色体
植物および動物、特に高等植物および動物で使用される様々な人工染色体が利用可能である。特に、米国特許第６０２５１５５および６０７７６９７号は、そこではサテライト人工染色体(ＳＡＴＡＣ)と称され、本明細書では人工染色体発現系(ＡＣｅｓ)と称される異質染色質人工染色体を提供する。これらの染色体は、染色体の一領域を組込ませて増幅事象を誘導することにより二動原体染色体を製造する条件下、異種ＤＮＡを選択された植物または動物細胞に導入することにより製造される。増幅を含む、後続の処理および二動原体染色体をもつ細胞の培養により、最終的に人工染色体がそこに提供される。所望の一異種遺伝子(または複数の異種遺伝子)を導入するため、この過程を反復し、開始ターゲッティング工程において所望の異種遺伝子および核酸を導入する。この過程は時間がかかり、極めて単調である。このため、人工染色体、特にＡＣｅｓへの異種核酸分子の制御しやすく有効な導入方法が要望されている。
【０００６】
したがって、制御しやすく有効で合理的な人工染色体の遺伝子工学的操作を可能にする遺伝子工学による人工染色体の提供が本発明の目的である。
【０００７】
発明の要約
本発明では、制御しやすく有効で合理的な遺伝子操作を可能にする人工染色体が提供される。特に、本発明で提供されている人工染色体は、位置特異的な、ＤＮＡの組換え指定組込みについての１個または複数の部位を含む。すなわち、本発明では、単一または多重部位特異的な組換え部位を含むプラットホーム人工染色体発現系(「プラットホームＡＣｅｓ」)が提供される。人工染色体およびＡＣｅｓ人工染色体は、植物および動物染色体を包含する。部位特異的な組換えを行うリコンビナーゼ系であれば全て、ここで使用されると考えられる。
【０００８】
一実施態様において、ラムダインテグラーゼの存在下での組換え指定組込み用に設計された１個またはそれ以上のラムダａｔｔ部位(付着部位)を含むプラットホームＡＣｅｓを含み、追加因子を必要としないように突然変異が導入された染色体が提供される。上記染色体の製造方法、それらの方法で使用されるベクターおよび生成した染色体の使用もまた提供される。
【０００９】
組換え部位(複数も可)を含むプラットホームＡＣｅｓおよび上記部位への異種核酸の導入方法およびそのためのベクターもまた提供されている。
【００１０】
また、本発明では、バクテリオファージ・ラムダ(λ)インテグラーゼ部位特異的組換え系が提供される。
【００１１】
リコンビナーゼ仲介組換え標的遺伝子発現ベクターおよび／またはプラットホーム染色体へのその挿入用遺伝子を用いる方法および生成した染色体が提供される。
【００１２】
リコンビナーゼおよびインテグラーゼをコード化するベクターおよびそれにより認識された部位の導入用プライマーの組み合わせおよびその組合わせを含むキットもまた提供される。キットは、所望により位置指定組込みまたは上記部位を含むＡＣｅｓ製造を遂行するための使用説明書を含んでいてもよい。
【００１３】
また、本発明では、本明細書に記載された人工染色体およびＡＣｅｓを含む哺乳類および植物細胞が提供される。細胞は、核供与細胞、幹細胞、例えば間葉幹細胞、造血幹細胞、成人幹細胞または胚性幹細胞であり得る。
【００１４】
また、野生型ラムダ‐インテグラーゼ３の１７４位におけるグルタミン酸からアルギニンへの変化を含むラムダ‐ｉｎｔＲムテインが提供される。また、トランスジェニック動物およびトランスジェニック動物の製造方法であって、ＡＣｅｓの、胚細胞、例えば幹細胞または胚への導入を含む方法が提供される。ＡＣｅｓは、治療的生成物をコード化する異種核酸を含み得る。トランスジェニック動物は、魚、昆虫、爬虫類、両生類、蛛形類または哺乳類であり得る。ある種の実施態様では、ＡＣｅｓを、細胞融合、担体系による脂質伝達トランスフェクション、マイクロインジェクション、ミクロセル融合、エレクトロポレーション、微粒子銃(microprojectile bombardment)または直接ＤＮＡ導入により導入する。
【００１５】
本発明で提供される植物および動物ＡＣｅｓを含むプラットホームＡＣｅｓ、例えばＭＡＣｓは、細胞、例えば限定されるわけではないが、動物細胞、例えば哺乳類細胞および植物細胞へ導入され得る。このため、プラットホームＭＡＣｓを含む植物細胞、プラットホームＰＡＣｓを含む動物細胞および細胞およびプラットホームＡＣｅｓの他の組み合わせが提供される。
【００１６】
図面の説明
図１は、米国特許第６０２５１５５および６０７７６９７号および国際ＰＣＴ出願第ＷＯ９７／４０１８３号に詳述された方法を用いて製造された一例としてのＡＣｅｓ人工染色体の製法を描いた図である。この実施態様において、核酸は、動物または植物における末端動原体染色体へターゲッティングされ、異種核酸は、配列特異的組換え部位およびマーカー遺伝子を含む。
【００１７】
図２は、ベクターｐＷＥ１５(ジェンバンク受託番号Ｘ６５２７９、配列番号３１)から誘導されたターゲッティングベクターである、ｐＷＥＰｕｒｏ９Ｋの地図を提供する。プラスミドｐＷＥ１５については、ＳａｌＩ(クレノウで満たした)／ＳｍａＩネオマイシン耐性エンコーディングフラグメントを、ＰｖｕII／ＢａｍＨＩ(クレノウで満たした)プロマイシン耐性エンコーディングフラグメント(プラスミドｐＰＵＲ(クロンテック・ラボラトリーズ、インコーポレイテッド、パロアルト、カリフォルニア)から単離された；ジェンバンク受託番号Ｕｏ７６４８、配列番号３０)と置き換えることにより修飾し、プラスミドｐＷＥＰｕｒｏを得た。それに続いて、マウスｒＤＮＡ領域の一部分を含む、プラスミドｐＦＫ１６１(実施例１参照、またCsonka et al.(２０００)Journal of Cell Science １１３：３２０７−３２１６１も参照、配列番号１１８)からの９ＫｂのＮｏｔＩフラグメントを、ｐＷＥＰｕｒｏのＮｏｔＩ部位へクローン化することにより、プラスミドｐＷＥＰｕｒｏ９Ｋを得た。
【００１８】
図３は、単一組換え部位、例えばｌｏｘＰ部位またはａｔｔＰまたはａｔｔＢ部位を伴うＡＣｅｓプラットホーム染色体の構築を示す。このプラットホームＡＣｅｓ染色体は、単一組換え部位を伴う人工染色体の一例である。
【００１９】
図４は、プラスミドｐＳＶ４０−１９３ａｔｔＰｓｅｎｓｅＰｕｒの地図を提供する。
【００２０】
図５は、多重組換え組込み部位、例えばａｔｔＰ部位を伴う染色体プラットホームの形成方法を示す。
【００２１】
図６は、ａｔｔＰ、ａｔｔＢ、ａｔｔＬおよびａｔｔＲのコア領域の配列を示す(配列番号３３〜３６)。
【００２２】
図７は、ａｔｔＰ部位を含む人工染色体によるマーカー遺伝子、ＤｓＲｅｄおよびａｔｔＢ部位をコード化するベクターの挿入的組換えを示す。
【００２３】
図８は、ラムダインテグラーゼ(Ｅ１７４Ｒ)−エンコーディング核酸を含む、プラスミドｐＣＸＬａｍＩｎｔＲの地図を提供する(配列番号１１２)。
【００２４】
図９は、プラットホーム技術を図式的に要約したものである。マーカー１は、組込み部位を含む人工染色体の選択を可能にし、マーカー２は、標的遺伝子発現ベクターでプロモーターを伴わず、組換え体の選択を可能にする。プラットホームによる組換え時、マーカー２はプラットホームにあるプロモーターの制御下で発現される。
【００２５】
図１０は、プラスミドｐ１８ａｔｔＢＺＥＯ−５'６ＸＨＳ４ｅＧＦＰについてのベクター地図を提供する(配列番号１１６)。
【００２６】
図１１は、プラスミドｐ１８ａｔｔＢＺＥＯ−３'６ＸＨＳ４ｅＧＦＰについてのベクター地図を提供する(配列番号１１５)。
【００２７】
図１２は、プラスミドｐ１８ａｔｔＢＺＥＯ−(６ＸＨＳ４)２ｅＧＦＰについてのベクター地図を提供する(配列番号１１０)。
【００２８】
図１３および１４は、実施例８に示された部位特異的組換えによるＰＣＲ産物の組込みを示す。
【００２９】
図１５は、実施例９.Ａ.に示されたプラスミドｐＰＡＣｒＤＮＡについてのベクター地図を提供する。
【００３０】
発明の詳細な記載
Ａ．定義
特記しない場合、ここで使用されている技術的および科学的用語は全て、本発明が属する分野における当業者が一般的に理解しているのと同じ意味を有する。本開示全体を通して引用されている全ての特許、特許出願、公開された出願および出版物、ジェンバンク配列、ウェブサイトおよび他の公開された材料は、特記しない場合、出典明示で援用する。ＵＲＬまたは他の識別名またはアドレスを参照する場合、上記識別名は変わり得、インターネットに関する特定情報は一定し得ないが、均等内容の情報はインターネット検索により見出され得るものと理解された。それに関して参照すると、上記情報の利用能および公的広まりが証明される。
【００３１】
本明細書で使用されている核酸は、一本鎖および／または二本鎖ポリヌクレオチド、例えばデオキシリボ核酸(ＤＮＡ)およびリボ核酸(ＲＮＡ)並びにＲＮＡまたはＤＮＡの類似体または誘導体をいう。また、「核酸」の語には、核酸の類似体、例えばペプチド核酸(ＰＮＡ)、ホスホロチオエートＤＮＡおよび他の上記類似体および誘導体が含まれる。プローブまたはプライマーについていうとき、所望により検出可能な標識、例えば蛍光または放射性標識で標識されていてもよい、一本鎖分子も考えられる。かかる分子は、典型的には統計的に特有である一定の長さを有し、ライブラリーをプローブまたはプライミングするため低コピー数(典型的には５未満、好ましくは３未満)を有する。一般的には、プローブまたはプライマーは、興味の対象である遺伝子と相補的または同一である配列の少なくとも１４、１６または３０の連続ヌクレオチドを含む。プローブおよびプライマーは、１０、２０、３０、５０、１００またはそれより多いヌクレオチド長であり得る。
【００３２】
本明細書で使用されているＤＮＡは、修飾ヌクレオチドおよびヌクレオチド類似体を含むｃＤＮＡ、プラスミドおよびＤＮＡを含め、全タイプおよびサイズのＤＮＡ分子を包含するものとする。
【００３３】
本明細書で使用されているヌクレオチドは、ヌクレオシドモノ‐、ジ‐およびトリリン酸を含む。ヌクレオチドはまた、修飾ヌクレオチド、例えば限定されるわけではないが、ホスホロチオエートヌクレオチドおよびデアザプリンヌクレオチドおよび他のヌクレオチド類似体を包含する。
【００３４】
本明細書で使用されている、異種または外来ＤＮＡおよびＲＮＡは、互換的に使用され、それが存在するゲノムの一部として天然には存しないか、またはそれが本来存するものとは異なるゲノムまたは細胞における一位置または複数位置および／または量で見出されるＤＮＡまたはＲＮＡをいう。異種核酸は、一般的に、それが導入される細胞にとって内性ではないが、別の細胞から得られたかまたは合成的に製造されたものである。一般的に、必ずというわけではないが、上記核酸は、それが発現される細胞により通常は製造されないＲＮＡおよびタンパク質をコード化する。それが発現される細胞にとって異種または外来として当業者が認めるかまたは見なすＤＮＡまたはＲＮＡは全て、ここでは異種ＤＮＡにより包含される。異種ＤＮＡおよびＲＮＡはまた、転写、翻訳または他の調節可能名生化学的プロセスに作用することにより内性ＤＮＡの発現を伝達または改変するＲＮＡまたはタンパク質をコード化し得る。
【００３５】
異種ＤＮＡの例としては、限定されるわけではないが、内性遺伝子の修飾を目的としてまたはコード化タンパク質の製造用に導入された、興味の対象である一遺伝子産物または複数の遺伝子産物をコード化するＤＮＡを含む。例えば、異種または外来遺伝子は、宿主ゲノムのとは異なる種から単離され得るか、または別法として、宿主ゲノムから単離され得るが、未改変の天然遺伝子で見出されるものとは異なる１つまたはそれ以上の調節領域に機能し得るように結合されて得る。異種ＤＮＡの他の例には、限定されるわけではないが、追跡可能なマーカータンパク質、例えば限定されるわけではないが、除草性、昆虫または病気耐性を含む形質、限定されるわけではないが、油質または炭水化物組成を含む形質を付与するタンパク質をコード化するＤＮＡが含まれる。異種ＤＮＡによりコード化される抗体は、異種ＤＮＡが導入された細胞の表面で分泌または発現され得る。
【００３６】
本明細書で使用されている、ヌクレオチドの調節およびエフェクター配列、例えばプロモーター、エンハンサー、転写および翻訳停止部位、および他のシグナル配列への異種ＤＮＡの機能し得る結合または機能し得る会合、またはその文法的変形は、上記ＤＮＡおよび上記ヌクレオチド配列間の関係をいう。例えば、プロモーターへの異種ＤＮＡの機能し得る結合は、ＤＮＡを特異的に認識し、結合し、転写するＲＮＡポリメラーゼにより上記ＤＮＡの転写がプロモーターから開始される場合のようなＤＮＡおよびプロモーター間の物理的関係をいう。
【００３７】
発現および／またはインビトロ転写を最適化するため、クローンの５'未翻訳部分を除去、付加または改変することにより、余分な、潜在的に不適切な第二翻訳開始(すなわち出発)コドンまたは転写または翻訳レベルで、発現を妨害または低減化し得る他の配列を排除することが必要であり得る。別法として、共通リボソーム結合部位(例えばKozak(１９９１)J.Biol.Chem.２６６：１９８６７−１９８７０参照)が出発コドンの５'に隣接して挿入され得、発現を高め得る。
【００３８】
本明細書で使用されている、アンチセンスオリゴヌクレオチドに関して、ＲＮＡの少なくとも一部分と相補的な配列は、好ましくは中度または高度ストリンジェンシー条件下、ＲＮＡとハイブリダイズして安定した二重らせんを形成し得るのに十分な相補性を有する配列を意味する。ハイブリダイズ能力は、相補性の度合およびアンチセンス核酸の長さにより異なる。ハイブリダイズする核酸が長いとき、それが含み、依然として安定した二重らせん(または場合によっては三重らせん)を形成し得る塩基誤対合は多くなる。当業者であれば、標準的手順の使用により誤対合の許容できる度合を確認することにより、ハイブリダイズした複合体の融解点を測定できるはずである。
【００３９】
本明細書で使用されている、調節分子は、デオキシリボ核酸(ＤＮＡ)またはリボ核酸(ＲＮＡ)のポリマーまたは遺伝子の発現を促進または阻害し得るポリペプチドをいう。
【００４０】
本明細書で使用されている認識配列は、タンパク質、ＤＮＡまたはＲＮＡ分子、またはその組合わせ(例えば、限定されるわけではないが、制限エンドヌクレアーゼ、修飾メチラーゼおよびリコンビナーゼ)が認識および結合するヌクレオチドの特定配列である。例えば、Ｃｒｅリコンビナーゼについての認識配列(例えば配列番号５８参照)は、８塩基対コアの両側に隣接する２個の１３塩基対逆方向反復配列(リコンビナーゼ結合部位としての役割を果たす)を含む３４塩基対配列であり、ｌｏｘＰと称される(例えば、Sauer(１９９４)Current Opinion in Biotechnology５：５２１−５２７参照)。認識配列の他の例には、限定されるわけではないが、リコンビナーゼ酵素インテグラーゼにより認識される、ａｔｔＢおよびａｔｔＰ、ａｔｔＲおよびａｔｔＬなど(例えば、配列番号８、４１〜５６および７２参照)がある(例えば、一例としてのラムダファージインテグラーゼのヌクレオチドおよびコード化アミノ酸配列については配列番号３７および３８参照)。
【００４１】
ａｔｔＢと称される組換え部位は、２つの９塩基対コア型Ｉｎｔ結合部位および７塩基対重複領域を含む約３３塩基対配列である。ａｔｔＰ(配列番号７２)は、コア型Ｉｎｔ結合部位およびアーム型Ｉｎｔ結合部位並びに補助タンパク質ＩＨＦ、ＦＩＳおよびＸｉｓについての部位を含む約２４０塩基対配列である(例えば、Landy(１９９３)Current Opinion in Biotechnology３：６９９−７０７ｌ参照、例えば配列番号８および７２参照)。
【００４２】
本明細書で使用されているリコンビナーゼは、特異的組換え部位にあるＤＮＡセグメントの交換を触媒する酵素である。ここでインテグラーゼとは、ラムダ(λ)インテグラーゼファミリーの一員であるリコンビナーゼをいう。
【００４３】
本明細書で使用されている、組換えタンパク質は、１個またはそれ以上の組換え部位を用いた組換え反応に関与する切除タンパク質、組込みタンパク質、酵素、補因子および関連タンパク質を包含する(Landy(１９９３)Current Opinion in Biotechnology ３：６９９−７０７参照)。ここで使用されている組換えタンパク質は、適切なベクターにおける発現カセット、例えばプラスミドなどにより細胞へ送達され得る。他の実施態様において、組換えタンパク質は、所望の核酸の送達に使用されるのと同じ反応混合物中におけるタンパク質形態、例えばプラットホームＡＣｅｓ、供与標的ベクターなどで細胞へ送達され得る。
【００４４】
本明細書で使用されている「ｌｏｘ部位」という表現は、ここではＣｒｅと称される、ｃｒｅ遺伝子の遺伝子産物が部位特異的組換え事象を触媒し得るヌクレオチド配列を意味する。ＬｏｘＰ部位は、バクテリオファージＰ１からの３４塩基対ヌクレオチド配列である(例えば、Hoess et al.(１９８２)Proc.Natl.Acad.Sci.U.S.A.７９：３３９８−３４０２参照)。ＬｏｘＰ部位は、以下の通り８塩基対スペーサー領域により分離された２つの１３塩基対逆方向反復配列を含む：(配列番号５７):
ＡＴＡＡＣＴＴＣＧＴＡＴＡ ＡＴＧＴＡＴＧＣ ＴＡＴＡＣＧＡＡＧＴＴＡＴ
【００４５】
ＬＥＵ２遺伝子で連結された２つのｌｏｘＰ部位をもつプラスミドｐＢＳ４４により形質転換されたエシェリキア・コリ(E.coli)ＤＨ５Δｌａｃおよび酵母株ＢＳＹ２３は、アメリカン・タイプ・カルチャー・コレクション(ＡＴＣＣ)からそれぞれ受託番号ＡＴＣＣ５３２５４およびＡＴＣＣ２０７７３として入手できる。ｌｏｘ部位は、制限酵素ＥｃｏＲＩおよびＳａｌＩ、またはＸｈｏＩおよびＢａｍＨＩによりプラスミドｐＢＳ４４から単離され得る。さらに、予め選択されたＤＮＡセグメントが、ＳａｌＩまたはＢａｍＨＩ制限酵素部位においてｐＢＳ４４へ挿入され得る。他のｌｏｘ部位には、限定されるわけではないが、ＬｏｘＢ、ＬｏｘＬ、ＬｏｘＣ２およびＬｏｘＲ部位があり、これらはエシェリキア・コリ(E.coli)から単離されたヌクレオチド配列である(例えば、Hoess et al.(１９８２)Proc.Natl.Acad.Sci.U.S.A.７９：３３９８参照)。ｌｏｘ部位はまた、様々な合成技術により製造され得る(例えば、Ito et al.(１９８２)Nuc.Acid Res.１０：１７５５およびOgilvie et al.(１９８１)Science２７０：２７０参照)。
【００４６】
本明細書で使用されている、「ｃｒｅ遺伝子」という表現は、ｌｏｘ部位で真核生物細胞におけるＤＮＡの部位特異的組換えを実行する遺伝子産物をコード化するヌクレオチド配列を意味する。１個のｃｒｅ遺伝子は、バクテリオファージＰ１から単離され得る(例えば、Abremski et al.(１９８３)Cell ３２：１３０１−１３１１参照)。バクテリオファージＰ１から単離されたｃｒｅ遺伝子およびＧＡＬ１調節ヌクレオチド配列をもつプラスミドｐＢＳ３９により形質転換されたエシェリキア・コリ(E.coli)ＤＨ１および酵母株ＢＳＹ９０は、アメリカン・タイプ・カルチャー・コレクション(ＡＴＣＣ)からそれぞれ受託番号ＡＴＣＣ５３２５５およびＡＴＣＣ２０７７２として入手できる。ｃｒｅ遺伝子は、制限酵素ＸｈｏＩおよびＳａｌＩによりプラスミドｐＢＳ３９から単離され得る。
【００４７】
本明細書で使用されている部位特異的組換えとは、外性タンパク質、例えばインテグラーゼまたはリコンビナーゼの存在を必要とする単一核酸分子における２つの特異的部位間または２個の異なる分子間で行なわれる部位特異的組換えをいう。
【００４８】
例えば、Ｃｒｅ−ｌｏｘ部位特異的組換えは、以下の３事象を含み得る：
ａ．ｌｏｘ部位が両側に隣接する予め選択されたＤＮＡセグメントの欠失、
ｂ．ｌｏｘ部位が両側に隣接する予め選択されたＤＮＡセグメントのヌクレオチド配列の逆位、および
ｃ．異なるＤＮＡ分子に位置するｌｏｘ部位に近接したＤＮＡセグメントの相互交換。
【００４９】
ＤＮＡ分子の一方または両方が環状である場合、ＤＮＡセグメントの相互交換は組換え事象を誘発し得る。ＤＮＡセグメントは、いかなる供給源からでも誘導され得る、一本‐または二本鎖デオキシリボ核酸(ＤＮＡ)の線形フラグメントをいう。ｌｏｘ部位は非対称ヌクレオチド配列であるため、同じＤＮＡ分子における２個のｌｏｘ部位は、互いに関して同じかまたは反対の配向を有し得る。同じ配向におけるｌｏｘ部位間の組換えは、２個のｌｏｘ部位間に位置するＤＮＡセグメントの欠失およびもとのＤＮＡ分子の生じた端部間の連結をもたらす。欠失したＤＮＡセグメントは、ＤＮＡの環状分子を形成する。もとのＤＮＡ分子および生じた環状分子は、各々単一ｌｏｘ部位を含む。同じＤＮＡ分子での反対配向におけるｌｏｘ部位間の組換えは、２個のｌｏｘ部位間に位置するＤＮＡセグメントのヌクレオチド配列の逆位をもたらす。さらに、２個の異なるＤＮＡ分子に位置するｌｏｘ部位に近接したＤＮＡセグメントの相互交換も起こり得る。これらの組換え事象は全て、ｃｒｅ遺伝子の遺伝子産物により触媒される。すなわち、Ｃｒｅ−ｌｏｘ系は、ＤＮＡの特異的欠失、逆位または挿入に使用され得る。正確な事象はｌｏｘＤＮＡ配列の配向により制御され、シスでｌｏｘ配列は、Ｃｒｅリコンビナーゼを指令して配列が両側に隣接するＤＮＡを欠失(直接配向でのｌｏｘ配列)または逆位(逆配向でのｌｏｘ配列)させ、トランスでｌｏｘ配列は、組換えＤＮＡの挿入をもたらす相同的組換え事象を指令し得る。
【００５０】
本明細書で使用されている染色体は、細胞分裂時に細胞内で複製および分離し得る、核酸分子および関連タンパク質である。典型的には、染色体は、動原体領域、複製起点、テロメア領域および動原体とテロメア領域間における核酸の領域を含む。
【００５１】
本明細書で使用されている動原体は、細胞分裂を通して娘細胞に分離能力を付与する核酸配列である。動原体は、有糸分裂および減数分裂の両方を通すことを含め、有糸または減数分裂を通して、動原体含有人工染色体を含む、核酸配列の安定した分離をもたらし得る。特定動原体は必ずしも、それが導入される同じ種から誘導されるとは限らないが、その種の細胞においてＤＮＡ分離を促す能力を有する。
【００５２】
本明細書で使用されているユークロマチンおよびヘテロクロマチンは、それらの公認された意味を有する。ユーロクロマチンとは、拡散的に染色し、典型的には遺伝子を含むクロマチンをいい、ヘテロクロマチンは、著しく凝縮されたままであり、転写的に不活性であると考えられたクロマチンをいう。高度反復性ＤＮＡ配列(サテライトＤＮＡ)は、通常、動原体を囲むヘテロクロマチン(動原体周囲または動原体周辺ヘテロクロマチン)の領域に位置する。構成的ヘテロクロマチンは、構成的に凝縮され、遺伝学的に不活性である高度反復ＤＮＡを含むヘテロクロマチンをいう。
【００５３】
本明細書で使用されている末端動原体染色体は、長さが等しくないアームをもつ染色体をいう。
【００５４】
本明細書で使用されている内在性染色体は、人工染色体の生成または導入前に細胞で見出されるゲノム染色体をいう。
【００５５】
本明細書で使用されている人工染色体は、細胞で内性染色体と並行して安定して複製および分離し、そこに含まれる異種遺伝子を適応させ発現する受容力を有する核酸分子、典型的にはＤＮＡである。それは、そこに含まれる外来遺伝子を適応させ発現することにより遺伝子送達ビークルとして作用する受容力を有する。哺乳類人工染色体(ＭＡＣ)は、活性哺乳類動原体(複数も可)を有する染色体をいう。植物人工染色体、昆虫人工染色体および鳥類人工染色体は、それぞれ植物、昆虫および鳥類細胞で機能する動原体を含む染色体をいう。ヒト人工染色体(ＨＡＣ)は、ヒト細胞で機能する動原体を含む染色体をいう。人工染色体の例については、例えば米国特許第６０２５１５５、６０７７６９７、５２８８６２５、５７１２１３４、５６９５９６７、５８６９２９４、５８９１６９１および５７２１１１８号および公開された国際ＰＣＴ出願第ＷＯ９７／４０１８３およびＷＯ９８／０８９６４号参照。人工染色体は、主に異質染色質であるもの(前にサテライト人工染色体(ＳＡＴＡＣｓ)と称した、例えば米国特許第６０７７６９７および６０２５１５５号および公開国際ＰＣＴ出願第ＷＯ９７／４０１８３号参照)、新たな動原体を含むミニ染色体(米国特許第５７１２１３４、５８９１６９１および５２８８６２５号参照)、主に反復核酸単位から成り、実質的に均等量のユークロマチンおよびヘテロクロマチンＤＮＡを含む人工染色体およびインビトロ組立人工染色体(同時係属中の２００１年５月３０日付け米国仮出願第６０／２９４６８７号参照)を含む。
【００５６】
本明細書で使用されている「サテライトＤＮＡに基く人工染色体(ＳＡＴＡＣ)」の語は、「人工染色体発現系(ＡＣｅｓ)」の語と互換的に使用される。これらの人工染色体(ＡＣｅｓ)は、外来異種の、典型的には遺伝子エンコーディング核酸で、そこでの発現させるためヘテロクロマチン内に散在しているか(米国特許第６０２５１５５および６０７７６９７号および国際ＰＣＴ出願第ＷＯ９７／４０１８３号参照)またはここで提供された単一位置にあるものを除く実質的に全ての中性非コーディング配列(ヘテロクロマチン)であるものを含む。また、ユーロクロマチンを含み得、米国特許第６０２５１５５および６０７７６９７号および国際ＰＣＴ出願第ＷＯ９７／４０１８３号に記載され、そこに概説されているプロセスから生じるＡＣｅｓも包含される。詳細に描写されている構造的特徴は、一般的には主にヘテロクロマチンである、反復単位の存在である。ＡＣｅｓの正確な構造は、初回増幅事象が起こる染色体の構造により異なる。全てが、規定された反復単位パターンを含むという共通の特徴を共有する。一般的に、ＡＣｅｓは、ユーロクロマチンより多くのヘテロクロマチンを有する。これらの人工染色体発現系に含まれる外来核酸分子(異種遺伝子)は、その発現が特定宿主細胞において興味の対象である核酸を含み得る。上記の外来核酸分子には、限定されるわけではないが、追跡可能なマーカータンパク質(リポーター遺伝子)、例えば蛍光タンパク質、例えば緑色、青色または赤色蛍光タンパク質(それぞれＧＦＰ、ＢＦＰおよびＲＦＰ)、他のリポーター遺伝子、例えばβ−ガラクトシダーゼおよび薬剤耐性を付与するタンパク質、例えばハイグロマイシン耐性をコード化する遺伝子をコード化する核酸が含まれる。異種核酸分子の他の例には、限定されるわけではないが、治療有効物質、例えば抗癌剤、酵素およびホルモンをコード化するＤＮＡ、他のタイプのタンパク質、例えば抗体をコード化するＤＮＡ、およびタンパク質に翻訳されないＲＮＡ分子(例えばアンチセンスまたはｓｉＲＮＡ分子)をコード化するＤＮＡが含まれる。
【００５７】
本明細書で使用されている、人工染色体プラットホームはまた、本明細書では「プラットホームＡＣｅｓ」または「ＡＣｅｓプラットホーム」とも称されており、部位特異的組換え指定組込み用の１個またはそれ以上の部位を含むように遺伝子操作が加えられた人工染色体をいう。特に、かかる遺伝子操作が加えられたＡＣｅｓが提供される。本明細書記載のものに限定されるわけではないが、かかる組込みに適切な部位が考えられる。植物および動物プラットホームＡＣｅｓが提供される。本発明で意図されたＡＣｅｓの中には、主に異質染色質であるもの(前にサテライト人工染色体(ＳＡＴＡＣｓ)と称した、例えば米国特許第６０７７６９７および６０２５１５５号および公開国際ＰＣＴ出願第ＷＯ９７／４０１８３号参照)、主に反復核酸単位から成り、引用された特許および本明細書で記載された増幅事象から生じる実質的に均等量のユークロマチンおよびヘテロクロマチンＤＮＡを含む人工染色体がある。プラットホーム生成に使用されるＡＣｅｓの中には、植物で異種核酸を導入および発現する人工染色体(同時係属中の２００１年５月３０日付け米国仮出願第６０／２９４６８７号参照)が含まれる。これらには、植物から誘導された動原体、および他の生物体から誘導され得るが、植物で機能する動原体を有する人工染色体が含まれる。
【００５８】
本明細書で使用されている「リポーターＡＣｅｓ」は、１個または複数のリポーター構築物を含むＡＣｅｓをいい、その場合、リポーター構築物は、試験または既知化合物に応答する調節領域と機能し得るように結合したリポーター遺伝子を含む。
【００５９】
本明細書で使用されている、ＤＮＡに関する増幅は、ＤＮＡのセグメントがデュプリケイトされて、典型的には実質的縦列または連続反復または逆方向反復として連結されている実質的に類似または同一またはほぼ同一のＤＮＡセグメントの２または多数のコピーを生じるプロセスである。
【００６０】
本明細書で使用されている増幅に基く人工染色体は、増幅事象、例えば染色体におけるｒＤＮＡへの異種核酸導入により開始される事象により天然または内性染色体から誘導された人工染色体である。かかる事象の結果として、セグメント化または反復パターンを呈する染色体およびそのフラグメントが生じる。人工染色体は、これらの染色体およびフラグメントから形成され得る。このため、増幅に基く人工染色体は、天然に存する染色体では観察されず、天然染色体とそれらを区別する秩序だったセグメント化を呈する遺伝子工学操作された染色体をいう。当業界公知の多様な染色体分析技術を用いて可視化され得るセグメント化は、これらの人工染色体の構造と相関している。１個またはそれ以上の動原体を含むことに加えて、増幅に基く人工染色体は、セグメント化の一領域または複数領域全体を通して、主に「アンプリコン」とも称される核酸単位により構成されており、それ(ら)は、領域で反復され、類似全体構造を有する。アンプリコンの反復単位は、類似サイズを有し、ある程度の共通核酸配列を共有する傾向がある。例えば、アンプリコンの各反復単位は、染色体セグメントの増幅に関与する複製部位および／または人工染色体の初回製造で使用された異種核酸を含み得る。典型的には反復単位は、核酸組成の点で実質的に類似しており、ほぼ同一であり得る。
【００６１】
増幅に基く人工染色体は、人工染色体形成プロセスで増幅が行われた染色体領域により異なる。生成した染色体の構造は、開始事象および／または異種核酸が導入される条件、例えば内性染色体に対する修飾により変化し得る。例えば、ここで提供されている人工染色体の中には、セグメント化の一領域または複数領域が主にヘテロクロマチンＤＮＡにより構成され得る場合もある。ここで提供されている他の人工染色体では、セグメント化の一領域または複数領域が主にユークロマチンＤＮＡにより構成され得るかまたは類似量のヘテロクロマチンおよびユークロマチンＤＮＡにより構成され得る。
【００６２】
本明細書で使用されているアンプリコンは、反復核酸単位である。ここに記載の人工染色体の中には、アンプリコンが、一連のメガレプリコンの逆方向反復を含み得る場合もある。メガレプリコンは、高い秩序の複製単位を示す。例えば、主にヘテロクロマチン人工染色体の幾つかに関する場合、メガレプリコンは、各々非サテライトＤＮＡが両側に隣接するサテライトＤＮＡを含む、一連の縦列ＤＮＡブロック(例、〜７.５ＭｂのＤＮＡブロック)を含み得るかまたは実質的ｒＤＮＡにより構成され得る。メガレプリケーターと称される一次複製部位がメガレプリコン内に含まれ、それは動原体周囲ヘテロクロマチンおよびおそらくは動原体の複製を組織し、容易にするのに関与し得る。メガレプリコン内には、小さい(例、５０〜３００ｋｂ)二次レプリコンが存在し得る。
【００６３】
人工染色体、例えば米国特許第６０７７６９７および６０２５１５５号および公開国際ＰＣＴ出願第ＷＯ９７／４０１８３号で提供されたものにおいては、メガレプリコンは、２個の縦列ブロック(ここで提供されている染色体では〜７.５ＭｂのＤＮＡブロック)により規定されている。各人工染色体内またはその集団の中で、各アンプリコンは、同じ全体構造を有するが、配列変異を含み得る。上記変異は、特に培養で生じる移動性遺伝子エレメントの運動、欠失または挿入または突然変異の結果として生じる。かかる変異は、ここに記載されている人工染色体の使用またはそれらの全体的構造に影響しない。
【００６４】
本明細書で使用されている、増幅可能は、染色体に関して、特にここで提供されている人工染色体製造方法に関して使用されている場合、増幅されやすい染色体の一領域をいう。増幅は、典型的には複製および組換えを含む他の細胞事象(例、ＤＮＡ修復)中に行なわれる。かかる領域は、縦列反復を含む染色体領域、例えばサテライトＤＮＡ、ｒＤＮＡおよび他の上記配列を含む。
【００６５】
本明細書で使用されている、二動原体染色体は、２個の動原体を含む染色体である。多動原体染色体は、２個より多い動原体を含む。
【００６６】
本明細書で使用されている、前二動原体染色体は、二動原体染色体が断片化し新たなテロメアを獲得するときに製造される染色体であり、その結果各々動原体の１個を有する２個の染色体が製造される。フラグメントの各々は複製可能な染色体である。染色体の一つで主にユークロマチンＤＮＡの増幅が行われることにより、主に(少なくとも５０％より大)ユークロマチンである完全機能性染色体が製造される場合、それはミニ染色体である。残りの染色体は前二動原体染色体である。染色体の一つで増幅が行われ、そこでヘテロクロマチン(例えば、サテライトＤＮＡ)が増幅され、ユークロマチン部分(例えば、アーム)が残る場合、それはソーセージ染色体と称される。異種ＤＮＡの部分を除き、実質的に全てヘテロクロマチンである染色体は、主ヘテロクロマチン人工染色体と呼ばれる。主ヘテロクロマチン人工染色体は、他の部分的ヘテロクロマチン人工染色体から、例えば染色体を脱安定化するＢｒｄＵ処理条件下で上記染色体を含む細胞を培養および／または主ヘテロクロマチン人工染色体が製造されるような選択条件下で成長させることにより製造され得る。ここでの目的の場合、人工染色体は必ずしも多段階で製造され得るとは限らないが、異種ＤＮＡの初回導入後に出現し得ることが判る。典型的には、人工染色体は、人工染色体生成の開始後約５〜約６０、または約５〜約５５、または約１０〜約５５または約２５〜約５５または約３５〜約５５細胞倍加後に出現するか、またはそれらは、数周期の選択的条件下での成長およびＢｒｄＵ処理後に出現し得る。
【００６７】
本明細書で使用されている、主にヘテロクロマチンである(すなわち、ユーロクロマチンよりヘテロクロマチンが多い、典型的には約５０％より大、約７０％より大、または約９０％より大のヘテロクロマチン)人工染色体は、核酸分子を細胞、例えば動物または植物細胞へ導入し、主ヘテロクロマチン人工染色体を含む細胞を選択することにより製造され得る。いかなる核酸でも、上記人工染色体製造方法において細胞へ導入され得る。例えば、核酸は、選択マーカーおよび／または核酸を例えば末端動原体染色体および核小体形成領域の短いアームにおいて、染色体の動原体周囲ヘテロクロマチン領域へターゲッティングする所望による配列を含み得る。ターゲッティング配列は、限定されるわけではないが、真核生物細胞での主ヘテロクロマチン人工染色体製造用のラムダファージＤＮＡおよびｒＤＮＡを含む。
【００６８】
核酸を細胞へ導入後、主ヘテロクロマチン人工染色体を含む細胞を選択する。上記細胞は、様々な手順を用いて同定され得る。例えば、これらの染色体のヘテロクロマチンＤＮＡの反復単位は、Ｇ−バンド形成および／またはin situハイブリダイゼーション(ＦＩＳＨ)技術における蛍光により識別され得る。上記分析前、選択マーカー、例えばリポータータンパク質の存在に基いて細胞を選別することにより、または選択条件下で細胞を成長させる(培養する)ことにより、分析すべき細胞を人工染色体含有細胞で濃厚化し得る。また、核酸を細胞へ導入後、多動原体、典型的には二動原体染色体、前多動原体(典型的には二動原体)染色体および／または様々なヘテロクロマチン構造、例えばメガ染色体およびソーセージ染色体(セントロメアを含み主ヘテロクロマチンである)を有する細胞を選択し、所望の人工染色体が製造されるようにそれらを処理することも可能である。新規染色体を含む細胞を選択する。所望の構造の生成条件には、限定されるわけではないが、選択条件下でのさらなる成長、追加核酸分子の導入および／または選択条件および脱安定剤処理下での成長および他の同様の方法が含まれる(公開国際ＰＣＴ出願第ＷＯ９７／４０１８３号および米国特許第６０２５１５５および６０７７６９７号参照)。
【００６９】
本明細書で使用されている、「選択マーカー」は、多くの場合特定条件下で、それを含む細胞についてまたはそれに対して選択させ得る核酸セグメント、一般的にはＤＮＡである。これらのマーカーは、活性、例えば限定されるわけではないが、ＲＮＡ、ペプチドまたはタンパク質の製造をコード化し得るか、またはＲＮＡ、ペプチドまたはタンパク質、無機および有機化合物および組成物についての結合部位を提供し得る。選択マーカーの例には、限定されるわけではないが、(１)別の毒性化合物(例、抗生物質)に対する耐性を提供する生成物をコード化する核酸セグメント、(２)受容細胞で他に欠けている生成物をコード化する核酸セグメント(例、ｔＲＮＡ遺伝子、栄養要求性マーカー)、(３)遺伝子産物の活性を抑制する生成物をコード化する核酸セグメント、(４)同定され得る生成物、例えば表現型マーカー、例えばβ‐ガラクトシダーゼ、赤色、青色および／または緑色蛍光タンパク質(ＦＰ)、および細胞表面タンパク質をコード化する核酸セグメント、(５)他の形で細胞生存および／または機能に有害な生成物と結合する核酸セグメント、(６)他の形で上記１〜５番記載の核酸セグメントのいずれかの活性を阻害する核酸セグメント(例、ＲＮＡ妨害で使用されるアンチセンスオリゴヌクレオチドまたはｓｉＲＮＡ分子)、(７)基質を修飾する生成物と結合する核酸セグメント(例、制限エンドヌクレアーゼ)、(８)所望の分子の単離に使用され得る核酸セグメント(例、特異的タンパク質結合部位)、(９)例えば分子の部分集団のＰＣＲ増幅の場合のように、他の形で非機能性であり得る特異的ヌクレオチド配列をコード化する核酸セグメント、および／または(１０)存在しないとき、直接的または間接的に特定化合物に対する感受性を付与する核酸セグメントがある。すなわち、例えば、選択マーカーは、蛍光タンパク質、例えば緑色蛍光タンパク質、βガラクトシダーゼおよび他の容易に検出され得るタンパク質、例えば色素原タンパク質または抗体により結合されＦＡＣｓ選別され得るタンパク質をコード化する核酸を含む。選択因子の存在下における細胞生存および／または増幅に要求されない、選択マーカー、例えばこれらはまた、本明細書でリポーター分子と称される。他の選択マーカー、例えばネオマイシンホスホトランスフェラーゼ遺伝子は、マーカーを含まない細胞の増殖を阻害する、作用因子、例えば薬剤、例えば抗生物質に対して耐性にする特性を細胞で付与することにより、それらを含む細胞の単離および同定を行わせる。
【００７０】
別の例として、二本鎖ＲＮＡによる遺伝子発現の干渉が、線虫(Caenorhabditis elegans)、植物、ショウジョウバエ、原生動物および哺乳類で示された。この方法は、ＲＮＡ干渉(ＲＮＡｉ)として知られ、短い二本鎖ＲＮＡ分子(ｓｉＲＮＡ)を使用する。ｓｉＲＮＡは、一般的に１９〜２２ｂｐの二本鎖ＲＮＡステム、ループ領域および３'末端にある１〜４ｂｐのオーバーハングにより構成される。遺伝子発現の低減化は、細胞へのｓｉＲＮＡの直接導入(Harborth J et al.,２００１、J Cell Sci１１４(ｐｔ２４)：４５５７−６５)およびｓｉＲＮＡ分子をコード化および発現するＤＮＡの導入により達成された。コード化されたｓｉＲＮＡ分子は、ＲＮＡポリメラーゼIIIプロモーターの調節下にある(例えば、Yu et al.,２００２、Proc Natl Acad Sci USA９９(９)、６０４７−５２、Brummelkamp et al.、２００２、Science２９６(５５６７)：５５０−３、Miyagishi et al.、２００２、Nat Biotechnol２０(５)：４９７−５００など参照)。ある種の実施態様において、哺乳類細胞におけるＲＮＡｉは、他の治療方法を凌ぐ利点を有し得る。例えば、感染細胞でウイルス遺伝子活性を遮断するｓｉＲＮＡ分子を製造すると、ウイルスの作用が低減化され得る。ｓｉＲＮＡ分子(複数も可)をコード化する本発明で提供されているプラットホームＡＣｅｓは、プラットホームＡＣｅｓ技術の追加的用途である。プラットホームＡＣｅｓは、１個またはそれ以上のｓｉＲＮＡ分子をコード化して遺伝子「ノックダウン」を生じさせるように遺伝子工学的操作が加えられ得る。一実施態様において、プラットホームＡＣｅｓは、ｓｉＲＮＡ分子および置換遺伝子を共にコード化するように遺伝子操作され得る。例えば、マウスモデルまたは細胞培養系は、ｓｉＲＮＡにより、内性マウス遺伝子のノックダウンを有するプラットホームＡＣｅｓおよびマウス遺伝子の代わりに発現するヒト遺伝子相同体を用いて生成され得る。調節可能または誘導可能なプロモーターの調節下にｓｉＲＮＡエンコーディング配列を置くと、対応する遺伝子のノックダウン効果が一時的および／または空間的に制御され得る。
【００７１】
本明細書で使用されている、リポーター遺伝子は、ＲＮＡまたはタンパク質であり得る、検出可能な遺伝子産物を発現する遺伝子を全て包含する。一般的に、リポーター遺伝子は容易に検出され得る。リポーター遺伝子の例には、限定されるわけではないが、蛍光タンパク質、ＣＡＴ(クロラムフェニコールアセチルトランスフェラーゼ)(Alton et al.(１９７９)Nature ２８２：８６４−８６９)ルシフェラーゼ、および他の酵素検出系、例えばベータ−ガラクトシダーゼ、ホタルルシフェラーゼ(deWet et al.(１９８７)Mol.Cell.Biol.７：７２５−７３７)、細菌性ルシフェラーゼ(EngebrechtおよびSilverman(１９８４)Proc.Natl.Acad.Sci.U.S.A.８１：４１５４−４１５８、Baldwin et al.(１９８４)Biochemistry ２３：３６６３−３６６７)、およびアルカリ性ホスファターゼ(Toh et al.(１９８９)Eur.J.Biochem.１８２：２３１−２３８、Hall et al.(１９８３)J.Mol.Appl.Gen.２：１０１)をコード化する核酸が含まれる。
【００７２】
本明細書で使用されている、選択条件下での成長は、生存についての選択マーカーの発現を必要とする条件下での細胞の成長を意味する。
【００７３】
本明細書で使用されている、染色体を脱安定化する(作用)因子は、増幅事象および／または突然変異を促進することが当業者により知られている因子である。ＢｒｄＵを含むかかる作用因子は、当業者にはよく知られている。
【００７４】
興味の対象である特定異種核酸を含む人工染色体を生成するためには、細胞へ導入されている核酸に核酸を含ませて人工染色体の製造を開始させることが可能である。すなわち、例えば、核酸は、選択マーカーをコード化する核酸および／または染色体のヘテロクロマチン領域へターゲッティングする核酸と一緒に細胞へ導入され得る。細胞へ異種核酸を導入するため、それは、選択マーカーを含むフラグメントに、または別の核酸フラグメントの一部として含まれ、人工染色体生成過程中に選択マーカーと共に細胞へ導入され得る。別法として、異種核酸は、人工染色体の初回生成後における後の時点で人工染色体へ導入され得る。
【００７５】
本明細書で使用されている、ミニ染色体は、ヘテロクロマチンＤＮＡよりユークロマチンを多く含む他動原体、典型的には二動原体染色体から誘導された染色体をいう。本発明の目的の場合、ミニ染色体は、新たな動原体(例、新動原体)を含む。実施態様によっては、例えば、ミニ染色体が、動物で複製する動原体、哺乳類動原体または植物で複製する動原体、例えば植物動原体を含む場合もある。
【００７６】
本明細書で使用されている、インビトロ組立人工染色体または合成染色体は、ヘテロクロマチンよりも多くユークロマチンまたはユークロマチンよりも多くヘテロクロマチンであり得、インビトロで染色体の必須成分を連結することにより製造される。これらの成分は、少なくとも動原体、メガレプリケーター、テロメアおよび所望による第二の複製起点を含む。
【００７７】
本明細書で使用されている、インビトロ組立植物または動物人工染色体は、植物または動物で機能する必須成分(少なくとも動原体、テロメア(複数も可)、メガレプリケーターおよび所望による第二の複製起点)を連結することにより製造される。特定実施態様において、メガレプリケーターは、ｒＤＮＡ、特に植物または動物ｒＤＮＡの配列を含む。
【００７８】
本明細書で使用されている、植物は、核およびミトコンドリアに加えて、光合成を実施し得る葉緑体を含む真核生物体である。植物は単細胞性または多細胞性であり得、多数の組織および／または器官を含み得る。植物は、有性または無性生殖し得、多年生または一年生生長であり得る。植物はまた、地上生または水生であり得る。「植物」の語は、植物総体、植物細胞、植物プロトプラスト、植物カルス、植物種子、植物器官、植物組織および植物総体の他の部分を包含する。
【００７９】
本明細書で使用されている、染色体の安定した維持は、細胞の少なくとも約８５％、好ましくは９０％、さらに好ましくは９５％が染色体を保持しているときに行なわれる。安定性は、選択剤の存在下で測定される。好ましくは、これらの染色体はまた、選択剤の非存在下で維持される。安定した染色体はまた、意図しない染色体内または染色体間再転位を被ることなく、細胞培養中それらの構造を保持している。
【００８０】
本明細書で使用されている、動原体に関連した新たな(de novo)は、ここでの方法を用いた異種核酸フラグメントの組込みの結果としての染色体における過剰の動原体の生成をいう。
【００８１】
本明細書で使用されている、ＢｒｄＵは５−ブロモデオキシウリジンをいい、複製中にチミジンの代わりに挿入される。ＢｒｄＵは、突然変異原として使用される。それはまた、細胞分裂中における中期染色体の凝縮を阻害する。
【００８２】
本明細書で使用されている、リボソームＲＮＡ(ｒＲＮＡ)は、リボソームの構造の一部を形成し、タンパク質合成に関与する特殊ＲＮＡである。リボソームＲＮＡは、真核生物細胞では多コピーで存在する遺伝子の転写により製造される。ヒト細胞では、一半数体ゲノム当たり約２５０コピーのｒＲＮＡ遺伝子(すなわち、ｒＲＮＡをコード化する遺伝子)が、少なくとも５個の異なる染色体(染色体１３、１４、１５、２１および２２)においてクラスターで分散されている。マウス細胞では、リボソームＤＮＡ(ｒＤＮＡ、ｒＲＮＡをコード化する配列を含むＤＮＡである)の存在は、２０マウス染色体のうち少なくとも１１対で証明された(染色体５、６、７、９、１１、１２、１５、１６、１７、１８および１９)(例えば、Rowe et al.(１９９６)Mamm.Genome ７：８８６−８８９およびJohnson et al.(１９９３)Mamm.Genome ４：４９−５２参照)。アラビドプシス・タリアナ(Arabidopsis thaliana)では、ｒＤＮＡの存在は、染色体２および４(１８Ｓ、５.８Ｓおよび２５Ｓ ｒＤＮＡ)および染色体３、４および５(５Ｓ ｒＤＮＡ)で証明された(Arabidopsis Genome Initiative(２０００)Nature ４０８：７９６−８１５参照)。真核生物細胞では、多コピーの高度保存ｒＲＮＡ遺伝子は、一連の縦列に配置されたｒＤＮＡ単位に位置し、それらは一般的に約４０〜４５ｋｂ長であり、長さおよび配列が変化し得る転写領域およびスペーサー(すなわち、遺伝子間スペーサー)ＤＮＡとして知られる非転写領域を含む。ヒトおよびマウスでは、ｒＤＮＡ単位のこれらの縦列アレイは、動原体周囲サテライトＤＮＡ配列(ヘテロクロマチン)に隣接したところに位置する。ｒＤＮＡが位置するこれらの染色体の領域は、細胞核内のリボソーム生成部位である、核小体へループする核小体形成領域(ＮＯＲ)と称される。
【００８３】
本明細書で使用されている、メガ染色体は、導入された異種ＤＮＡを除き、実質的にヘテロクロマチンにより構成される染色体をいう。メガ染色体は、導入された異種ＤＮＡが接する２個の逆方向メガレプリコンを含む反復アンプリコンのアレイにより構成される(例えば、メガ染色体の概略図について米国特許第６０７７６９７号の図３参照)。本発明での目的の場合、メガ染色体は、約５０〜４００Ｍｂ、一般的には約２５０〜４００Ｍｂである。短い変異体はまた、切形メガ染色体(約９０〜１２０または１５０Ｍｂ)、ドワーフメガ染色体(〜１５０〜２００Ｍｂ)、およびミクロ‐メガ染色体(〜５０〜９０Ｍｂ、典型的には５０〜６０Ｍｂ)と称される。本発明での目的の場合、メガ染色体の語は、挿入された異種ＤＮＡが接する２つの逆方向メガレプリコンを含む反復染色体セグメント(アプリコン)のアレイに基いた全体的反復構造をいう。サイズは明確にされる。
【００８４】
本明細書で使用されている、遺伝子療法では、標的細胞とも称されるある種の細胞へ核酸分子を導入または挿入することにより、病気、障害および有害な状態の阻止、治療、矯正、制御または調節に関与する特異的生成物を生成させる。核酸を発現させ、それによりコード化された生成物が製造されるように核酸を選択された標的細胞へ導入される。別法として、核酸は、治療生成物をコード化するＤＮＡの発現を何らかの方法で伝達し得る。この生成物は治療化合物であり得、治療有効量でまたは治療上有用な時点で製造される。それはまた、何らかの方法で直接的または間接的に治療生成物の発現を伝達する生成物、例えばペプチドまたはＲＮＡをコード化し得る。病気または障害に冒された生物体内での標的細胞による核酸の発現は、病気または障害の調節をもたらす。治療生成物をコード化する核酸は、罹患宿主の細胞への導入前に修飾が加えられ、生成物またはその発現を向上または別の形で改変させ得る。
【００８５】
遺伝子療法で使用する場合、細胞をインビトロでトランスフェクションした後、トランスフェクションした細胞を生物体へ導入し得る。これは、エクスビボ遺伝子療法と称されることが多い。別法として、細胞は、生物体内において直接インビボでトランスフェクションされ得る。
【００８６】
本明細書で使用されている、治療因子には、限定されるわけではないが、成長因子、抗体、サイトカイン、例えば腫瘍壊死因子およびインターロイキン、および細胞傷害性因子およびここに開示された当業者に公知の他の因子がある。上記因子には、限定されるわけではないが、腫瘍壊死因子、α−インターフェロン、β−インターフェロン、神経発育因子、血小板由来増殖因子、組織プラスミノゲン賦活剤、または生物学的応答修飾因子、例えばリンホカイン、インターロイキン１(ＩＬ−１)、インターロイキン２(ＩＬ−２)、インターロイキン−６(ＩＬ−６)、顆粒球マクロファージコロニー刺激因子(ＧＭＣＳＦ)、顆粒球コロニー刺激因子(Ｇ−ＣＳＦ)、エリトロポエチン(ＥＰＯ)、前凝血剤、例えば組織因子および組織因子変異体、プロアポトーシス因子、例えばＦＡＳ−リガンド、線維芽細胞増殖因子(ＦＧＦ)、神経発育因子および他の成長因子がある。
【００８７】
本明細書で使用されている、治療有効生成物は、宿主へのＤＮＡの導入時、異種ＤＮＡによりコード化される生成物であり、先天的または後天的疾患の徴候、発現を有効に改善または排除するかまたは病気を治療する生成物が発現される。
【００８８】
本明細書で使用されている、トランスジェニック植物および動物は、異種または外来核酸が発現されるかまたは植物または動物で天然に存在する遺伝子の発現が異種または外来核酸の導入により改変された植物および動物をいう。
【００８９】
本明細書で使用されている、ＩＲＥＳ(リボソーム内部侵入部位、例えば配列番号２７およびヌクレオチド２７３６−３３０８ 配列番号２８参照)は、翻訳開始に十分なだけのリボソーム内部侵入を可能にする核酸分子、例えばｍＲＮＡ分子の領域をいい、その開始はキャップ独立翻訳に関する検定法で検出され得る(例えば、米国特許第６１７１８２１号参照)。ｍＲＮＡ分子内におけるＩＲＥＳの存在により、他の形では翻訳されない結合したタンパク質エンコーディング配列のキャップ独立翻訳が可能となる。
【００９０】
リボソーム内部侵入部位(ＩＲＥＳ)エレメントは最初ピコルナウイルスで同定されたもので、それらのエレメントはキャップ独立翻訳についてのパラダイムと考えられている。全ピコルナウイルスの５'ＵＴＲは長く、リボソームを直接漸増および結合することにより翻訳開始を伝達し、それによって初期キャップ結合段階を回避する。ＩＲＥＳエレメントはウイルスｍＲＮＡで見出されることが多く、それらは非ウイルスｍＲＮＡでは稀である。機能的ＩＲＥＳエレメントをそれらの各５'ＵＴＲに含む非ウイルスｍＲＮＡ分子には、免疫グロブリン重鎖結合タンパク質(ＢｉＰ)(Macejak et al.(１９９１)Nature３５３：９０−９４)、ドロソフィラ・アンテンナペデイア(Drosophila Antennapedia)(Oh et al.(１９９２)Genes Dev、６：１６４３−１６５３)、ドロソフィラ・ウルトラビトラックス(D.Ultrabithorax)(Ye et al.(１９９７)Mol.Cell Biol.１７：１７１４−２１)、線維芽細胞増殖因子２(Vagner et al.(１９９５)Mol.Cell Biol.１５：３５−４４)、開始因子ｅｌＦ４Ｇ(Gan et al.(１９９８)J.Biol.Chem.２７３：５００６−５０１２)、プロト‐オンコジーンｃ−ｍｙｃ(Nanbru et al.(１９９５)J.Biol.Chem.２７２：３２０６１−３２０６６、Stoneley(１９９８)Oncogene１６：４２３−４２８)、ＩＲＥＳＨ、ＮＲＦ１遺伝子の５'ＵＴＲから(Oumard et al.(２０００)Mol.and Cell Biol.、２０(８)：２７５５−２７５９)、および血管内皮増殖因子(ＶＥＧＦ)(Stein et al.(１９９８)Mol.Cell Biol.１８：３１１２−９)をコード化するものが含まれる。
【００９１】
本明細書で使用されている、ＤＮＡの一領域に関するプロモーターは、ＲＮＡポリメラーゼにシグナルを送ってＤＮＡと会合させ、ＤＮＡの鋳型鎖からＲＮＡ(例えばｍＲＮＡについてはｐｏｌII)の転写を開始させる塩基配列を含むＤＮＡの配列をいう。すなわちプロモーターは、一般的にｍＲＮＡへのＤＮＡの転写を調節する。ここで提供されている特定プロモーターは、３７ｂｐのＦｅｒ−１エンハンサーエレメントに連結された、フェリチン重鎖プロモーター(５'ＵＴＲに位置する、鉄応答エレメントを除外)である。このプロモーターは配列番号１２８に示されている。内性Ｆｅｒ−１エンハンサーエレメントは、Ｆｅｒ−１プロモーターの上流に位置する(例、Ｆｅｒ−１オリゴは、コアプロモーターの近位でクローン化された)。
【００９２】
本明細書で使用されている、単離された、実質的に純粋な核酸、例えばＤＮＡは、当業者により使用される標準的技術、例えばSambrook et al.による技術((２００１)Molecular Cloning:A Laboratory Manual、コールドスプリングハーバー・ラボラトリー・プレス、コールドスプリングハーバー、ニューヨーク、第３版)にしたがって精製された核酸フラグメントをいう。
【００９３】
本明細書で使用されている、発現は、核酸の転写および／または翻訳をいう。例えば、発現は、ＲＮＡ分子、例えばメッセンジャーＲＮＡ(ｍＲＮＡ)分子へ転写され得る遺伝子の転写であり得る。さらに発現は、ＲＮＡ分子の翻訳を含み、ペプチド、ポリペプチドまたはタンパク質へ翻訳され得る。核酸がゲノムＤＮＡから誘導される場合、発現は、適切な真核生物宿主細胞または生物体が選択される場合、ｍＲＮＡのスプライシングを含み得る。アンチセンス構築物に関すると、発現はアンチセンスＤＮＡの転写を指し得る。
【００９４】
本明細書で使用されている、ベクターまたはプラスミドは、異種核酸の発現または異種核酸の複製のため異種核酸を細胞へ導入するのに使用される独立したエレメントをいう。上記ベクターおよびプラスミドの選択および使用は、当業者のレベルの範囲内に十分含まれる。
【００９５】
本明細書で使用されている、形質転換／トランスフェクションは、核酸が細胞へ導入されるプロセスをいう。トランスフェクションおよび形質転換の語は、実際にコーディング配列が発現される場合にしてもされない場合にしても、宿主細胞による外性核酸、例えば発現ベクターの取込みをいう。例えば、アグロバクテリウム(Agrobacterium)仲介形質転換、プロトプラスト形質転換(ポリエチレングリコール(ＰＥＧ)伝達形質転換、エレクトロポレーション、プロトプラスト融合および微小細胞融合を含む)、脂質伝達送達、リポソーム、エレクトロポレーション、音響穿孔、マイクロインジェクション、粒子ボンバードおよび炭化珪素ホイスカー伝達形質転換およびそれらの組合わせ(例えば、Paszkowsk et al.(１９８４)EMBO J. ３：２７１７−２７２２、Potrykus et al.(１９８５)Mol.Gen.Genet.１９９：１６９−１７７、Reich et al.(１９８６)Biotechnology４：１００１−１００４、Klein et al.(１９８７)Nature３２７：７０−７３、米国特許第６１４３９４９号、Paszkowski et al.(１９８９)Cell Culture and Somatic Cell Genetics of Plants、第６巻中、Molecular Biology of Plant Nuclear Genes、Schell JおよびVasil，L.K.編、アカデミック・パブリッシャー、サンディエゴ、カリフォルニア、５２−６８頁、およびFrame et al.(１９９４)Plant J.６：９４１−９４８参照)、リン酸カルシウムを用いた直接取込み(ＣａＰＯ４、例えばWigler et al．(１９７９)Proc.Natl.Acad.Sci.U．S．A．７６：１３７３−１３７６参照)、ポリエチレングリコール(ＰＥＧ)伝達ＤＮＡ取込み、リポフェクチン(例えばStrauss(１９９６)Meth.Mol.Biol.５４：３０７−３２７参照)、微小細胞融合(実施例参照、またLambert(１９９１)Proc.Natl.Acad.Sci.U.S.A.８８：５９０７−５９１１、米国特許第５３９６７６７号、Sawford et al.(１９８７)Somatic Cell Mol.Genet.１３：２７９−２８４、Dhar et al.(１９８４)Somatic Cell Mol.Genet.１０：５４７−５５９、およびMcNeill-Killary et al.(１９９５)Meth.Enzymol.２５４：１３３−１５３も参照)、脂質伝達担体系(例えば、Teifel et al.(１９９５)Biotechniques １９：７９−８０、Albrecht et al.(１９９６)Ann.Hematol.７２：７３−７９、Holmen et al.(１９９５)In Vitro Cell Dev.Biol.Anim.３１：３４７−３５１、Remy et al.(１９９４)Bioconjug.Chem.５：６４７−６５４、Le Bolch et al.(１９９５)Tetrahedron Lett.３６：６６８１−６６８４、Loeffler et al.(１９９３)Meth.Enzymol.２１７：５９９−６１８参照)または他の適切な方法による、多様なトランスフェクション方法が当業者には知られている。ＡＣｅｓの送達方法は、同時係属中の米国特許出願第０９／８１５９７０号に記載されている。有効なトランスフェクションは、一般的にトランスフェクション細胞内における異種核酸の存在の検出により、例えば異種核酸の視覚化または宿主細胞内におけるベクターの効力を示すものにより認識される。
【００９６】
本明細書で使用されている、「トランスフェクション」と互換的に使用される「送達」は、外性核酸分子が細胞の内側に位置を定めるようにそれらが細胞へ導入されるプロセスをいう。核酸の送達は、核酸の発現とは異なるプロセスである。
【００９７】
本明細書で使用されている、注入されたとは、核酸を細胞へ注入するための、例えば小型注射器、針またはピペットの使用によるマイクロインジェクションをいう。
【００９８】
本明細書で使用されている、実質的相同性ＤＮＡとは、別のヌクレオチド配列と十分に類似しているため特定条件下、互いにまたはレファレンス配列と安定したハイブリッドを形成し得るヌクレオチド配列を含むＤＮＡをいう。
【００９９】
異なる配列をもつ核酸フラグメントが、同じ条件下、同じ「標的」核酸と検出可能にハイブリダイズし得ることは、当業界ではよく知られている。２つの核酸フラグメントは、ストリンジェントな条件下、十分い長いハイブリダイゼーション期間にわたって検出可能にハイブリダイズする。それは、一方のフラグメントが、他方の核酸フラグメントにおける少なくとも一セグメントの実質的連続配列と相補的(またはほぼ相補的)である配列に少なくとも約１０、１４または１６またはそれ以上のヌクレオチドのセグメントを含むためである。ハイブリダイゼーションを行わせ得るだけの期間が、予め選択されたストリンジェンシー条件下、相補的塩基対合セグメントを伴う２つの核酸フラグメントが互いに検出可能にハイブリダイズする間の値で一定に保たれる場合、正確な相補性からの逸脱が塩基対合セグメントへ導入され得るが、それにもかかわらず塩基対合は、ハイブリダイゼーションを検出可能なものにするのに十分な程度まで行なわれる。２つの核酸の塩基対合セグメント間における相補性からの逸脱が大きくなると、そしてハイブリダイゼーション条件がさらにストリンジェントなものになると、２つのセグメントが互いに検出可能なハイブリダイゼーションを行う確率は減少する。
【０１００】
２つの一本鎖核酸セグメントについて、(ａ)両方とも同じセグメントとの塩基対合二重らせんを形成し、そして(ｂ)０.５×ＳＳＰＥの溶液中における２つの二重らせんの融解温度差が１０℃未満である場合、それらは「実質的に同じ配列」を有する。比較されているセグメントが同数の塩基を有し、そして「実質的に同じ配列」を有する場合、典型的にはそれらの配列の違いは１０中１塩基より少ない。核酸の二重らせんの融解温度を測定する方法は公知である(例えば、Meinkoth et al.(１９８４)Anal.Biochem.１３８：２６７−２８４およびそこに引用されている参考文献)。
【０１０１】
本明細書で使用されている核酸プローブは、相補的または実質的に相補的なヌクレオチド配列を含むＤＮＡまたはＲＮＡと特異的にハイブリダイズするのに十分な数のヌクレオチドを含むＤＮＡまたはＲＮＡフラグメントである。プローブは、僅か約１０程度から多くは数１０万に至るヌクレオチドといった、あらゆる数のヌクレオチドを含み得る。ハイブリダイゼーション反応に対するプローブサイズ、温度、誤対合の度合、塩濃度および他のパラメーターの影響といった上記ハイブリダイゼーションについての条件およびプロトコルは当業界では公知である。例えば、ハイブリダイゼーション反応が行なわれている温度が低く、塩濃度が高いとき、ハイブリッド分子に存在し得る誤対合の度合は大きくなる。
【０１０２】
ハイブリダイゼーションプローブとして使用するため、核酸は、一般的に検出可能な部分または標識、例えば３２Ｐ、３Ｈおよび１４Ｃでそれを標識することにより、または他の手段、例えば化学的標識、例えばウラシル部分の５'位がビオチニル化されたデオキシウリジレートの存在におけるニック翻訳により検出可能にされている。生成したプローブは、チミジル酸残基の代わりにビオチニル化ウリジレートを含み、ビオチンへのストレプトアビジンの結合に基いた若干の市販されている検出系のいずれかにより(ビオチン部分を介して)検出され得る。上記の市販されている検出系は、例えばエンゾ・バイオケミカルズ、インコーポレイテッド(ニューヨーク、ニューヨーク)から入手され得る。非放射性標識を含む、当業者に公知の他の標識であっても、プローブを十分に検出可能なものにするのであれば使用され得、検定法の感度、利用可能な時間(細胞の培養、ＤＮＡの抽出およびハイブリダイゼーション検定法について)、プローブの供給源として利用可能なＤＮＡまたはＲＮＡの量、特定標識および標識の検出に使用される手段の相関的な要素である。
【０１０３】
プローブとの十分に高い度合の相同性をもつ配列が同定されると、それらは標準技術(例えば、Sambrook et al.(２００１)Molecular Cloning： A Laboratory Manual、第３版参照、コールドスプリングハーバー・ラボラトリー・プレス)により容易に単離され得る。
【０１０４】
本明細書で使用されている、ＤＮＡ分子が安定したハイブリッドを形成する条件は、実質的に相同性であると考えられ、ＤＮＡまたは核酸相同体は、予め選択された保存ヌクレオチド配列、例えばポリペプチドをコード化する配列を含む核酸をいう。「実質的に相同性(の)」の語は、少なくとも７５％、好ましくは８０％、好ましくは少なくとも９０％、最も好ましくは少なくとも９５％相同性またはそれより低いパーセントの相同性または同一性および保存された生物学的活性または機能を有することを意味する。
【０１０５】
「相同性」および「同一性」の語は、互換的に使用されることが多い。これに関して、相同性または同一性パーセントは、例えば、ＧＡＰコンピューターシステムを用いて配列情報を比較することにより測定され得る。ＧＡＰプログラムは、SmithおよびWaterman(Adv.Appl.Math.２：４８２(１９８１))により修正された、NeedlemanおよびWunsch(J.Mol.Biol.４８：４４３(１９７０))のアラインメント方法を使用する。簡単に述べると、ＧＡＰプログラムは、類似している平行整列させた記号(すなわちヌクレオチドまたはアミノ酸)の数を２配列の短い方における記号の総数で割ったものとして類似性を定義する。ＧＡＰプログラムについての好ましいデフォルトパラメーターは、(１)単一要素比較マトリックス(同一性について１および非同一性について０の値を含む)およびGribskovおよびBurgess、Nucl.Acids Res.１４：６７４５(１９８６)の加重比較マトリックス(SchwartzおよびDayhoff編、ATLAS OF PROTEIN SEQUENCE AND STRUCTURE、ナショナル・バイオメディカル・リサーチ・ファンデーション、３５３−３５８頁(１９７９)に記載)、(２)各ギャップについて３.０のペナルティおよび各ギャップにおける各記号について追加の０.１０ペナルティ、および(３)末端ギャップについてペナルティ無しを含み得る。
【０１０６】
配列同一性により、保存アミノ酸の数を、標準アラインメントアルゴリズムプログラムにより測定し、各供給者により確立されたデフォルトギャップペナルティと共に使用する。実質的相同性核酸分子は、典型的には全て興味の対象である核酸の長さに沿って中度ストリンジェンシーまたは高度ストリンジェンシーでハイブリダイズする。好ましくは、２個の分子は高いストリンジェンシー条件下でハイブリダイズする。また、ハイブリダイズしている核酸分子におけるコドンの代わりに縮重コドンを含む核酸分子も考えられる。
【０１０７】
２個の核酸分子が、少なくとも７５％、８０％、８５％、９０％、９５％、９６％、９７％、９８％または９９％「同一」であるヌクレオチド配列を有するか否かは、公知コンピューターアルゴリズム、例えばPearsonおよびLipman、Proc.Natl.Acad.Sci.USA ８５：２４４４(１９８８)において報告されたデフォルトパラメーターを用いる、例えば「ＦＡＳＴ Ａ」プログラムを用いて測定され得る。別法として、ナショナル・センター・フォー・バイオテクノロジー・インフォメーションデータベースのＢＬＡＳＴ検索機能を用いて相対配列同一性を測定し得る。
【０１０８】
一般に、配列は、最高オーダーのマッチが得られるように整列される。「同一性」それ自体は、当業界で認められている意味を有し、公開された技術を用いて計算され得る。(例えば、Computational Molecular Biology、Lesk,A.M.編、オクスフォード・ユニバーシティー・プレス、ニューヨーク、１９８８、Biocomputing: Informatics and Genome Projects、Smith,D.W.編、アカデミック・プレス、ニューヨーク、１９９３、Computer Analysis of Sequence Deta、Part I、Griffin,A.M.およびGriffin,H.G.編、フマナ・プレス、ニュージャージー、１９９４、Sequence Analysis in Molecular Biology、von Heinje,G.、アカデミック・プレス、１９８７およびSequence Analysis Primer、Gribskov,M.およびDevereux,J.編、M ストックトン・プレス、ニューヨーク(１９９１)参照)。２つのポリヌクレオチドまたはポリペプチド配列間の同一性を測定する若干の方法が存在しており、「同一性」の語は当業者にはよく知られている(Carillo,H.& Lipton,D.、SIAM J Applied Math ４８：１０７３(１９８８))。２配列間の同一性または類似性を測定するのに常用される方法には、限定されるわけではないが、Guide to Huge Computers、Martin J.Bishop編、アカデミック・プレス、サンディエゴ、１９９４、およびCarillo,H.& Lipton,D.、SIAM J Applied Math ４８：１０７３(１９８８)に開示されたものが含まれる。同一性および類似性を測定する方法は、コンピュータープログラムでコード化されている。２配列間における同一性および類似性の好ましいコンピュータープログラム測定方法には、限定されるわけではないが、ＧＣＧプログラムパッケージ(Devereux,J.et al.、Nucleic Acids Research１２(１)：３８７(１９８４))、ＢＬＡＳＴＰ、ＢＬＡＳＴＮ、ＦＡＳＴＡ(Atschul,S.F.,et al.、J Molec Biol ２１５：４０３(１９９０))が含まれる。
【０１０９】
したがって、本明細書で使用されている「同一性」の語は、試験およびレファレンスポリペプチドまたはポリヌクレオチド間の比較を表す。例えば、試験ポリペプチドは、レファレンスポリペプチドと９０％またはそれ以上同一であるポリペプチドとして定義され得る。
【０１１０】
本明細書で使用されている少なくとも「(〜と)９０％同一である」の語は、レファレンスポリペプチドに対して９０〜９９.９９の同一性パーセントをいう。９０％またはそれ以上のレベルの同一性は、典型例を示す目的について想定すると、１００アミノ酸の試験およびレファレンスポリヌクレオチド長が比較されているという事実を示すものである。試験ポリペプチドにおいて１０％(すなわち１００のうち１０)を越えないアミノ酸がレファレンスポリペプチドのとは異なっている。同様の比較は、試験およびレファレンスポリヌクレオチド間で行われ得る。上記差異は、アミノ酸配列の全長にわたってランダム分布した点突然変異として表され得るか、またはそれらは最大限許容され得る、例えば１０／１００アミノ酸差異(約９０％同一性)以下で長さが変動する１個またはそれ以上の位置においてクラスタリング(集中発生)し得る。差異は、核酸またはアミノ酸置換または欠失として定義される。
【０１１１】
本明細書で使用されている、誤対合パーセントの測定におけるハイブリダイゼーションのストリンジェンシーは、以下の条件またはそれと均等内容の条件：
１)高度ストリンジェンシー：０.１×ＳＳＰＥまたはＳＳＣ、０.１％ＳＤＳ、６５℃
２)中度ストリンジェンシー：０.２×ＳＳＰＥまたはＳＳＣ、０.１％ＳＤＳ、５０℃
３)低度ストリンジェンシー：１.０×ＳＳＰＥまたはＳＳＣ、０.１％ＳＤＳ、５０℃
または塩および温度および同程度の誤対合または対合を選別する他の試薬の組み合わせを包含する。均等内容条件は、生成したハイブリッドにおいて実質的に同じパーセントの誤対合について選択する条件をいう。成分、例えばホルムアミド、フィコルおよびデンハート溶液の追加は、パラメーター、例えばハイブリダイゼーションを行わせるべき温度および反応速度に影響する。すなわち、２０％ホルムアミド中５×ＳＳＣ、４２℃におけるハイブリダイゼーションは、低ストリンジェンシー条件として上記列挙した条件でのハイブリダイゼーションと実質的に同じである。ＳＳＰＥ、ＳＳＣおよびデンハートについての処方および脱イオン化ホルムアミドの製法は、例えば、Sambrook et al.(１９８９)Molecular Cloning： A Laboratory Manual、コールドスプリングハーバー・ラボラトリー・プレス、第８章に記載されている。Sambrook et al.第３巻、Ｂ.１３頁参照、また、常用の実験室用溶液について記載している多数のカタログも参照。均等内容のストリンジェンシーは、代替的緩衝液、塩類および温度を用いても達成され得ることがわかる。本明細書で使用されている、全ての検定法および手順、例えばハイブリダイゼーション反応および抗体‐抗原反応は、特記しない場合、当業者により標準的条件として認められた条件下で行なわれる。
【０１１２】
本明細書で使用されている同類アミノ酸置換、例えば表１に示したものは、生物学的活性を排除しないものである。アミノ酸の適切な同類置換は、当業者には公知であり、一般的に生成した分子の生物活性を改変すること無く行われ得る。当業者であれば、一般に、ポリペプチドの非必須領域における単一アミノ酸置換が、生物活性を実質的に改変することは無いと認識しているはずである(例えば、Watson et al.Molecular Biology of the Gene、第４版、１９８７、ザ・ベジャクミン／カミングス・パブリッシング・カンパニー２２４頁参照)。同類アミノ酸置換は、例えば以下の表１に示したものにしたがって為される。
【０１１３】
【表１】
2005503778.tif 000002
他の置換もまた認められ得、経験的にまたは既知同類置換にしたがって測定され得る。
【０１１４】
本明細書で使用されている、本明細書で見られる様々なアミノ酸配列で生じるアミノ酸は、それらのよく知られている３文字または１文字省略形にしたがって識別される。様々なＤＮＡフラグメントに存するヌクレオチドは、当業界で常用されている標準的１文字名称で示されている。
【０１１５】
本明細書で使用されているスプライス変異体は、複数タイプのｍＲＮＡをもたらすゲノムＤＮＡの一次転写物の差次的プロセッシングにより製造された変異体をいう。
【０１１６】
本明細書で使用されている、ヌクレオチド配列に基いたプローブまたはプライマーは、レファレンス核酸分子からの少なくとも１０、１４、１６、３０または１００連続ヌクレオチドを含む。
【０１１７】
本明細書で使用されている、組換え体ＤＮＡ方法を用いることによる組換え体製造は、クローン化ＤＮＡによりコード化されたタンパク質発現についての分子生物学のよく知られた方法の使用をいう。
【０１１８】
本明細書で使用されている、生物(学的)活性は、化合物、組成物または他の混合物のインビボ投与時に生じる化合物または生理学的応答のインビボ活性をいう。すなわち、生物活性は、上記化合物、組成物または他の混合物の治療効果および医薬活性を包含する。生物活性は、上記活性を試験または使用するために設計されたインビトロ系で観察され得る。すなわち、本発明での目的の場合、ルシフェラーゼの生物活性は、そのオキシゲナーゼ活性であり、それにより基質の酸化時、光が発せられる。
【０１１９】
実質的に同一または類似の語は、当業者が理解するところによると文脈により変化するもので、一般的には少なくとも４０、６０、８０、９０、９５または９８％を意味する。
【０１２０】
本明細書で使用されている、「生成物と実質的に同一である」とは、十分に類似しているため、特性がほとんど変更されておらず、そのため実質的に同一の生成物がその生成物の代わりに使用され得ることをいう。
【０１２１】
本明細書で使用されている、「実質的に純粋な」は、純度を評価するのに当業者により使用されている、標準的分析方法、例えば薄層クロマトグラフィー(ＴＬＣ)、ゲル電気泳動および高速液体クロマトグラフィー(ＨＰＬＣ)により測定したところ、容易に検出され得る不純物を含まないと思われるほど十分に均一であるか、またはそれ以上精製しても物質の物理および化学特性、例えば酵素および生物活性を検出できる程度に改変することはないほど十分に純粋であることを意味する。実質的に化学的に純粋な化合物を製造するための化合物の精製方法は、当業者には公知である。しかしながら、実質的に化学的に純粋な化合物は、立体異性体または異性体の混合物であり得る。それらの場合、さらに精製することにより、化合物の比活性が高められ得る。
【０１２２】
本明細書で使用されている、ベクター(またはプラスミド)は、その発現または複製を目的として異種ＤＮＡを細胞へ導入するのに使用される独立したエレメントをいう。ベクターは、典型的にはエピソーム性のままであるが、遺伝子またはその一部分をゲノム染色体へ組込ませるように設計され得る。また、人工染色体、例えば酵母人工染色体および哺乳類人工染色体であるベクターも考えられる。かかるビークルの選択および使用は当業界では熟知されている。発現ベクターは、ＤＮＡフラグメントの発現に作用し得る調節配列、例えばプロモーター領域と機能し得るように結合されたＤＮＡを発現し得るベクターを包含する。すなわち、発現ベクターは、組換えＤＮＡまたはＲＮＡ構築物、例えば適切な宿主細胞へ導入されると、クローン化ＤＮＡの発現をもたらすプラスミド、ファージ、組換えウイルスまたは他のベクターをいう。適切な発現ベクターは当業界では熟知されており、真核生物細胞および／または原核生物細胞で複製可能なものおよびエピソーム性のままのものまたは宿主細胞ゲノムへ組込まれるものが含まれる。
【０１２３】
本明細書で使用されている、タンパク質結合配列は、一般的に他のタンパク質またはペプチド配列、一連のタンパク質またはペプチド配列または特定タンパク質またはペプチド配列に特異的に結合し得るタンパク質またはペプチド配列をいう。
【０１２４】
本明細書で使用されている組成物は、２種またはそれ以上の成分の混合物をいう。それは、溶液、懸濁液、液体、粉末、ペースト、水性または非水性のものまたはそれらの組合わせであり得る。
【０１２５】
本明細書で使用されている組み合わせとは、２種またはそれ以上のアイテム(項目)間の集合体(アソーシエーション)をいう。
【０１２６】
本明細書で使用されている流体は流動し得る組成物をいう。すなわち流体は、半固体、ペースト、溶液、水性混合物、ゲル、ローション、クリーム形態である組成物および他の組成物を包含する。
【０１２７】
本明細書で使用されている細胞抽出物は、溶解または破壊された細胞から製造された調製物または画分をいう。
【０１２８】
本明細書で使用されている「対象」の語は、動物、植物、昆虫および鳥類および核酸分子が導入され得る他の属、門および種をいう。高等生物体、例えば哺乳類、魚類、昆虫類および鳥類、例えばヒト、霊長類、ウシ、ブタ、ウサギ、ヤギ、ヒツジ、マウス、ラット、モルモット、ハムスター、ネコ、イヌ、ウマ、ニワトリなどが含まれる。
【０１２９】
本明細書で使用されているフローサイトメトリーとは、サイズおよび蛍光に基いて細胞および／または染色体を分析および選別し得るレーザーに基いた器具を使用するプロセスという。
【０１３０】
本明細書で使用されている、保護基、アミノ酸および他の化合物についての略称は、特記しない場合、それらの一般的用法にしたがった、公認の略称であるか、または生化学命名法に関するＩＵＰＡＣ−ＩＵＢ委員会によるものである((１９７２)Biochem.１１：９４２−９４４参照)である。
【０１３１】
Ｂ．組換え系
部位特異的組換え系は、典型的には３エレメント：一対のＤＮＡ配列(部位特異的組換え配列)および特異的酵素(部位特異的リコンビナーゼ)を含む。部位特異的リコンビナーゼは、２つの部位特異的組換え配列間における組換え反応を触媒する。
【０１３２】
若干の相異なる部位特異的リコンビナーゼ系が当業者に利用可能および／または公知であり、例えば、限定されるわけではないが、エシェリキア・コリ(Escherichia coli)ファージＰ１からのＣＲＥリコンビナーゼ(例えば、配列番号５８および５９参照)を用いたＣｒｅ／ｌｏｘ組換え系(例えば、Sauer(１９９３)Methods in Enzymology２２５：８９０−９００、Sauer et al.(１９９０)The New Biologst ２：４４１−４４９)、Sauer(１９９４)Current Opinion in Biotechnology５：５２１−５２７、Odell et al.(１９９０)Mol Gen Genet.２２３：３６９−３７８、Lasko et al.(１９９２)Proc.Natl.Acad.Sci.U.S.A.８９：６２３２−６２３６、米国特許第５６５８７７２号参照)、サッカロマイシス・セレヴィシエ(Saccharomyces cerevisiae)の２μエピソームからのＦＬＰリコンビナーゼ(配列番号６０および６１参照)を用いた酵母のＦＬＰ／ＦＲＴ系(Cox(１９８３)Proc.Natl.Acad.Sci.U.S.A. ８０：４２２３、Falco et al.(１９８２)Cell ２９：５７３−５８４、Golic et al.(１９８９)Cell５９：４９９−５０９、米国特許第５７４４３３６号)、ファージＭｕのＧｉｎリコンビナーゼを含むリゾルベース(Maeser et al.(１９９１)Mol Gen Genet.２３０：１７０−１７６、Klippel,A.et al.(１９９３)EMBO J.１２：１０４７−１０５７、例えば配列番号６４〜６７参照)、Ｃｉｎ、Ｈｉｎ、αδＴｎ３、エシェリキア・コリ(E.coli)のＰｉｎリコンビナーゼ(例えば配列番号６８および６９参照、Enomoto et al.(１９８３)J Bacteriol.６：６６３−６６８)、ザイゴサッカロマイシス・ロウキシイ(Zygosaccharomyces rouxii)のｐＳＲ１プラスミドのＲ／ＲＳ系(Araki et al.(１９９２)J.Mol.Biol.２２５：２５−３７、Matsuzak et al.(１９９０)J.Bacteriol.１７２：６１０−６１８)および、クルイベロマイシス・ドロソフィラリウム(Kluyveromyces drosophilarium)(Chen et al.(１９８６)Nucleic Acids Res.３１４：４４７１−４４８１)およびクルイベロマイシス・ワルチイ(Kluyveromyces waltii)(Chen et al.(１９９２)J.Gen.Microbiol.１３８：３３７−３４５)からの部位特異的リコンビナーゼがある。他の系も当業者には知られている(Stark et al.Trends Genet.８：４３２−４３９、Utatsu et al.(１９８７)J.Bacteriol.１６９：５５３７−５５４５、また米国特許第６１７１８６１号も参照)。
【０１３３】
部位特異的リコンビナーゼの高度関連ファミリー、リゾルベースファミリーの構成員、例えばｙδ、Ｔｎ３リゾルベース、Ｈｉｎ、ＧｉｎおよびＣｉｎもまた、利用可能である。リコンビナーゼのこのファミリーの構成員は、典型的には分子内反応(例、逆位および切除)に束縛されており、宿主コード化因子を必要とし得る。宿主因子についての必要条件をある程度軽減し(Maeser et al.(１９９１)Mol.Gen.Genet.２３０：１７０−１７６)、また分子内組換えの束縛をある程度軽減する(米国特許第６１７１８６１号参照)突然変異体が単離された。
【０１３４】
バクテリオファージＰ１ Ｃｒｅ／ｌｏｘおよび酵母ＦＬＰ／ＦＲＴ系は、染色体、特に本発明で提供されるＡＣｅｓへの、およびそこからの異種核酸の部位特異的組込み、逆位または切除にとって特に有用な系である。これらの系では、リコンビナーゼ(ＣｒｅまたはＦＬＰ)は、その各部位特異的組換え配列(それぞれｌｏｘまたはＦＲＴ)と特異的に相互作用することにより、介在配列を逆位または切除する。これら２系の各々についての配列は、比較的短い(ｌｏｘについては３４ｂｐおよびＦＲＴについては４７ｂｐ)。
【０１３５】
ＦＬＰ／ＦＲＴリコンビナーゼ系は、植物細胞で有効に機能することが立証され(米国特許第５７４４３８６号)、そのため植物人工染色体プラットホームの製造に使用され得る。一般に、短い不完全ＦＲＴ部位は、全くの完全長ＦＲＴ部位の場合よりも切除生成物の高い蓄積をまねく。この系は、分子内および分子間反応を触媒するため、ＤＮＡ切除および組込み反応に使用され得る。組換え反応は可逆性であり、この可逆性は各方向における反応の有効性に欠陥を生じさせ得る。部位特異的組換え配列の構造の改変は、この状況を軽減する方法である。部位特異的組換え配列に対し、組換え反応の生成物がもはや逆反応についての基質として認識されないように突然変異を導入することにより、組込みまたは切除事象を安定化させ得る。
【０１３６】
バクテリオファージＰ１で発見された、Ｃｒｅ−ｌｏｘ系では、ｌｏｘＰ部位間の組換えは、Ｃｒｅリコンビナーゼの存在下で行なわれる(例、米国特許第５６５８７７２号参照)。この系は、２つのｌｏｘ部位間に位置する核酸を挿入、逆位または切除するのに使用され得る。Ｃｒｅは、ベクターから発現され得る。ｌｏｘ部位は非対称ヌクレオチド配列であるため、同じＤＮＡ分子におけるｌｏｘ部位は、互いに関して同じかまたは反対配向を有し得る。同配向でのｌｏｘ部位間における組換えにより、２つのｌｏｘ部位間に位置するＤＮＡセグメントが欠失し、生じたもとのＤＮＡ分子の末端間が連結される。欠失されたＤＮＡセグメントは、ＤＮＡの環状分子を形成する。もとのＤＮＡ分子および生成した環状分子は、各々単一ｌｏｘ部位を含む。同じＤＮＡ分子上における反対配向でのｌｏｘ部位間の組換えにより、２つのｌｏｘ部位間に位置するＤＮＡセグメントのヌクレオチド配列の逆位が誘発される。さらに、２個の異なるＤＮＡ分子に位置するｌｏｘ部位に近接したＤＮＡセグメントの相互交換が行われ得る。これらの組み合わせ事象は全て、Ｃｒｅコーディング領域の生成物により触媒される。
【０１３７】
当業者に周知の部位特異的リコンビナーゼ系はいずれも本発明で使用されると考えられる。リコンビナーゼによる組換えを指向する１個または複数の部位が人工染色体に導入されることにより、プラットホームＡＣｅｓが製造されると考えられる。生成したプラットホームＡＣｅｓは、典型的にはベクターで、同族体リコンビナーゼをコード化する核酸およびプラットホームＡＣｅｓへの挿入に適切な組換え部位に結合された興味の対象である異種核酸をコード化する核酸と共に細胞へ導入される。リコンビナーゼ‐エンコーディング‐核酸は、異種核酸をコード化する、同じベクター、または異なるベクターで細胞へ導入され得る。
【０１３８】
ＡＣｅｓプラットホーム遺伝子操作用および人工染色体遺伝子操作用のエシェリキア・コリ(E.coli)ファージラムダインテグラーゼ系が提供される(Lorbach et al.(２０００)J.Mol.Biol.２９６：１１７５−１１８１)。ファージラムダインテグラーゼ(Landy,A.(１９８９)Annu.Rev.Biochem.５８：９１３−９４)はここで適合化され、同族体ａｔｔ部位が提供される。他の因子の非存在下で機能する突然変異体インテグラーゼをコード化するベクターの場合と同様、１個または複数のａｔｔ部位を含むように遺伝子操作が加えられた染色体、例えばＡＣｅｓが提供される。修飾染色体およびベクターを用いて異種核酸を導入する方法もまた提供される。
【０１３９】
本発明での目的の場合、組換えに必要とされる１個またはそれ以上の部位(例、単一部位または一対の部位)を、人工染色体、例えばＡＣｅｓ染色体へ導入する。部位特異的組換えを触媒する酵素を興味の対象であるＤＮＡと共に、または別々に導入するか、または調節可能なプロモーターの制御下人工染色体へ遺伝子工学的に導入する。
【０１４０】
本明細書の記載によると、１個または多数の組換え部位を含む人工染色体プラットホームが提供される。方法および得られた生成物については、ラムダファージＡｔｔ／Ｉｎｔ系を用いて具体例を示すが、他の組換え系によるＡＣｅｓプラットホームの製造についての類似方法も使用され得る。
【０１４１】
本発明で提供されるＡｔｔ／Ｉｎｔ系およびベクターは、ＡＣｅｓプラットホームの遺伝子操作について意図されているだけでなく、染色体へのＡｔｔ／Ｉｎｔ系の遺伝子工学的導入に使用され得る。ａｔｔ部位を染色体へ導入することにより、例えば組込み遺伝子または調節領域をターゲッティングさせ、および選択領域の制御された切除による、天然染色体の遺伝子操作が可能となる。例えば、特定の形質をコード化する遺伝子が染色体、例えば１個または複数のａｔｔ部位を含むように遺伝子操作された植物染色体に加えられ得る。上記染色体は、ＤＮＡをスクリーニングして遺伝子を同定するのに使用され得る。大きな断片のＤＮＡを細胞へ導入し、細胞を表現型的にスクリーニングすることにより、所望の形質を有するものが選択され得る。
【０１４２】
Ｃ．プラットホーム
単一または多数の部位特異的組換え部位を含むプラットホーム人工染色体(プラットホームＡＣｅｓ)が本発明では提供される。染色体に基くプラットホーム技術により、多遺伝子標的の有効で制御しやすい遺伝子工学的操作および後続の発現が可能となる。ＤＮＡベクターおよびフラグメントを使用することにより、プラットホーム人工染色体、例えば動物、特に哺乳類の人工染色体、および植物人工染色体を製造する方法が提供される。人工染色体は、標的遺伝子発現ベクターをプラットホーム染色体へ定着させるのに適切な単一または多数の配列特異的組換え部位を含む。遺伝子操作された染色体に基くプラットホームＡＣｅｓ技術は、細胞およびトランスジェニックタンパク質製造、トランスジェニック植物および動物製造および遺伝子治療を含む方法に適用され得る。プラットホームＡＣｅｓはまた、ゲノムスクリーニング用に所定のゲノム(例、哺乳類、植物または原核生物ゲノム)のランダム部分を含むＡＣｅｓのライブラリー、および異なる、および／または相互限定的ＡＣｅｓをそこに含む細胞のライブラリーを作製するのに有用である。
【０１４３】
人工染色体プラットホームの具体例は、ＡＣｅｓに基いたものである。ＡＣｅｓ人工染色体は、通常の染色体複製および細胞核内での維持に要求されるエレメントを全て有する、天然染色体として機能する非ウイルス性の自己複製核酸分子である。ＡＣｅｓ人工染色体は、有効である細胞のゲノムへの組込みに頼るものではなく、そしてそれらはＤＮＡ運搬受容力により制限されることはなく、調節配列を含む興味の対象である治療遺伝子(複数も可)自体がＡＣｅｓへ遺伝子操作により組込まれ得る。さらに、ＡＣｅｓは、インビトロおよびインビボで安定しており、予測可能な長期遺伝子発現を可能にし得る。一旦遺伝子操作が加えられ、適切な細胞または胚に送達されると、ＡＣｅｓは宿主染色体と並行して独立して機能し、主にヘテロクロマチンであるＡＣｅｓの場合それが担う遺伝子からの生成物(タンパク質)のみを製造する。本発明で提供されるＡＣｅｓは、組換え部位(複数も可)の導入により修飾され、異種核酸を容易に導入できるプラットホームを提供する。ＡＣｅｓプラットホームは、トランスジェニック動物および植物の製造に、遺伝子治療用ベクターとして、タンパク質製造系として、動物モデルについて新規治療薬を同定およびターゲッティングするのに、治療タンパク質の開発および製造用細胞培養物で、および様々な他の適用法で使用され得る。
【０１４４】
１．人工染色体の生成
人工染色体は、当業者に公知の方法により生成され得る。ここで特に興味深いのは、反復単位を含むＡＣｅｓ人工染色体である。ＡＣｅｓの製造方法は、米国特許第６０２５１５５および６０７７９７号で詳述されており、特許、出願、出版物および他の開示は全て、出典明示で援用する。
【０１４５】
新たなＡＣｅｓの生成
ＡＣｅｓは、外性ＤＮＡ−例えば治療タンパク質についての遺伝子配列を含む哺乳類組織特異的ＤＮＡカセットをｒＤＮＡフラグメントおよび薬剤耐性マーカー遺伝子と共に所望の真核生物細胞、例えば植物または動物細胞、例えばネズミ細胞へインビトロでコトランスフェクションすることにより生成され得る。選択可能または検出可能なマーカーと共にＤＮＡが導入され、例えば末端動原体染色体にあるｒＤＮＡ遺伝子アレイ、例えば末端動原体染色体の短いアームにおける場合のように、動原体周囲ヘテロクロマチンへ無作為に組込まれ得るかまたは動原体周囲ヘテロクロマチンへターゲッティングされ得る。この組込み事象は「メガレプリケーター」配列を活性化し、動原体周囲ヘテロクロマチンおよび外性ＤＮＡを増幅し、動原体をデュプリケイトする。次いで起こるこの「二動原体」染色体の切断の結果、実質的にもとの染色体および新しい人工染色体を含む娘細胞が製造され得る。生成したＡＣｅｓは、分裂中の細胞における安定性および複製に要求される必須成分、例えば動原体、複製起点およびテロメアを全て含む。マーカー遺伝子(ｌａｃＺ、緑色蛍光タンパク質、ネオマイシン耐性、プロマイシン耐性、ハイグロマイシン耐性)および興味の対象である遺伝子を発現するＡＣｅｓが製造された。単離されたＡＣｅｓは、例えば、エレクトロポレーション、ソノポレーション(sonoporation)、マイクロインジェクション、および脂質および樹状体でのトランスフェクションによりげっ歯動物、ヒトおよびウシ細胞へ有効に無傷のまま導入されている。
【０１４６】
所望の遺伝子を伴うＡＣｅｓの作製をさらに御しやすく有効なものにするため、例えばＣｒｅまたはＦＬＰリコンビナーゼによる(Bouhassira et al.(１９９６)Blood ８８(補遺１)：１９０ａ、Bouhassira et al.(１９９７)Blood、９０：３３３２−３３４４、Siebler et al.(１９９７)Biochemistry：３６：１７４０−１７４７、Siebler et al.(１９８８)Biochemistry ３７：６２２９−６２３４、およびBethke et al.(１９９７)Nucl.Acids Res.２５：２８２８−２８３４)、およびここで具体例として示されたラムダファージインテグラーゼによる、酵素伝達相同的ＤＮＡ組換えに規定されたＤＮＡ配列を含む「プラットホーム」ＡＣｅｓ(プラットホーム−ＡＣｅｓ)が製造され得る。ｌｏｘ部位は、Ｃｒｅ−リコンビナーゼが結合する２個の１３ｂｐ逆方向反復単位および介在８ｂｐコア領域を含む。コア領域の中心６ｂｐに同一性を有する部位の対のみ、有効な組換えを行うが、非同一性コア配列を有する部位(異種特異的ｌｏｘ部位)は、有効には互いに組換えを行わない(Hoess et al.(１９８６)Nucleic Acids Res.１４：２２８７−２３００)。
【０１４７】
植物人工染色体形成についての末端動原体染色体の生成
ヒトおよびマウス細胞においてサテライトＤＮＡ人工染色体(ＳＡＴＡＣ、またＡＣｅｓとも称す)の新たな形成は、短いアームが動原体周囲ヘテロクロマチン、ｒＤＮＡアレイおよびテロメア配列のみを含む末端動原体染色体で行われ得る。植物種は、報告された同じ物理的構造をもつ末端動原体染色体を全く有し得ないが、「メガレプリケーター」ＤＮＡ配列は、核小体形成領域(ＮＯＲ)としても知られている、植物ｒＤＮＡアレイに存する。末端動原体哺乳類染色体で見られるもののような構造は、植物染色体の適切なアーム間での部位特異的組換えを用いて生成され得る。
【０１４８】
方法
Qin et al.((１９９４)Proc.Natl.Acad.Sci.U.S.A.９１：１７０６−１７１０、１９９４)は、２種のニコチアナ・タバクム(Nicotiana tabacum)トランスジェニック植物の交雑について記載している。一方の植物は、ｌｏｘ部位が先行してプロモーター非随伴ハイグロマイシン耐性遺伝子をコード化する構築物を含み(ｌｏｘ−ｈｐｔ)、他方の植物は、ｌｏｘ配列に結合されたカリフラワーモザイクウイルス３５ＳプロモーターおよびｃｒｅＤＮＡリコンビナーゼコーディング領域を含む構築物を含む(３５Ｓ−ｌｏｘ−ｃｒｅ)。カナマイシン耐性遺伝子(ＫａｎＲ)を含むアグロバクテリウム・ツメファシエンス(agrobacterium tumefaciens)で葉の外植体を感染させることにより、構築物を別々に導入した。生成したＫａｎＲトランスジェニック植物を交雑した。適切なＤＮＡ組換え事象をもつ植物がハイグロマイシン耐性により同定された。
【０１４９】
ＡＣｅｓの生成に関する上記の修飾
ＫａｎＲ品種を例えばＦＩＳＨによって初めにスクリーニングすることにより、２セットの候補トランスジェニック植物が同定される。第一のセットは、染色体の短いアームで動原体周囲ヘテロクロマチンに隣接する領域に組込まれた一構築物を有する。第二セットの候補植物は、適切な染色体のＮＯＲ領域に組込まれた他方の構築物を有する。相互転座を達成するため、両部位は同じ配向でなくてはならない。したがって、一連の交雑が要求され、ＫａｎＲ植物が生成され、ＦＩＳＨ分析を遂行することにより、新たな植物ＡＣｅｓ形成についての適切な「末端動原体」植物染色体が同定される。
【０１５０】
２．バクテリオファージラムダインテグラーゼに基く部位特異的組換え系
プラットホーム技術の不可欠な部分は、選択された遺伝子標的またはゲノムフラグメントをプラットホーム染色体へ定着させ得る部位特異的組換え系を含む。かかる系であれば全て使用され得る。特に、バクテリオファージラムダインテグラーゼのリコンビナーゼ活性を用いる配列特異的組換えを介して細胞に存するプラットホーム染色体へ追加のＤＮＡフラグメントを挿入する方法が提供される。ラムダインテグラーゼ系は、ＡＣｅｓについて考えられる組換え系の具体例である。ここに記載されたものを含め、任意の既知組換え系、特に追加因子を必要とせずに機能するかまたは突然変異により追加因子を要求しないものが考えられる。
【０１５１】
示された通り、ここで提供されるラムダインテグラーゼ系は、ＡＣｅｓに加えて天然染色体および人工染色体と共に使用され得る。同一または異なり得る、単一または複数の組換え部位を人工染色体へ導入することにより、人工染色体プラットホームが製造される。
【０１５２】
３．バクテリオファージラムダインテグラーゼ部位特異的組換え系の製造
ラムダファージコード化インテグラーゼ(Ｉｎｔと称す)は、インテグラーゼファミリーの始原型構成員である。Ｉｎｔは、ａｔｔＢ／ａｔｔＰおよびａｔｔＬ／ａｔｔＲと称される結合部位の対の間における組換えを介してエシェリキア・コリ(E.coli)ゲノム中および外からのファージの組込みおよび切除を行う。各ａｔｔ部位は、２つの逆方向９塩基対コアＩｎｔ結合部位および野生型ａｔｔ部位において同一である７塩基対オーバーラップ領域を含む。ａｔｔＢを除く各部位は、追加のＩｎｔ結合部位を含む。フランキング領域には、補助ＤＮＡ結合タンパク質、例えば組込み宿主因子(ＩＨＦ)、逆位刺激因子(ＦＩＳ)およびファージコード化切除タンパク質(ＸＩＳ)についての認識配列が存在する。ａｔｔＢと除き、Ｉｎｔは、異種二価ＤＮＡ結合タンパク質であり、補助タンパク質および負のＤＮＡ超コイルからの補助により、同じａｔｔ部位内にあるコアおよびアーム部位へ同時に結合する。
【０１５３】
ＣｒｅおよびＦＬＰと同様、Ｉｎｔは、組込みおよび切除的組換え中に定序連続対の鎖交換を実行する。Ｉｎｔ、ａｔｔＢおよびａｔｔＰまたはａｔｔＬおよびａｔｔＲについての標的配列の天然対は、同一または異なるＤＮＡ分子上に位置することにより、それぞれ分子内または分子間組換えをもたらす。例えば、分子内組換えは、逆配向ａｔｔＢおよびａｔｔＰ間、またはａｔｔＬおよびａｔｔＲ配列間でそれぞれ行なわれ、介在ＤＮＡセグメントの逆位をまねく。
【０１５４】
リコンビナーゼ系、例えばＣｒｅおよびＦＬＰと同様、Ｉｎｔは部位特異的組換えを指令する。他の系、例えばＣｒｅおよびＦＬＰとは異なり、Ｉｎｔは、一般的に、組込みおよび切除的組換えおよび組込み的組換えに関する負の超コイル形成についての追加タンパク質因子を必要とする。このため、Ｉｎｔ系は、真核生物ターゲッティング系で使用されたことが無い。
【０１５５】
Ｉｎｔ−ｈ(Ｅ１７４Ｋ)と称される、突然変異体Ｉｎｔタンパク質およびその誘導体Ｉｎｔ−ｈ／２１８(Ｅ１７４Ｋ／Ｅ２１８Ｋ)は、ヒト細胞でのコトランスフェクション検定法において分子内組込みおよび切除的組換えを遂行するのに補助タンパク質を必要とはしない(Lorbach et al.(２０００)J Mol.Biol.２９６：１１７５−１１８１)。野生型Ｉｎは、標的細胞部位ａｔｔＢおよびａｔｔＰをもつヒト細胞においては分子内組換えを触媒しない。このため、突然変異体Ｉｎｔはヒト細胞における因子独立組換え事象を触媒し得ることが立証された。
【０１５６】
この系が真核生物ゲノムまたは染色体の遺伝子操作に使用され得ることは他者により立証されたことがない。本発明では、人工染色体、例えば限定されるわけではないが、ａｔｔ部位を含むＡＣｅｓ(例、プラットホームＡＣｅｓ)を含む染色体、および真核生物細胞、例えば動物、例えばげっ歯動物およびヒト、および植物細胞における上記染色体への異種ＤＮＡのターゲッティングされた組込みについての上記染色体の使用法が提供される。ここで提供される突然変異体Ｉｎｔは、人工染色体での部位およびベクター含有同族体部位間における部位指定組換えを行うことが示されている。
【０１５７】
染色体に基くプラットホーム技術の追加成分は、プラットホームへの標的ＤＮＡ配列の部位特異的組込みである。このため、天然バクテリオファージラムダインテグラーゼは、真核生物細胞においてこの配列特異的ＤＮＡ組換え事象を実行するように修飾が加えられた。バクテリオファージラムダインテグラーゼおよびその同族体ＤＮＡ基質ａｔｔは、バクテリオファージＰ１ Ｃｒｅ／ｌｏｘ系およびサッカロマイシス・セレヴィシエ(Saccharomyces cerevisiae)２ミクロンベースのＦＬＰ／ＦＲＴ系をも含む部位特異的リコンビナーゼファミリーの一員である(例えば、Landy(１９８９)Ann.Rev.Biochem ５８：９１３−９４９、Hoess et al.(１９８２)Proc.Natl.Acad.Sci.U.S.A. ７９：３３９８−３４０２、Broach et al.(１９８２)Cell ２９：２２７−２３４参照)。
【０１５８】
ＤＮＡエンドヌクレアーゼおよびＤＮＡリガーゼ活性を合わせることにより、これらのリコンビナーゼは、認識部位の両端に隣接する配列間におけるＤＮＡ交換を認識および触媒する。エシェリキア・コリ(E.coli)(ラムダ組換え)ゲノムへのラムダゲノムの組込み中、ファージインテグラーゼ(ＩＮＴ)は、補助タンパク質と共に、ファージゲノムのａｔｔＰ部位および細菌性ゲノムのａｔｔＢ部位間におけるＤＮＡ交換を触媒し、その結果ａｔｔＬおよびａｔｔＲ部位が形成される(図６)。遺伝子操作されたバクテリオファージラムダインテグラーゼは、ここで製造され、そして入来るＤＮＡ分子(主として細菌性ａｔｔＢ部位を含むベクター上)およびラムダバクテリオファージまたは細菌性補助タンパク質とは独立したラムダａｔｔＰ配列をもつ染色体に基くプラットホーム間における分子間ＤＮＡ組換え事象を行わせる。
【０１５９】
二方向性Ｃｒｅ／ｌｏｘおよびＦＬＰ／ＦＲＴ系とは対照的に、存在していない補助タンパク質が、さらにラムダＩｎｔリコンビナーゼへの暴露後組込まれた核酸の切除に必要とされるため、染色体に基くプラットホーム技術用に誘導された遺伝子操作されたラムダ組換え系は、有利には一方向性である。
【０１６０】
４．単一または多重配列特異的組換え部位を含むプラットホーム染色体の製造
ａ．多重部位
多重配列特異的組換え部位を含むプラットホーム染色体の生成について、人工染色体は図５および実施例３で示された要領により製造される。上記で検討したところによると、人工染色体は、米国特許第５２８８６２５、５７１２１３４、５８９１６９１、６０２５１５５号記載のものを含む、適切な方法を用いて製造され得る。簡単に述べると、多重組換え(例、組込み)部位を含む人工染色体を製造するため、核酸(１個またはそれ以上のプラスミドの形態で、例えば実施例３に示されたプラスミドｐＳＶ４０１９３ａｔｔＰｓｅｎｓｅＰＵＲ)を、染色体の増幅可能領域、例えば染色体の動原体周囲領域へターゲッティングする。上記領域には、末端動原体哺乳類染色体におけるｒＤＮＡ遺伝子座が含まれる。このため、哺乳類末端動原体染色体のｒＤＮＡ領域への組込み用ターゲッティング核酸は、マウスｒＤＮＡフラグメント(げっ歯動物セルラインへのターゲッティング用)またはヒト末端動原体染色体へのターゲッティング、例えばヒト遺伝子治療適用についてのＢＡＣ／ＰＡＣベクター(または標準ベクターにおけるそのサブクローン)における大きなヒトｒＤＮＡ領域を含み得る。ターゲッティング核酸は、一般的に検出可能または選択可能マーカー、例えば抗生物質、例えばプロマイシンおよびハイグロマイシン耐性、組換え部位(例えばａｔｔＰ、ａｔｔＢ、ａｔｔＬ、ａｔｔＲなど)、および／または遺伝子治療適用に要求されるヒト選択可能マーカーを含む。多重組換え(例、組込み)部位をそこに有するＡＣｅｓ人工染色体の増幅および最終的には生産させる条件下で細胞を成長させる。所望のサイズを有するＡＣｅｓがさらなる遺伝子操作用に選択される。
【０１６１】
ｂ．単一配列特異的組換え部位を含むプラットホーム染色体の生成
この方法では、単一配列特異的組換え部位を含む哺乳類プラットホーム人工染色体が生成される。下記実施例において、この方法は、選択用のプロマイシン耐性マーカーおよびマウス末端動原体染色体におけるｒＤＮＡ座へのターゲッティング用マウスｒＤＮＡフラグメントを用いて立証される。当業者により所望され、知られている他の選択マーカーおよびターゲッティングＤＮＡ配列も使用され得る。追加的耐性マーカーには、抗生物質ネオマイシン、ブラスチシジン、ハイグロマイシンおよびゼオシンに対する耐性を付与する遺伝子が含まれる。潜在的免疫原性応答を回避すべき適用法、例えば遺伝子治療については、宿主、例えばヒト由来の選択マーカーまたはモノクローナル抗体(ＭＡｂ)、次いで蛍光活性化細胞選別(ＦＡＣＳ)により検出可能なマーカーが使用され得る。この種類における実例には、限定されるわけではないが、ヒト神経発育因子受容体(ＭＡｂによる検出)、切形ヒト成長因子受容体(ＭＡｂによる検出)、突然変異体ヒトジヒドロ葉酸レダクターゼ(ＤＨＦＲ、蛍光メトトレキセート基質を用いて検出され得る)、分泌性アルカリ性ホスファターゼ(ＳＥＡＰ、蛍光基質により検出可能)、チミジル酸シンターゼ(ＴＳ、フルオロデオキシウリジンに対する耐性を付与する)、ヒトＣＡＤ遺伝子(Ｎ−ホスホンアセチル−Ｌ−アスパラギン酸(ＰＡＬＡ)に対する耐性を付与する)がある。
【０１６２】
単一部位をもつプラットホーム人工染色体を構築するため、選択マーカーを含むＡＣｅｓ人工染色体(または興味の対象である他の人工染色体)が製造され得る。単一配列特異的組換え部位を相同的組換えによりＡＣｅｓへターゲッティングする。この場合、部位特異的組換え配列を含むＤＮＡ配列の両端には、染色体において選択された配列と相同的なＤＮＡ配列が隣接する。例えば、ｒＤＮＡまたはサテライトＤＮＡ配列を含む染色体を用いるとき、上記ＤＮＡを相同性配列として使用することにより、染色体へ部位特異的組換え配列をターゲッティングさせ得る。部位特異的組換え部位の両端に隣接するこれらの相同性配列を有するようにベクターが設計され、そして適切な制限酵素消化により染色体との相同性を有する自由末端を生じさせた後、染色体をもつ細胞へＤＮＡをトランスフェクションする。部位特異的カセットのトランスフェクションおよび組込み後、プラットホーム染色体への相同的組換え事象がサブクローニングされ、例えば耐性の発現または蛍光マーカーによる単細胞サブクローンのスクリーニングおよびＰＣＲ分析により同定される。一実施態様では、単一コピーの組換え部位を含むプラットホーム人工染色体、例えばプラットホームＡＣｅｓが選択される。実施例２Ｂおよび２Ｄはこのプロセスを具体的に説明しており、図３は、単一配列特異的組換え部位を含むプラットホーム哺乳類染色体の一製造方法を示す概略図を提供する。
【０１６３】
５．プラットホーム染色体への標的遺伝子発現ベクターのラムダインテグラーゼ仲介による組換え
染色体に基くプラットホーム技術の第三成分は、例えば遺伝子治療用遺伝子、トランスジェニック動物または植物製造用遺伝子、および興味の対象である細胞タンパク質生産に要求されるものをもつ標的遺伝子発現ベクターの使用を含む。ラムダインテグラーゼ仲介による部位特異的組換え、または他のリコンビナーゼ仲介による部位特異的組換えを用いることにより、標的遺伝子発現ベクターを選択された染色体プラットホームへ導入する。標的遺伝子発現ベクターの使用により、新たに生成された染色体ベースのプラットホームが広範な遺伝子標的に関して使用され得る。さらに、多重ａｔｔＰ部位を含む染色体プラットホームは、多重遺伝子標的を単一プラットホームへ組込む機会を提供し、それによって細胞および遺伝的調節遺伝子の発現および代謝経路の全部または一部の発現を含む、多重遺伝子標的の発現がもたらされる。小標的遺伝子、例えばｃＤＮＡおよびハイブリッドｃＤＮＡ／人工イントロン構築物を発現することに加えて、染色体ベースのプラットホームは、その内性ゲノムプロモーター配列と一緒に標的遺伝子をもつ大型ゲノムフラグメントの遺伝子操作および発現に使用され得る。例えば、治療に正確な細胞特異的発現が要求される場合、および発現がｃＤＮＡクローンではなくゲノムクローンから最善の形で達成される場合、これは重要である。図９は、染色体に基く技術の一実施態様の概略図を提供する。
【０１６４】
含むべき興味の対象である標的遺伝子発現ベクターの特徴は、具体的に説明されているように(図９参照)上流ａｔｔＢ部位を含む(図９のマーカー２)、プロモーター非随伴マーカー遺伝子である。マーカーをコード化する核酸がプロモーター配列から下流に置かれるとそれは発現されない。本発明で提供されるリコンビナーゼ技術、例えば本発明で提供されるラムダインテグラーゼ技術(図８におけるλＩＮＴＥ１７４Ｒ)を用いると、ベクターにおけるａｔｔＢ部位と染色体ベースのプラットホームにおけるプロモーター‐ａｔｔＰ部位(「センス」配向で)との間での部位特異的組換えの結果、標的遺伝子発現ベクターにおけるマーカー２が発現され、それによりラムダＩＮＴ仲介による部位特異的組換え事象についての正の選択が行われる。ゲノムにおいてプロモーターに隣接するランダムな組込み(偽正選択性)に対する染色体ベースのプラットホームにおける部位特異的組換え事象は、ＰＣＲにより正確な事象を検出するようにプライマーを設計することにより迅速にスクリーニングされ得る。適切なマーカー２遺伝子の例には、限定されるわけではないが、毒性化合物または抗生物質に対する耐性を付与する遺伝子、蛍光活性化細胞選別(ＦＡＣＳ)により選別可能な細胞表面マーカーおよび様々な蛍光マーカーがある。これらの遺伝子の例には、限定されるわけではないが、ヒトＬ２６ａR(サッカロマイシス・セレヴィシエ(Saccharomyces cerevisiae)ＣＹＨ８遺伝子のヒト相同体)、ネオマイシン、プロマイシン、ブラスチシジン、ＣＤ２４(例えば米国特許第５８０４１７７および６０７４８３６号参照)、切形低親和力神経発育因子受容体(ＬＮＧＦＲ)、切形ＬＤＬ受容体、切形ヒト成長ホルモン受容体、ＧＦＰ、ＲＦＰ、ＢＦＰがある。
【０１６５】
標的遺伝子発現ベクターは、染色体プラットホームから発現させるための遺伝子(標的遺伝子)を含む。標的遺伝子は、様々な哺乳類種全体にわたり様々な構成的または調節プロモーター系を用いて発現され得る。同じ標的遺伝子発現ベクター内における多重標的遺伝子の発現について、多重標的の発現は、ウイルスベースまたはヒトリボソーム内部侵入部位(ＩＲＥＳ)エレメントを介して同調調節され得る(例えば、Jackson et al．(１９９０)Trends Biochem Sci.１５：４７７−８３、Oumard et al.(２０００)Mol.Cell.Biol.２０：２７５５−２７５９)。さらに、下流蛍光マーカー、例えば緑色、赤色または青色蛍光タンパク質(ＧＦＰ、ＲＦＰ、ＢＦＰ)に結合されたＩＲＥＳ型エレメントを用いることにより、組込まれた標的遺伝子発現ベクターからの高度発現性クローンが同定され得る。
【０１６６】
本明細書に記載されているある種の実施態様では、プロモーター非随伴マーカーは、異種核酸の転写的に下流にあり得、そこで異種核酸は、異種タンパク質をコード化し、発現レベルの選択マーカーは、発現レベルの異種タンパク質に転写結合される。さらに、選択マーカーおよび異種核酸は、それらの間におけるＩＲＥＳの存在により転写結合され得る。本明細書で示されている通り、選択マーカーは、抗生物質耐性遺伝子、および検出可能タンパク質から成る群から選択され、この場合検出可能タンパク質は色素原性または蛍光性である。染色体ベースのプラットホームに組込まれた標的遺伝子発現ベクターからの発現は、ゲノムインスレーター／境界エレメントを用いることによりさらに高められ得る。標的遺伝子発現ベクターへのインスレーター配列の組込みは、クロマチン構造での境界画定を助けるため、標的遺伝子の発現に対するクロマチン位置効果／遺伝子サイレンシングの影響は最小限にされる(Bell et al.(１９９９)Current Opinion in Genetics and Development ９：１９１−１９８、Emery et al.(２０００)Proc.Natl.Acad.Sci. U.S.A.９７：９１５０−９１５５)。発現を最適にするために標的遺伝子発現ベクターに含まれ得るインスレーターエレメントの例には、限定されるわけではないが、以下のものがある：
【０１６７】
１)ニワトリβ‐グロビンＨＳ４エレメント(Prioleau et al.(１９９９)EMBO J １８：４０３５−４０４８)、
２)マトリックス付着領域(ＭＡＲ；例えばRamakrishnan et al.(２０００)Mol Cell.Biol. ２０：８６８−８７７参照)、
３)スカホールド付着領域(ＳＡＲ；例えばAuten et al.(１９９９)Human Gene Therapy １０：１３８９−１３９９参照)、および
４)普遍的クロマチンオープニングエレメント(ＵＣＯＥ；ＷＯ／０００５３９３およびＷＯ／０２２４９３０)。
【０１６８】
標的遺伝子のコピー数は、染色体プラットホームにおける多重組込み部位へ標的遺伝子を含む多重標的遺伝子発現ベクターを連続的に加えることにより制御され得る。同様に、標的遺伝子のコピー数は、遺伝子増幅を促進するＤＮＡ配列を加えることにより個々の標的遺伝子発現ベクター内で制御され得る。例えば、遺伝子増幅をジヒドロ葉酸レダクターゼ(ＤＨＦＲ)ミニ遺伝子を用いて誘導し、それに続いてメトトレキセート(例えばSchimke(１９８４)Cell ３７：７０５−７１３参照)またはｒＤＮＡ遺伝子座からの増幅促進配列で選択し得る(例えば、Wegner et al.(１９８９)Nucl.Acids Res.１７：９９０９−９９３２参照)。
【０１６９】
６．他のリコンビナーゼ系部位を伴うプラットホーム
Ｃｒｅ−リコンビナーゼが仲介する「二重ｌｏｘ」ターゲッティングストラテジー(Bethke et al.(１９９７)Nucl.Acids Res.２５：２８２８−２８３４)が使用され得る。このストラテジーは、８ｂｐスペーサー領域において一ヌクレオチドが異なる、一対の異種特異的ｌｏｘ部位−ｌｏｘＡおよびｌｏｘＢを使用する。両部位を遺伝子操作により人工染色体および同じくターゲッティングＤＮＡベクターへ導入する。Ｃｒｅ−触媒二重交差事象により市販されている一関連遺伝子または複数遺伝子の直接部位特異的挿入が行われ得る。本質的に、プラットホームＡＣｅｓは、二重ｌｏｘ部位が両端に隣接するハイグロマイシン耐性遺伝子により遺伝子操作されてｌｏｘ−ＡＣｅｓを生成し、これはチミジンキナーゼ欠損細胞、ＬＭｔｋ(−)で維持される。例えば、試験目的に関して興味の対象である遺伝子、緑色蛍光タンパク質遺伝子、ＧＦＰおよびＨＳＶチミジンキナーゼ遺伝子(ｔｋ)マーカーは、ターゲッティングベクターの適切なｌｏｘ部位間において遺伝子操作される。ベクターＤＮＡを、二重ｌｏｘ−人工染色体を維持する哺乳類細胞へＣｒｅリコンビナーゼ遺伝子をコード化するプラスミドｐＢＳ１８５(ライフ・テクノロジーズ)とコトランスフェクションする。Ｃｒｅリコンビナーゼの一時的発現は、人工染色体への遺伝子およびｔｋ−遺伝子の部位特異的挿入を触媒する。トランスフェクションされた細胞を、チミジンキナーゼ遺伝子が組込まれ、それを発現した細胞についてのみ選択するＨＡＴ培地で成長させる。ＨＡＴＲコロニーをＰＣＲ分析によってスクリーニングすることにより、所望の挿入を伴う人工染色体が同定される。
【０１７０】
ｌｏｘ−ＡＣｅｓを生成するため、ラムダ‐ＨｙｇＲ−ｌｏｘ ＤＮＡを、前駆体ＡＣｅｓをもつＬＭｔｋ(−)セルラインへトランスフェクションする。ハイグロマイシン耐性コロニーを、ＦＩＳＨおよびサザーンブロッティングによりＡＣｅｓにおける単一コピー挿入体の存在について分析する。
【０１７１】
遺伝子置換技術を立証するため、候補ｌｏｘ−ＡＣｅｓを含むセルラインを、ｐＴＫ−ＧＦＰ−ｌｏｘおよびｐＢＳ１８５(Ｃｒｅリコンビナーゼ遺伝子をコード化する)ＤＮＡとコトランスフェクションする。トランスフェクション後、プラスミドｐＢＳ１８５の一時的発現により、ｌｏｘ部位でのＤＮＡ組換えを触媒するのに十分なＣｒｅリコンビナーゼ活性のバーストがもたらされる。すなわち、ＡＣｅｓ標的とｌｏｘＡおよびｌｏｘＢをもつ外性ターゲッティングプラスミド間における二重交差事象により、ベクターＤＮＡの組込みを全く伴わず、ｌｏｘ−ＡＣｅｓにあるハイグロマイシン耐性遺伝子がターゲッティングプラスミドからのｔｋ−ＧＦＰカセットにより単純に置換され得る。トランスフェクションされた細胞をＨＡＴ培地で成長させることにより、ｔｋ−発現について選択する。正確なターゲッティングにより、ＨＡＴＲ、ハイグロマイシン感受性および緑色蛍光細胞が生産される。所望の組込み事象は、サザーンおよびＰＣＲ分析により証明される。特異的ＰＣＲプライマーセットを用いて、相同的組換えの前後にｌｏｘ−ＡＣｅｓにおける個々のｌｏｘＡおよびｌｏｘＢ部位の両側に隣接するＤＮＡ配列を増幅する。
【０１７２】
Ｄ．プラットホームＡＣｅｓの適用の実例
プラットホームＡＣｅｓは、異なる／最適化セルラインについて適用可能で御しやすい。例えば、蛍光マーカーを含むものは、蛍光活性化細胞選別(ＦＡＣＳ)を用いて精製および単離され、それに続いて標的細胞へ送達され得る。選択マーカーを伴うものは、有効な選択性を提供し、成長好条件を提供する。プラットホームＡＣｅｓは、正の選択部位特異的な組換え系を介したドナー標的ベクターの多重ペイロード送達を可能にし、タンパク質生産性およびタンパク質品質を改善する追加の遺伝因子の封入を可能にする。
【０１７３】
各適用例について提供されているプラットホームＡＣｅｓの構築および使用は、他の適用例にも同様に適用され得る。詳細な記載は典型的な具体例に関するものである。
【０１７４】
１．細胞タンパク質生産プラットホームＡＣｅｓ(ＣＰＰ ＡＣｅｓ)
本明細書に記載されている通り、ＡＣｅｓは、ヘテロクロマチン／ｒＤＮＡ配列のメガレプリケーター誘導による増幅を介してげっ歯動物(マウス、ハムスター)セルラインにおける末端動原体染色体から製造され得る。かかるＡＣｅｓは、細胞タンパク質生産並びに本明細書記載および当業者に公知の他の適用例にとって理想的である。複数の組換え部位を含むＡＣｅｓプラットホームは、細胞タンパク質生産系としての遺伝子操作に特に適切である。
【０１７５】
一実施態様において、ＣＰＰ ＡＣｅｓは、２成分系：多重遺伝子操作部位を含むプラットホーム染色体および設計された発現カセットを伴うプラットホーム特異的組換え部位を含むドナー標的ベクターを含む(図９参照)。
【０１７６】
プラットホームＡＣｅｓは、人工染色体、特に増幅に基いた人工染色体から生産され得る。典型的な具体例の場合、それらは、米国特許第６０７７６９７および６０２５１５５号および公開国際ＰＣＴ出願第ＷＯ９７／４０１８３号の技術を用いて末端動原体から製造されたげっ歯動物人工染色体から生産され、その技術では、核酸を動原体周囲ヘテロクロマチンおよび特にｒＤＮＡへターゲッティングすることにより、複製事象(複数も可)を開始させる。ＡＣｅｓは、選択された細胞タンパク質生産セルライン、例えば、限定されるわけではないが、ＣＨＯ細胞、ハイブリドーマ、植物細胞、植物組織、植物プロトプラスト、幹細胞および植物カルスにおいて直接製造され得る。
【０１７７】
ａ．プラットホーム構築
実施態様の例において、最初の新たなプラットホーム構築は、過剰のターゲッティングＤＮＡ、例えば、ａｔｔＰ領域を伴わないｒＤＮＡまたはラムダＤＮＡおよび遺伝子操作された選択マーカーのコトランスフェクションを必要とする。遺伝子操作された選択マーカーは、細胞に選択的成長好条件を提供するマーカー遺伝子の発現を制御するため、プロモーター、一般的には構成的プロモーター、例えばヒト、ウイルス性、すなわちアデノウイルスまたはＳＶ４０プロモーター、例えばヒトフェリチン重鎖プロモーター(配列番号１２８)、ＳＶ４０およびＥＦ１αプロモーターを含むべきである。かかるマーカー遺伝子の一例は、前記の哺乳類細胞についての優性マーカー選択系である(Hartman et al.(１９８８)Proc.Natl.Acad.Sci.U.S.A.８５：８０４７−８０５１参照)、サルモネラ・ティフィムリウム(S.typhimurium)ｈｉｓＤと相同性および類似性を示すエシェリキア・コリ(E.coli)ｈｉｓＤ遺伝子(ヒスチジノールデヒドロゲナーゼをコード化する)である。ヒスチジンは哺乳類における必須アミノ酸および細胞培養物における栄養必要条件であるため、エシェリキア・コリ(E.coli)ｈｉｓＤ遺伝子は、規定の培地でヒスチジン原栄養性についての選択に使用され得る。さらに、ヒスチノールを培地に含ませることにより、よりストリンジェントな選択性が細胞で定着し得る。ヒスチジノールはそれ自体細胞に対し透過性および毒性である。ｈｉｓＤは解毒手段を提供する。
【０１７８】
バクテリオファージラムダインテグラーゼ依存的部位特異的組換え系(本明細書記載)を使用するため、バクテリオファージラムダａｔｔＰ部位の位置をプロモーターおよびマーカー遺伝子間に定める。プロモーターエレメントの下流におけるａｔｔＰ部位の挿入は、プラットホームＡＣｅｓへの部位特異的組換え事象の前進的選択性をもたらす。
【０１７９】
ｂ．ドナー標的ベクター構築
ＣＰＰプラットホームＡＣｅｓ系の第二成分は、ＣＰＰプラットホームＡＣｅｓについて興味の対象である遺伝子産物(複数も可)を含むドナー標的ベクターの構築を含む。個々のドナー標的ベクターは、各遺伝子産物が発現されるように設計され得るため新たに構築されたプラットホームＡＣｅｓが最大限使用され得、その結果、多くの遺伝子標的について必要とされるのは１個または数個のＣＰＰプラットホームＡＣｅｓですむ。
【０１８０】
ドナーベクター標的の重要な特徴は、上流ａｔｔＢ部位を含むプロモーター非随伴マーカー遺伝子である(図９におけるマーカー２)。通常、マーカーは、プロモーター配列の下流に置かれないと発現されない。上記で検討した通り、ラムダインテグラーゼ技術(図８および図９におけるλＩＮＴＥ１７４Ｒ)を用いると、ベクターにあるａｔｔＢ部位とＣＰＰプラットホームＡＣｅｓにあるプロモーター‐ａｔｔＰ部位との間における特異的組換えの結果、部位特異的事象について正の選択性を与えるドナー標的ベクターマーカーが発現される。ゲノムにおけるプロモーターに隣接したランダムな組込み(偽正選択性)に対するＣＰＰ ＡＣｅｓにおける部位特異的組換え事象は、ＰＣＲにより正確な事象を検出するようプライマーを設計することにより迅速にスクリーニングされ得る。さらに、ラムダインテグラーゼ反応は一方向性であり、すなわち切除反応は不可能であるため、若干の特有な標的は、利用可能なマーカーの数によってのみ限定されたＣＰＰプラットホームＡＣｅｓへローディングされ得る。
【０１８１】
ドナー標的ベクターの追加的特徴には、クロマチンインスレーター領域、マトリックス付着領域(ＭＡＲ)またはスカホールド付着領域(ＳＡＲ)が両端に隣接する遺伝子標的発現カセットがある。これらの領域を用いると、遺伝子発現に関してさらに「オープンな」クロマチン環境が提供され、サイレンシングの軽減が促される。モノクローナル抗体を発現させる上記カセットの一例が報告されている。この目的については、強力な構成的プロモーター、例えばニワトリβ‐アクチンまたはＲＮＡ Ｐｏｌｌを用いることにより、重および軽鎖読み枠の発現を駆動する。重および軽鎖配列は、非転写減衰ヒトＩＲＥＳ(ＩＲＥＳＨ、ＮＲＦ１遺伝子の５'ＵＴＲから；Oumard et al．２０００、Mol.and Cell Biol.、２０(８)：２７５５−２７５９参照)エレメントの両端に隣接し、それによって重および軽鎖両配列の転写が調節される。軽鎖読み枠に対し遠位には、レニラ(Renilla)(ストラタジーン)からの蛍光マーカー遺伝子ｈｒＧＦＰの発現を転写減衰(アテニュエーション)する追加のウイルスコード化ＩＲＥＳ(ＩＲＥＳＶ修飾ＥＣＭＶリボソーム内部侵入部位(ＩＲＥＳ))エレメントが存する。ｈｒＧＦＰを転写減衰ＩＲＥＳと結合することにより、ｈｒＧＦＰに沿った重および軽鎖はモノシストロン性となる。すなわち、ｈｒＧＦＰ発蛍光性細胞の同定により、タンパク質生産性細胞の検出手段が提供される。さらに、高度生産性セルラインが、ＦＡＣＳにより同定および単離され、それによって高度発現体を見出す時間枠が減らされ得る。機能的モノクローナル抗体は、ＥＬＩＳＡにより確認される。
【０１８２】
ｃ．細胞タンパク質生産プラットホームＡＣｅｓ(ＣＰＰ ＡＣｅｓ)における追加成分
前述のＣＰＰ ＡＣｅｓ系に加えて、発現されるタンパク質の収率および品質を高める他の遺伝因子が含まれ得る。また、最大限の可変性を提供するため、これらの追加因子は、λＩＮＴＥ１７４Ｒ依存的部位特異的組換えによりＣＰＰプラットホームＡＣｅｓへ挿入され得る。ＣＰＰプラットホームＡＣｅｓと共に使用され得る他の因子には、例えば、細胞性およびウイルス性プロモーターを両方ともアップレギュレーションするアデノウイルスＥ１ａトランスアクチベーション系がある(例えば、SvenssonおよびAkusjarvi(１９８４)EMBO ３：７８９−７９４、および米国特許第５８６６３５９、４７７５６３０および４９２０２１１号参照)。
【０１８３】
ｄ．細胞の成長、例えばＣＨＯ細胞の成長およびタンパク質生産性／品質を高めるためのＣＨＯ−ＡＣｅｓ遺伝子操作についての標的
これらの追加因子をＣＰＰ ＡＣｅｓに加えるのが賢明ではないかまたは望ましくない場合、宿主細胞、ＣＨＯ細胞には、これらの因子を発現するように遺伝子操作が加えられ得る(下記、ＣＨＯ細胞成長およびタンパク質生産性／品質を高めるためのＣＨＯ−ＡＣｅｓ遺伝子操作についての標的参照)。含有が考えられる追加因子は、生存能を維持するためのインシュリンまたはＩＧＦ−１の追加、さらにヒト様糖蛋白質を製造させるためのヒトシアリルトランスフェラーゼまたは関連因子、細胞成長中におけるアンモニウム蓄積を減少させる因子の発現、アポトーシスを阻害する因子の発現、タンパク質分泌およびタンパク質折りたたみを改善する因子の発現、および血清不含有トランスフェクションおよび選択を可能にする因子の発現である。
【０１８４】
１)生存能を維持するためのインシュリンまたはＩＧＦ−１の追加
刺激因子および／またはそれらの受容体を発現させることにより、オートクリンループを組立て、細胞成長、例えばＣＨＯ細胞成長を改善する。具体例としての２候補は、インシュリンおよびＩＧＦ−１である(Biotechnol Prog ２０００年９月、１６(５)：６９３−７参照)。インシュリンは、血清不含有チャイニーズハムスター卵巣(ＣＨＯ)細胞培養物における細胞成長および生存能を維持するのに最も常用される成長因子である。インシュリンおよびＩＧＦ−１類似体(ＬｏｎｇＲ(３)は、ＣＨＯ細胞についての成長および生存能因子としての役割を果たす。
【０１８５】
さらに高レベルの必須栄養素および因子を生産するようにＣＨＯ細胞を修飾した。ジヒドロ葉酸レダクターゼ欠損チャイニーズハムスター卵巣細胞(ＤＧ４４細胞)用の血清不含有(ＳＦ)培地を調製した。通常は１０％血清培地で維持される、チャイニーズ・ハムスター卵巣細胞(ＤＧ４４細胞)を、０.５％血清培地へ徐々に慣らし、ＳＦ培地での有効な成長の確率を高めた(Kim et al.(１９９)In Vitro Cell Dev Biol Anim ３５(４)：１７８−８２参照)。基礎培地にこれらの成分を補充することにより、ＳＦ培地(ＳＦ−ＤＧ４４)を調製した。ダルベッコ修飾イーグル培地およびハムの栄養混合物Ｆ１２にヒポキサンチン(１０ｍｇ／ｌ)およびチミジン(１０ｍｇ／ｌ)を補充することにより、基礎培地を調製した。ＤＧ４４細胞用ＳＦ培地の製造は、Plackett−Burman設計技術の使用および細胞を慣らすことにより簡便化された。
【０１８６】
２)さらなるヒト様糖タンパク質を製造するためのヒトシアリルトランスフェラーゼまたは関連因子
複合炭水化物の添加によりタンパク質プロセシング能力を高めることにより、ＣＨＯ細胞を修飾した。これは、関連したプロセシング酵素の過剰発現により、または場合によって、関連した酵素の発現を低減化することにより達成された(Bragonzi et al.(２０００)Biochim Biophys Acta １４７４(３)：２７３−２８２参照、またWeikert et al.(１９９９)Nature biotech.１７：１１１６−１１１２１、Ferrari J et al.(１９９８)Biotechnol Bioeng６０(５)：５８９−９５参照)。アルファ２,６−シアリルトランスフェラーゼを発現するＣＨＯセルラインを、ヒト様シアリル化組換え糖蛋白質の製造用に開発した。ＣＨＯ細胞のシアリル化欠損は、細胞へアルファ２,６−シアリルトランスフェラーゼ(アルファ２,６−ＳＴ)ｃＤＮＡをトランスフェクションすることにより正され得る。上記ＣＨＯ細胞により製造された糖蛋白質は、ヒト糖蛋白質と類似した、アルファ２,６−およびアルファ２,３−結合末端シアル酸残基を表す。
【０１８７】
ヒト様シアリル化組換え体糖蛋白質の生産性を改善する別の例として、シアリダーゼアンチセンスＲＮＡを構成的に発現するＣＨＯセルラインが開発された(Ferrari J et al.(１９９８)Biotechnol Bioeng ６０(５)：５８９−９５)。シアリダーゼ遺伝子の異なる領域を用いることにより、幾つかのアンチセンス発現ベクターを製造した。プロマイシン耐性を付与するベクターとアンチセンス構築物のコトランスフェクションにより、４０を越えるプロマイシン耐性クローンが生成され、これらをシアリダーゼ活性についてスクリーニングした。ＳＶ４０ベースの発現ベクターにおいて逆配向でのシアリダーゼｃＤＮＡの５' ４７４ｂｐコーディングセグメントは、約４０％野生型値にシアリダーゼ活性を最大限低減化させた。
【０１８８】
哺乳類細胞におけるオリゴ糖生合成経路は、組換え糖蛋白質生成について遺伝子操作されている(例えば、Sburlati(１９９８)Biotechnol Prog １４(２)：１８９−９２参照、これは、糖蛋白質で二分されたオリゴ糖を生産し得るチャイニーズハムスター卵巣(ＣＨＯ)セルラインについて記載している)。組換え体Ｎ−アセチルグルコサミニルトランスフェラーゼIII(ＧｎＴ−III)の過剰発現によりこのセルラインを製造した(また、Prati et al.(１９９８)Biotechnol Bioeng ５９(４)：４４５−５０参照、これは、ＣＨＯ細胞のグリコシル化遺伝子操作についてのアンチセンスストラテジーについて記載している)。
【０１８９】
３)細胞成長中におけるアンモニウム蓄積を減少させるための因子の発現
ＣＨＯ細胞代謝の副産物である過剰のアンモニウムは、細胞の成長およびタンパク質の品質に対し有害な影響を及ぼし得る(Yang et al.(２０００)Biotechnol Bioeng ６８(４)：３７０−８０参照)。この問題を解決するため、ＣＨＯ細胞でカルバモイルリン酸シンテターゼＩおよびオルニチントランスカルバモイラーゼまたはグルタミンシンテターゼを過剰発現させることにより、アンモニウムレベルを修正した。上記修正の結果、アンモニウムレベルの低減化および成長速度の増加が観察された(Kim et al.(２０００)J Biotechnol ８１(２−３)：１２９−４０、およびEnosawa et al.(１９９７)Cell Transplant ６(５)：５３７−４０参照)。
【０１９０】
４)タンパク質分泌およびタンパク質折りたたみを改善するための因子の発現
関連酵素の過剰発現は、ＡＣｅｓへ遺伝子操作により導入されることにより、タンパク質分泌および折りたたみを改善させ得る。
【０１９１】
５)血清不含有トランスフェクションおよび選択を可能にする因子の発現
血清不含有培地で懸濁培養されているＣＨＯ細胞を、血清添加に頼る必要なく接着性に変換する能力を有することは有利である。ラミニンまたはフィブロネクチンの添加は、細胞を接着性にするのに十分であるため(例えば、Zaworski et al.(１９９３)Biotechniques１５(５)：８６３−６)、誘導性プロモーター下でのＣＨＯ細胞においてこれらの遺伝子を発現させることにより、血清添加を必要とせずに当然可逆的に接着性へシフトさせることができる。
【０１９２】
２．プラットホームＡＣｅｓおよび遺伝子治療
本発明で提供されるプラットホームＡＣｅｓは、哺乳類遺伝子治療、特にヒト遺伝子治療での使用が考えられる。ヒトＡＣｅｓは、ヒト宿主細胞からのヒト末端動原体染色体から誘導され得、ここで増幅された配列はヘテロクロマチン質および／またはヒトｒＤＮＡである。異なる組織細胞型に適用可能な異なるプラットホームＡＣｅｓが提供される。遺伝子治療用ＡＣｅｓは、プラットホームＡＣｅｓにおいて規定された位置へ挿入された遺伝子の単一コピーを含み得る。治療遺伝子は、ゲノムクローン、ｃＤＮＡ、ハイブリッド遺伝子および他の配列組み合わせを含む。好ましい選択マーカーは、哺乳類宿主からのもの、例えばヒト由来の因子であるため、それらは非免疫原性、非毒性であり、例えばＦＡＣＳおよび／または薬剤耐性による、有効な選択を可能にする。
【０１９３】
本明細書で示されている通り、遺伝子治療および他の適用法に有用なプラットホームＡＣｅｓは、メガレプリケーター依存的増幅により、例えば米国特許第６０７７６９７および６０２５１５５号および公開国際ＰＣＴ出願第ＷＯ９７／４０１８３号における方法により生成され得る。一実施態様において、ヒトＡＣｅｓは、ヒト末端動原体染色体においてｒＤＮＡアレイをターゲッティングし、ヒト細胞、特に一次セルライン(ＡＣｅｓの形成に十分な倍加数を伴う)または幹細胞(例えば造血幹細胞、間葉幹細胞、成人幹細胞または胚性幹細胞)でメガレプリケーターを誘導することにより、多くの形質転換セルラインに存在する潜在的に危険な再転位ＤＮＡ配列の誘導を回避するヒトｒＤＮＡ構築物を用いて製造される。メガレプリケーター誘導によるＡＣｅｓ形成の結果、プラットホームＡＣｅｓの両染色体アームでの各増幅ブロックにおいてターゲッティングＤＮＡ／選択マーカーの多数のコピーを生じさせ得る。
【０１９４】
免疫原性および毒性に関して考慮するという観点で、遺伝子治療適用についてのヒトプラットホームＡＣｅｓの製造では、細胞タンパク質生産用に設計されたプラットホームＡＣｅｓ(ＣＰＰプラットホームＡＣｅｓ)と類似した２成分系を使用する。この系は、多重遺伝子操作部位を含む完全にヒトＤＮＡ起源のプラットホーム染色体および興味の対象である治療遺伝子をもつ遺伝子標的ベクターを含む。
【０１９５】
ａ．プラットホーム構築
プラットホーム染色体の最初の新たな構築では、過剰のターゲッティングＤＮＡおよび選択マーカーのコトランスフェクションを使用する。一実施態様において、ＤＮＡをヒト末端動原体染色体(染色体１３、１４、１５、２１および２２)におけるｒＤＮＡアレイにターゲッティングさせる。例えば、２種の大型ヒトｒＤＮＡ含有ＰＡＣクローン１８７１４および１８７２０およびヒトＰＡＣクローン５５８Ｆ８は、ターゲッティングに使用される(ゲノム・リサーチ(ＭＬ)現インサイト、ＢＡＣＰＡＣリソーシズ、７４７ ５２番ストリート、オークランド、カリフォルニア)。マウスｒＤＮＡクローンｐＦＫ１６１(配列番号１１８)は、９４−３ハムスター／ヒトハイブリッドセルラインからのヒトＳＡＴＡＣ製造に使用されたものであり(ｐＦＫ１６１の記載については、例えば、公開国際ＰＣＴ出願第ＷＯ９７／４０１８３号およびCsonka et al．Journal of Cell Science１１３：３２０７−３２１６１および実施例１参照)、これもまた使用され得る。
【０１９６】
動物適用の場合、選択マーカーは、動物、例えばヒトにおいて非免疫原性であるべきであり、限定されるわけではないが、ヒト神経発育因子受容体(ＭＡｂにより検出、例えば米国特許第６３６５３７３号に記載)、切形ヒト成長因子受容体(ＭＡｂにより検出)、突然変異体ヒトジヒドロ葉酸レダクターゼ(ＤＨＦＲ；蛍光ＭＴＸ基質利用可能)、分泌性アルカリ性ホスファターゼ(ＳＥＡＰ、蛍光基質利用可能)、ヒトチミジル酸シンターゼ(ＴＳ；抗癌剤フルオロデオキシウリジンに対する耐性を付与)、ヒトグルタチオンＳ−トランスフェラーゼアルファ(ＧＳＴＡ１；グルタチオンを幹細胞選択性アルキル化剤ブスルファンにコンジュゲート；ＣＤ３４＋細胞における化学保護性選択可能マーカー)、造血幹細胞におけるＣＤ２４細胞表面抗原、Ｎ−ホスホンアセチル−Ｌ−アスパラギン酸(ＰＡＬＡ)に対する耐性を付与するヒトＣＡＤ遺伝子、ヒト多剤耐性―１(ＭＤＲ−１；多剤耐性増強またはＦＡＣＳによる濃厚化により選択可能なＰ−糖タンパク質表面タンパク質)、ヒトＣＤ２５(ＩＬ−２α、Ｍａｂ−ＦＩＴＣにより検出可能)、メチルグアニン‐ＤＮＡメチルトランスフェラーゼ(ＭＧＭＴ；カルムスチンにより選択可能)、およびシチジンデアミナーゼ(ＣＤ；Ａｒａ−Ｃにより選択可能)が含まれる。
【０１９７】
メガレプリケーター誘導増幅により、多コピーの選択マーカーが生成されるため、ヒトマーカーの選択について考えるべき第二の点は、ＡＣｅｓ形成後に発現されたマーカーの用量である。ある種のマーカーの高レベル発現は、細胞にとって有害であり、および／または自己免疫性を誘発し得る。マーカータンパク質用量を減少させる一法は、例えば十分に保存されたヒトユビキチン標識(７６アミノ酸配列)を融合して選択マーカーの代謝回転の増加をまねくことによって、その半減期を短くすることによる方法である。これは、ＤＨＦＲを含む若干のリポーター系について有効に使用されている(例えば、Stack et al．(２０００)Nature Biotechnology)１８：１２９８−１３０２およびそこに引用された参考文献参照。
【０１９８】
ユビキチン標識タンパク質を用いると、本明細書記載のＣＰＰ ＡＣｅｓに類似したヒト選択マーカー系が構築される。簡単に述べると、標識選択マーカー、例えば本明細書記載のものの一つを、ａｔｔＰ部位の下流にクローン化し、ヒトプロモーターから発現させる。本発明での使用が考えられるプロモーターの具体例には、限定されるわけではないが、ヒトフェリチン重鎖プロモーター(配列番号１２８)、ＲＮＡ Ｐｏｌｌ、ＥＦ１α、ＴＲ、グリセルアルデヒド−３−リン酸デヒドロゲナーゼコアプロモーター(ＧＡＰ)、近位インシュリン誘導性エレメントおよび介在ＧＡＰ配列を含むＧＡＰコアプロモーター、ホスホフルクトキナーゼプロモーターおよびホスホグリセレートキナーゼプロモーターがある。また、ここでは近位Ｈエンハンサーと一緒にアルドラーゼＡプロモーターＨ１＆Ｈ２(密接な間をおいた転写開始部位を表す)も考えられる。この遺伝子については４プロモーター(例、転写開始部位)があり、各々異なる調節および組織活性を有する。Ｈ(最も近位２)プロモーターは、Ｈエンハンサーから遍在的に発現される。次いで、得られたこのマーカーは、過剰のヒトｒＤＮＡターゲッティング配列と一緒に宿主細胞へコトランスフェクションされ得る。受容細胞選択についての重要な基準は、ＡＣｅｓの形成および検出に十分な細胞倍加数である。したがって、コトランスフェクションは、長期間培養され得るヒト一次細胞、例えば幹細胞(例、造血、間葉、成人または胚性幹細胞)などで試みられるべきである。追加の細胞型には、限定されるわけではないが、寿命の増加を呈する単一遺伝子トランスフェクション細胞、過剰発現性ｃ−ｍｙｃ細胞、例えばＭＳＵ１.１(Morgan et al.１９９１、Exp.Cell Res.、１１月、１９７(１)：１２５−１３６)、過剰発現性テロメア系統、例えばＴＥＲＴ細胞、ＳＶ４０大型Ｔ抗原トランスフェクション系統、腫瘍セルライン、例えばＨＴ１０８０、およびハイブリッドヒトセルライン、例えば９４−３ハムスター／ヒトハイブリッドセルラインがある。
【０１９９】
ｂ．遺伝子標的ベクター
ＧＴプラットホームＡＣｅｓ(ＧＴ ＡＣｅｓ)系の第二成分は、興味の対象である治療遺伝子をもつ遺伝子操作された標的ベクターの使用を含む。部位特異的組換えを介してこれらをＧＴプラットホームＡＣｅｓへ導入する。ＣＰＰ ＡＣｅｓの場合と同様、遺伝子操作された標的ベクターを用いると、ほとんどの遺伝子標的について新たに生成されたＧＴプラットホームＡＣｅｓの使用が最大限にされる。さらに、ラムダインテグラーゼ技術を用いると、多重ａｔｔＰ部位を含むＧＴプラットホームＡＣｅｓは、多重治療標的を単一プラットホームへ組込ませる機会を可能にする。規定された治療が多重遺伝子標的を必要とするか、単一治療標的が追加の遺伝子調節因子を必要とするか、またはＧＴ ＡＣｅｓが「殺す」スイッチを必要とする場合、これは貴重であり得る。
【０２００】
ＣＰＰ ＡＣｅｓと同様、遺伝子標的ベクターの一特徴は、上流ａｔｔＢ部位を含むプロモーター非随伴マーカー遺伝子である(図９におけるマーカー２)。通常、マーカー(この場合、ＦＡＣＳにより選別され得る細胞表面抗原が理想的である)は、それがプロモーター配列の下流に置かれなければ発現されない。ラムダインテグラーゼ技術(図９におけるλＩＮＴＥ１７４Ｒ)を用いると、ベクター上のａｔｔＢ部位とＧＴプラットホームＡＣｅｓ上のプロモーター‐ａｔｔＰ部位間における部位特異的組換えにより、遺伝子標的ベクターにおけるマーカー＃２の発現、すなわち部位特異的事象についての正の選択性が誘導される。ゲノムにおいてプロモーターに隣接するランダムな組込み(偽正選択)に対するＧＴ ＡＣｅｓでの部位特異的組換え事象は、ＰＣＲにより正確な事象を検出するようプライマーを設計することにより迅速にスクリーニングされ得る。
【０２０１】
治療遺伝子の発現については、ヒト特異的プロモーター、例えばフェリチン重鎖プロモーター(配列番号１２８)、ＥＦ１αまたはＲＮＡ Ｐｏｌｌが使用される。これらのプロモーターはｃＤＮＡコード化治療タンパク質の高レベル発現に関するものである。ｃＤＮＡ(またはさらにハイブリッドｃＤＮＡ／人工イントロン構築物)の発現に加えて、ＧＴプラットホームＡＣｅｓが、天然プロモーター配列から発現される興味の対象である治療遺伝子をもつ大型ゲノムフラグメントの遺伝子操作および発現に使用される。治療が正確な細胞特異的発現を必要とする状況または発現がｃＤＮＡに対しゲノムクローンから最善の形で達成される場合、これは重要である。
【０２０２】
３．例えば遺伝子治療(ＧＴ)で使用される選択マーカー
以下のものは、ヒトＡＣｅｓに組込まれ、選択に使用され得る選択マーカーである。
ヒトアルデヒドデヒドロゲナーゼクラスＩ遺伝子および突然変異ジヒドロ葉酸レダクターゼ遺伝子のレトロウイルス導入による４−ヒドロペルオキシシクロホスファミドおよびメトトレキセートに対する二相耐性
造血細胞への薬剤耐性の遺伝的導入は、高用量化学療法により誘発される骨髄抑制を克服する一法である。シクロホスファミド(ＣＴＸ)およびメトトレキセート(ＭＴＸ)は常用の非交差耐性薬剤であり、用量を増強させ得る造血細胞における二相薬剤耐性の生成により、抗腫瘍効果が高められ、薬剤耐性腫瘍の出現が回避され得るため、ＣＴＸおよびＭＴＸに対する耐性増加をもたらすヒト細胞質ゾルＡＬＤＨ−１−エンコーディングＤＮＡクローンおよびヒト二重突然変異ＤＨＦＲ−エンコーディングクローンを含むレトロウイルスベクター(Ｐｈｅ２２／Ｓｅｒ３１；構築物の記載においてＦ／Ｓと呼ばれる)を構築した(Takebe et al.(２００１)Mol Ther ３(１)：８８−９６)。この構築物は、患者を高用量ＣＴＸおよびＭＴＸ誘導骨髄抑制から保護するのに有用であり得る。ＡＣｅｓも同様に構築され得る。
【０２０３】
ヒトセルラインにおけるＮ−ホスホンアセチル−Ｌ−アスパラギン酸耐性の多重機構：カルバミル−Ｐ−シンテターゼ／アスパラギン酸トランスカルバミラーゼ／ジヒドロ‐オロターゼ遺伝子増幅は染色体２が再転位されているときのみ頻出する。
Ｎ−ホスホンアセチル−Ｌ−アスパラギン酸(ＰＡＬＡ)に耐性を示すげっ歯動物細胞は、普通、正常細胞で単一コピーのＣＡＤを含む同じ染色体アームの外延として存在する広く間をおいた縦列アレイにおいて、増幅されたカルバミル−Ｐシンテターゼ／アスパラギン酸トランスカルバミラーゼ／ジヒドロ‐オロターゼ(ＣＡＤ)遺伝子を必ず含む(Smith et al.(１９９７)Proc.Natl.Acad.Sci.U.S.A.９４：１８１６−２１)。対照的に、ＣＡＤの増幅は、幾つかのヒト腫瘍セルラインでは非常に稀である。最小の染色体再配列を有し、染色体２の再転位されていないコピーを伴うセルラインは、ＣＡＤの染色体内増幅をほとんど発現させない。これらの細胞は、ＣＡＤコピー数の増加を全く伴わずにアスパラギン酸トランスカルバミラーゼ活性を高める機構を通してＰＡＬＡに対し耐性になることが多いか、またはそれらは、同腕染色体２ｐを形成することによりまたは染色体２の余分な一コピーを保持することによりＣＡＤの余分な一コピーを獲得する。多くの染色体異常および染色体２の再転位コピーを伴う細胞では、再転位染色体からの縦列アレイとしてのＣＡＤの増幅は、ＰＡＬＡ耐性の最高頻度の機構である。ＰＡＬＡ耐性のこれらの異なる機構は全て、正常なヒト線維芽細胞で遮断される。すなわち、多コピーのＣＡＤ遺伝素を伴うＡＣｅｓは、ＰＡＬＡ耐性をもたらす。
【０２０４】
チミジル酸シンターゼおよびジヒドロ葉酸レダクターゼのレトロウイルス共発現は、フルオロピリミジンおよび抗葉酸耐性を付与する
造血細胞への優性選択マーカーのレトロウイルス遺伝子導入は、インビボ遺伝子修飾細胞の選択または化学療法剤の毒性作用の弱毒化に使用され得る。Fantz et al.((１９９８)Biochem Biophys Res Comm２４３(１)：６−１２)は、チミジル酸シンターゼ(ＴＳ)のレトロウイルス遺伝子導入により、ＴＳ指向性抗癌剤への耐性が付与されること、およびＴＳおよびジヒドロ葉酸レダクターゼ(ＤＨＦＲ)の共発現により、ＴＳおよびＤＨＦＲ細胞傷害性薬剤への耐性が付与されることを示した。エシェリキア・コリ(Escherichia coli)ＴＳ、ヒトＴＳ、およびヒトＴＳの残基３３におけるＴｙｒ〜Ｈｉｓ変異体(Ｙ３３ＨｈＴＳ)をコード化するレトロウイルスベクターを構築し、これらのベクターによりトランスフェクションした線維芽細胞は、ＴＳ指向性薬剤フルオロデオキシウリジン(ＦｄＵｒｄ、約４倍)に同等の耐性を付与した。Ｙ３３ＨｈＴＳおよびヒトＬ２２Ｙ ＤＨＦＲ(Ｌ２２ＹｈＤＨＦＲ)変異体の二相発現をコード化するレトロウイルスベクターは、ＦｄＵｒｄ(３〜５倍)およびトリメトレキセート(３０〜１４０倍)に対する耐性を付与した。またＬ２２ＹｈＤＨＦＲ−Ｙ３３ＨｈＴＳキメラレトロウイルスベクターも構築したところ、形質導入細胞はＥｄＵｒｄ(３倍)、ＡＧ３３７(３倍)、トリメトレキセート(１００倍)およびメトトレキセート(５倍)に耐性を示した。これらの結果は、組換え体レトロウイルスが、ＴＳおよびＤＨＦＲをコード化するｃＤＮＡの導入に使用され得、形質導入細胞における二相発現性はＴＳおよびＤＨＦＲ指向性抗癌剤に対する耐性を付与するのに十分なほど高いことを示している。ＡＣｅｓも同様にして構築され得る。
【０２０５】
ヒトＣＤ３４＋細胞は、グルタチオンＳ−トランスフェラーゼ・アルファを発現しない
ヒト造血ＣＤ３４＋細胞および骨髄におけるグルタチオンＳ−トランスフェラーゼ・アルファ(ＧＳＴアルファ)の発現を、ＲＴ−ＰＣＲおよびイムノブロッティングにより試験した(Czerwinski M.Kiem et al.(１９９７)Gene Ther４(３)：２６８−７０)。ＧＳＴＡ１タンパク質は、グルタチオンを幹細胞選択的アルキル化剤ブスルファンにコンジュゲートする。この反応は、人体からの化合物の主要排泄経路である。ヒト造血ＣＤ３４＋細胞および骨髄は、骨髄と比べてブスルファン毒性に対し比較的耐性がある臓器の肝臓に高レベルで存在したＧＳＴＡ１メッセージを発現しない。同様に、ヒヒＣＤ３４＋細胞およびイヌ骨髄は、ＧＳＴＡ１を発現しない。すなわち、ヒトＧＳＴＡ１は、ヒト幹細胞遺伝治療法での化学保護性選択マーカーであり、ＡＣｅｓ構築で使用され得る。
【０２０６】
遺伝子導入マーカーとしてＣＤ２４を用いるレトロウイルス形質導入造血細胞の選択
Pawliuk et al.((１９９４)Blood ８４(９)：２８６８−２８７７)は、レトロウイルス感染標的細胞の検出および選択を簡易化するための優性選択マーカーとしての細胞表面抗原の使用について研究した。ヒト細胞表面抗原ＣＤ２４の小コーディング領域(約２４０ｂｐ)を、骨髄増殖性肉腫ウイルス(ＭＰＳＶ)に基くレトロウイルスベクターへ導入し、次いでこれを用いて４日目５−フルオロウラシル(５−ＦＵ)処理ネズミ骨髄細胞を感染させた。感染手順終結の４８時間以内に、ＣＤ２４抗原に対して指向した抗体での蛍光活性化細胞選別(ＦＡＣＳ)によりＣＤ２４発現性細胞を選択した。これらの細胞の機能分析は、それらがインビトロクローン原性始原細胞および１２日目コロニー形成単位‐脾臓並びに競合的長期造血性再集団形成能を有する細胞を共に含むことを示した。レトロウイルス形質導入骨髄細胞の受容体で行った二重抗体標識試験は、ある程度の顆粒球、マクロファージ、赤血球および程度は劣るがＢおよびＴリンパ球が、４ヶ月後も依然として形質導入ＣＤ２４遺伝子を高レベルで発現していることを示した。造血系における著しい異常は、ＣＤ２４発現性細胞により再集団形成されたマウスからは全く検出されなかった。これらの結果は、レトロウイルスコード化マーカーとしてＣＤ２４細胞表面抗原を用いることにより、感染一次細胞の迅速かつ有効で非毒性のインビトロ選択が可能となり、それらの子孫の追跡および表現型分類が簡易化され、ほとんどの原始造血細胞における形質導入遺伝子の発現を調節するエレメントを同定する手段を提供することを示している。ＡＣｅｓも同様に構築され得る。
【０２０７】
デルタｈＧＨＲ、すなわち遺伝的形質導入ヒト細胞の分析および選択用バイオセーフティー細胞表面標識分子
ヒトおよびネズミ細胞のレトロウイルス形質導入および選択用選択マーカーは公知である(Garcia‐Ortiz et al.(２０００)Hum Gene Ther １１(２)：３３３−４６参照)。形質導入集団の細胞表面で発現された細胞は、リガンド(ｈＧＨ)結合し得るが、シグナル誘導に関与するドメインを欠くヒト成長ホルモン受容体の切形形態(デルタｈＧＨＲ)である。遺伝子操作された分子は、増殖を誘発したり、リガンド結合後アポトーシスから細胞を救出し得ない不活性タンパク質として標的細胞で安定して発現される。ヒト成人におけるｈＧＨＲは肝細胞でのみ高度発現され、ある種のリンパ球細胞集団では低レベルであることが報告されているため、この新規マーカーは広い適用スペクトルを有する。デルタｈＧＨＲ標識は、十分に特性確認された成人では非必須のホルモン系に属しており、ヒトでのｈＧＨ投与による臨床経験が十分行なわれているため、それは高いバイオセーフティー能を有する。幾つかのモノクローナル抗体(ＭＡｂ)の差次的結合特性は、デルタｈＧＨＲ−形質導入細胞の選択に使用される抗体を、ｈＧＨとの競合により溶離させるか、または別法として、ビオチニル化ｈＧＨを用いて標識細胞を捕獲する細胞救出法で使用されている。後者のシステムでは、最終精製集団は、ｈＧＨ(ヒト使用に認められている物質)含有培地において結合抗体を含まずに回収される。かかるシステムは、ＡＣｅｓ含有細胞を同定するのに使用され得る。
【０２０８】
４．植物における遺伝子評価および新規形質発見用トランスジェニックモデル
新規遺伝的組み合わせの評価および新規形質発見についての人工染色体を含む植物および植物細胞の使用は興味の対象である。したがって、人工染色体はまた、それらが顕著な量のＤＮＡを含み得るという事実により、非常に多くの遺伝子、したがって非常に多数の形質をコード化し得る。ここで、人工染色体は、一植物種から形成されたとき、第二の植物種で評価され得ると考えられる。そこで観察された表現型変化は、例えば、人工染色体内に含まれるＤＮＡ内に含まれる遺伝子の性質を示し得、このため新規遺伝活性が確認され得る。ユークロマチンＤＮＡを含むかまたはユークロマチンＤＮＡを部分的に含む人工染色体は、異質の植物細胞環境に導入されたときに新規形質の貴重な供給源としての役割を果たし得る。例えば、双子葉植物種から誘導された人工染色体は、双子葉植物人工染色体を導入することにより、単子葉植物種に導入され得ると考えられる。双子葉植物人工染色体は、発現された遺伝子を含むユークロマチンＤＮＡの領域を有する。
【０２０９】
人工染色体は、天然に存する植物ＤＮＡの大きな領域を人工染色体へ組込ませる方法で、天然に存する植物ＤＮＡによる人工染色体の組換えが可能になるように設計され得る。この方法により、人工染色体に新規遺伝活性を含ませ、そして新規形質をもたせることになる。例えば、人工染色体は、野生系統の染色体に存在するＤＮＡの一部分を人工染色体へ導入する条件下で穀物植物の野生系統へ導入され得る。人工染色体の単離後、野生系統由来のこの天然に存するＤＮＡ領域は、その時点で人工染色体に存在しており、栽培植物化された穀物種へ導入され、そして導入されたＤＮＡ内でコード化された遺伝子は発現され、有用性について評価され得る。新規形質および遺伝子系は、この方法で発見され得る。人工染色体は、植物細胞内における異種組換えを促進する配列を含むように修飾され得るか、または部位特異的組換え系として機能する遺伝子系を含むように修飾され得る。
【０２１０】
植物ＤＮＡにより組換え修飾された人工染色体は、異なる植物種における形質の発見および評価について多くの利点を提供する。一植物種からのＤＮＡを含む人工染色体を新規植物種に導入すると、新規形質および遺伝子が導入され得る。人工染色体のこの使用法により、一植物種から別の植物種への遺伝子の移動を阻止する有性的障害が克服され得る。この方法で人工染色体を用いると、多くの潜在的に貴重な形質が、典型的には野生種で見出される形質を含めて同定され得る。人工染色体についての他の貴重な適用例には、一植物種から別種へと大きなＤＮＡ領域を移動させ得ることが含まれ、例えば潜在的に貴重な形質、例えば改変された油、炭水化物またはタンパク質組成物をコード化するＤＮＡ、貴重な植物二次代謝物を生産し得る酵素をコード化する同義遺伝子、貴重な作物学的形質、例えば病気および昆虫耐性をコード化する遺伝子系、土壌細菌、例えば成長促進菌または窒素固定菌と連係し得る機能をコード化する遺伝子、または凍結、渇水または他のストレス耐容性を付与する形質をコード化する遺伝子について適用され得る。この方法で、人工染色体を用いることにより、貴重な形質をコード化する植物ＤＮＡの領域が発見され得る。
【０２１１】
人工染色体はまた、一植物種の天然染色体へ現時点では人工染色体に存するこれらの貴重な形質を導入し、それに続いて組込ませるよう設計され得る。この方法において、人工染色体は、一植物種で通常は見出される形質をコード化する大きなＤＮＡ領域を別の植物種へ導入するのに使用され得る。この方法では、新規形質を有するのに人工染色体をもつことをもはや必要とはしない植物細胞を誘導することが可能である。すなわち、人工染色体は、遺伝多様性の度合がさらに大きい植物を形成させ得る導入機構としての役割を果たす。
【０２１２】
前述の目的を達成させる人工染色体のデザインは、相同的組換えを行わせるための部位として作用し得る特異的ＤＮＡ配列の存在を人工染色体内に含ませ得る。例えば、アラビドプシス(Arabidopsis)のＤＮＡ配列が現時点では知られている。アラビドプシス(Arabidopsis)ＤＮＡの特異領域による組換えを行い得る人工染色体を構築するため、通常は潜在的興味の対象である遺伝子をコード化する染色体位置付近に位置するアラビドプシス(Arabidopsis)の一配列が、ここで提供されている方法により人工染色体へ導入され得る。潜在的興味の対象である遺伝子をコード化する領域に第二フランキング配列を提供する人工染色体内に第二のＤＮＡ領域を含ませ、人工染色体への、潜在的興味の対象である遺伝子をコード化する、全染色体領域の導入を確実にする二重組換え事象を促進するのが望ましい場合もあり得る。次いで、相同的組換えを可能にするＤＮＡ配列領域を含む、修飾された人工染色体を、アラビドプシス(Arabidopsis)細胞へ導入し、相同的組換え事象を選択し得る。
【０２１３】
マーカー遺伝子を含ませることにより、相同的組換え事象を選択させるのが好都合である。適切な相同的組換え事象により活性化されなければ、マーカー遺伝子は、好ましくは不活性である。例えば、米国特許第５２７２０７１号は、所望の相同的組換え事象が容易に評点され得るように、不活性植物遺伝子を組換え事象により活性化させる方法を報告している。同様に、米国特許第５５０１９６７号は、最初に植物ＤＮＡに導入されたサイレント選択遺伝子であって、適切な相同的組換え事象により活性化される遺伝子の活性化による相同的組換え事象の選択方法を報告している。これらの方法は両方とも、人工染色体および植物染色体間の組換えについて選択するため選択プロセスに含ませ得るよう適用され得る。一旦相同的組換え事象が検出され、人工染色体が一旦選択されると、これを単離し、受容細胞、例えばタバコ、トウモロコシ、小麦またはイネへ導入し、新たに導入されたＤＮＡ配列の発現を評価する。
【０２１４】
人工染色体を含む受容植物細胞または人工染色体を含む再生植物における表現型の変化により、正常な染色体環境における形質の発現制御に関与するＤＮＡ配列の天然配置を含め、植物細胞で天然に見出される条件下、アラビドプシス(Arabidopsis)ＤＮＡによりコード化された形質の性質が評価され得る。
【０２１５】
形質、例えば永続性のある真菌または細菌病耐性、新規油および炭水化物組成物、貴重な二次代謝物、例えば植物ステロール、フラボノイド、有効な窒素固定または鉱物使用、過度の渇水、加熱または低温に対する耐性は全て、植物種の異なる集団内で見出され、同義遺伝子により制御されることが多い。単一遺伝子形質転換技術を用いても、多くの貴重な形質を制御する遺伝子の多様性は評価できない。すなわち、これらの遺伝子を人工染色体へ組込むことにより、異種植物種におけるこれらの遺伝的組み合わせの有用性の迅速な評価が行われ得る。
【０２１６】
人工染色体の大規模秩序および構造は、異種植物種内における新たな有用性または新規表現型についてのスクリーニングにおいて若干の特有な利点を提供する。人工染色体が含み得る新たなＤＮＡの大きさは、非常に多数(何百万)の塩基対のＤＮＡであり、異種植物細胞において新たな有用性を有し得る潜在的に非常に多くの遺伝子を表し得る。人工染色体は、遺伝子発現にとっての「自然」環境であり、ゲノムへのランダム挿入により導入された遺伝子について見られる可変的遺伝子発現およびサイレンシングの問題は、当然観察されない。同様に、発現させるため遺伝子に操作を加える必要は無く、挿入された遺伝子が組換え体遺伝子である必要は無い。すなわち、遺伝子が最初に単離された種で観察されるところによると、導入された遺伝子からの発現は時間的および空間的であると予測される。これらの有用性についての貴重な特徴は、人工染色体を単離できること、および特有な遺伝子組成をもつ人工染色体をさらに単離、操作および他細胞へ導入できることである。
【０２１７】
すなわち、植物細胞における人工染色体および相同的組換えの使用は、多くの貴重な農作物形質の単離および同定に用いられ得る。
【０２１８】
大きな天然ＤＮＡ領域の単離および試験についての人工染色体の使用に加えて、人工染色体およびクローン化ＤＮＡの使用方法も考えられる。上記の場合と同様、人工染色体は、他の植物種由来のものを含む、大きなクローン化ＤＮＡ領域を運ぶのに使用され得る。
【０２１９】
新規ＤＮＡエレメントを人工染色体へそれが形成されているときに組込むことができれば、新しい遺伝的組み合わせ、またはモデル種、例えばアラビドプシス(Arabidopsis)についての「ゲノム的」発見を試験するためのプラットホームとして具体的に遺伝子操作された人工染色体の開発が可能となる。特異的「リコンビナーゼ」系が植物細胞で使用され、遺伝子を切除または再配置させ得ることは公知である。これらの同じ系を用いることにより、人工染色体に含まれる新しい遺伝子組み合わせが誘導され得る。
【０２２０】
人工染色体は、クローン化ＤＮＡの大きな領域を受け入れるプラットホームとして、例えば細菌性人工染色体(ＢＡＣ)または酵母人工染色体(ＹＡＣ)に含まれるものとして遺伝子操作され得る。さらに、縦列反復ＤＮＡブロックを含む人工染色体の典型的構造の結果として、クローン化ＤＮＡ配列以外の配列が組換え方法により導入され得ると考えられる。特に、人工染色体内における縦列反復ＤＮＡの予め規定された領域内での組換えにより、ＢＡＣまたはＹＡＣクローン内に含まれる大きなＤＮＡ領域を含む、非常に多くのクローン化ＤＮＡ領域を「積重ねる」機構が提供される。すなわち、遺伝子の多くの組み合わせが人工染色体に導入され、これらの組み合わせは機能性について試験され得る。特に、多くのＹＡＣまたはＢＡＣは、人工染色体に積重ねられ得、これらのＢＡＣまたはＹＡＣは複雑な経路の同義遺伝子または多遺伝子経路を含むと考えられる。ＢＡＣまたはＹＡＣは、典型的には公開ドメイン内で、例えばアラビドプシス(Arabidopsis)情報管理システム(http://aims.cps.msu.edu/aims/index.html)から得られる遺伝情報またはインスティテュート・フォー・ゲノミック・リサーチ(http://www.tigr.org)および当業者公知の他のサイトから入手できる植物ＤＮＡ配列に関連した情報に基づいて選択される。別法として、クローンは、無作為に選択され、機能性について評価され得る。所望の表現型を提供する組み合わせは、組み合わせを含む人工染色体を単離し、挿入されたクローン化ＤＮＡの性質を分析することにより同定され得ると考えられる。
【０２２１】
この点について、部位特異的組換え配列の使用は、リコンビナーゼ酵素により認識されるＤＮＡ配列を含み、これを含むＤＮＡ配列を受け入れ得る人工染色体の開発において重要な有用性を有し得ると考えられる。導入されたＤＮＡを特異的遺伝子座へターゲッティングする手段としての部位特異的組み合わせの使用は、当業界では既に立証されており、上記方法が使用され得る。リコンビナーゼ系はまた、天然に存する植物または哺乳類染色体へ人工染色体内に含まれるクローン化ＤＮＡ領域を導入するのに使用され得る。
【０２２２】
本明細書で示されている通り、多くの部位特異的リコンビナーゼは、公知であり、同定され得る(Kilby et al.(１９９３)Trends in Genetics ９：４１３−４１８)。広範に使用されている３種のリコンビナーゼ系は、ザイゴサッカロマイス・ロウキシイ(Zygosaccharomyes rouxii)のｐＳＲ１プラスミドによりコード化されたＲ、サッカロマイシス・セレヴィシエ(Saccharomyces cerevisiae)からの２μｍ環状プラスミドについてコードされたＦＬＰおよびファージＰ１からのＣｒｅ−ｌｏｘとして同定された活性を含む。
【０２２３】
部位特異的リコンビナーゼの組込み機能は、人工染色体における遺伝的組み合わせの誘導を助ける手段として考えられる。これを達成するため、本質的にランダムな方法で部位特異的リコンビナーゼ部位を植物細胞ゲノムへ導入する第一段階が行なわれ、それによって植物細胞は、植物染色体の一つまたはそれ以上において１個またはそれ以上の部位特異的リコンビナーゼ認識配列を有することになると考えられる。次いで、人工染色体を植物細胞へ導入し、部位特異的リコンビナーゼにより認識され得るリコンビナーゼ認識部位(例、組込み部位)を含むように人工染色体に遺伝子操作を加える。所望により、リコンビナーゼ酵素をコード化する遺伝子もまた、好ましくは誘導性プロモーターの制御下に含まれる。誘導性リコンビナーゼ遺伝子の誘導またはリコンビナーゼ配列の一時的発現による、植物細胞における部位特異的リコンビナーゼ酵素の発現は、部位特異的組換え事象の発生を誘発し、それによって人工染色体のリコンビナーゼ認識部位への植物染色体ＤＮＡ(リコンビナーゼ認識部位を含む)の一領域の挿入が誘導され、植物染色体ＤＮＡを含む人工染色体が形成される。人工染色体は、単離され、異種宿主、好ましくは植物宿主へ導入され得、新たに導入された植物染色体ＤＮＡの発現はモニターされ、望ましい表現型変化について評価され得る。したがって、染色体に位置するリコンビナーゼ認識部位が植物染色体全体にわたってランダムに散在している植物細胞の集団でこの組換えを実施することにより、各々植物染色体ＤＮＡの異なる領域を伴い、各々新規遺伝的組み合わせを潜在的に表す人工染色体の一集団の形成が誘導され得る。
【０２２４】
この方法は、人工染色体への染色体ＤＮＡの正確な部位特異的挿入を必要とする。この精度は当業界では立証されている。例えば、FukushigeおよびSauer((１９９２)Proc.Natl.Acad.Sci.USA、８９：７９０５−７９０９)は、哺乳類細胞の染色体において予め規定された遺伝子座へＤＮＡを導入するのにＣｒｅ−ｌｏｘ相同的組換え系が有効に使用され得ることを立証した。この立証では、コーディング領域の５'末端にｌｏｘ配列を含むように修飾が加えられたプロモーター非随伴抗生物質耐性遺伝子をＣＨＯ細胞へ導入した。細胞を、ｌｏｘ配列を伴うプロモーターおよび一時的に発現されたＣｒｅリコンビナーゼ遺伝子を含むプラスミドでのエレクトロポレーションにより再形質転換した。使用された条件下、Ｃｒｅ酵素の発現により、染色体に位置するプロモーター非随伴抗生物質耐性遺伝子におけるｌｏｘ部位、および導入されたプロモーター配列におけるｌｏｘ部位間での相同的組換えが触媒され、それによって機能性抗生物質耐性遺伝子の形成が誘導された。著者等が導入された配列の有効で正確なターゲッティングを立証したところ、Ｃｒｅの触媒作用によるｌｏｘ配列間での部位特異的相同的組換え故に、分析した５６ラインのうち５４は予測されたＤＮＡの単一コピー挿入に対応していた。
【０２２５】
したがって、ｌｏｘ配列は、まず形質転換され総体植物に再生され得る植物種のゲノムへ加えられることにより、人工染色体による組換えについてのリコンビナーゼ標的ＤＮＡ配列としての役割を果たし得る。ｌｏｘ配列は、さらに、不活性ではあるが人工染色体へのｌｏｘリコンビナーゼ認識配列の挿入により活性化され得る選択マーカーを含むよう最適に修飾され得る。
【０２２６】
プロモーター非随伴マーカー遺伝子またはリコンビナーゼ認識配列に結合された選択マーカー遺伝子は、まず植物細胞の染色体へ挿入され、プラットホーム染色体の遺伝子操作に使用され得る。プロモーターは、マーカーの発現をプロモーターに制御させ得る配向でリコンビナーゼ認識部位または人工染色体内での組換え時に選択マーカー遺伝子に結合される。植物染色体におけるリコンビナーゼ認識部位と導入された人工染色体内におけるリコンビナーゼ認識部位との間における部位特異的組換え事象が生じると、組換え人工染色体、すなわち細胞の同定および／または選択を可能にする活性マーカーまたは選択マーカー活性を含む人工染色体をもつ細胞が誘導される。
【０２２７】
人工染色体は、他の植物または動物種へ導入され、新たな組み合わせの機能性が試験され得る。配列のかかる染色体間移動が行われ得ることは、当業界では立証されている。例えばＣｒｅ−ｌｏｘリコンビナーゼ系の使用により、異なる染色体の２染色分体間における染色体組換え事象が誘発されることが示されている。
【０２２８】
かなり多数の組換え系、例えば、限定されるわけではないが、細菌由来の系、例えばファージラムダのａｔｔ／ｉｎｔ系、およびＧｉｎ／ｇｉｘ系が本明細書の記載に従い使用され得る。
【０２２９】
例えば、ＤＮＡを人工染色体へ導入するための一リコンビナーゼ系およびそれに続いて人工染色体内に含まれる新たに導入されたＤＮＡを第二植物種の天然染色体へ導入するための第二リコンビナーゼ系を含む、複数の組換え系が使用され得る。使用される特異的組換え系の選択は、意図された修飾の性質により異なる。
【０２３０】
人工染色体、特に部位特異的組換えを介して導入された植物染色体ＤＮＡを含む人工染色体を単離し、染色体を他の哺乳類または植物細胞、特に植物細胞へ再導入する能力を有することにより、これらの新たな組み合わせは、遺伝子の最初の単離および修飾や、同じ組み合わせの単離および植物における遺伝子の組み合わせの試験を行うのに多数の形質転換または遺伝子導入を必要とせずに、種々の農作物種で評価され得る。また、部位特異的リコンビナーゼの使用により、操作および試験を目的として、植物染色体領域が他の組換えＤＮＡベクターおよび系、例えば哺乳類または昆虫系へ好都合に回収され得る。
【０２３１】
また、本発明で提供されているプラットホームＡＣｅｓへ組込まれた部位特異的組換え系を利用する、真核生物ゲノムを伴う新規染色体組み合わせ、欠失、切頭化されたもののスクリーニングで使用されるＡＣｅｓ、セルラインおよび方法が考えられる。例えば、内在性染色体全体にわたってランダムに組込まれている多数の異種組換え部位を含む、ＡＣｅｓのライブラリーの作製に有用なセルラインが本発明では提供される。また、ゲノムのランダム部分を含むＡＣｅｓのライブラリーの作製方法であって、細胞の染色体ＤＮＡ内における多数の異種組換え部位への、およびそこからのＡＣｅｓの部位特異的染色体アーム交換を促進する条件下、内在性染色体全体にわたってランダムに組込まれた多数の異種組換え部位を含むセルラインへ１個またはそれ以上のＡＣｅｓを導入し、多数のＡＣｅｓを単離することによって、多様なＡＣｅｓがその中にゲノムの種々の部分を有するＡＣｅｓのライブラリーを製造する工程を含む方法も本発明では提供される。また本発明では、多数の細胞を含む、ゲノムスクリーニングに有用な細胞のライブラリーも提供され、そのライブラリーにおいて、各細胞は、そこに染色体核酸の相互限定的部分を有しているＡＣｅｓを含むものとする。細胞のライブラリーは、ＡＣｅｓ内の染色体核酸とは異なる種および／または細胞型に由来し得る。また、１個またはそれ以上のセルラインの製造方法であって、
ａ)選択された細胞種の内在性染色体ＤＮＡへ多数の異種組換え部位を組込み、
ｂ)細胞の内在性染色体ＤＮＡ内に組込まれた多数の異種組換え部位への、およびそこからのＡＣｅｓの部位特異的染色体アーム交換を促進する条件下で多数のＡＣｅｓを導入し、
ｃ)上記の多数のＡＣｅｓを単離することにより、多数のＡＣｅｓがそこに内在性染色体ＤＮＡの相互限定的部分を有しているＡＣｅｓのライブラリーを製造し、
ｄ)工程ｃ)で単離された多数のＡＣｅｓを多数の細胞へ導入することにより、細胞のライブラリーを製造し、
ｅ)相互限定的なＡＣｅｓをそこに有する種々の細胞を選択し、種々の細胞をクローン細胞培養物中へクローン的拡大または分化させることにより、１個またはそれ以上のセルラインを生成させる
工程を含む方法も提供される。
【０２３２】
これらのＡＣｅｓ、セルラインおよび方法は、正常および人工染色体において末端欠失を生じさせる方法(例、ＡＣｅｓ、Vollrath et al.、１９８８、PNAS、USA、８５：６０２７−６６０３１、およびPavan et al.、PNAS、USA、８７：１３００−１３０４に記載)、正常および人工染色体において間隙的欠失を生じさせる方法(Campbell et al.、１９９１、PNAS、USA、８８８：５７４４−５７４８に記載)、および２つのＡＣｅｓ間における相同的組換えを検出する方法(Cellini et al.、１９９１、Nuc.Acid Res.、１９(５)：９９７−１０００に記載)に関連したプラットホームＡＣｅｓ類似ＹＡＣ操作での部位特異的組換え部位を利用する。
【０２３３】
５．薬理ゲノム学／毒物学適用例におけるプラットホームＡＣｅｓの使用(「リポーターＡＣｅｓ」の開発)
治療タンパク質生産または遺伝子治療を目的としてＡＣｅｓ染色体へ遺伝子を配置させることに加えて、プラットホームは、特定リポーター遺伝子(または一連の異なるリポーター遺伝子)リードアウトにより測定される細胞生理学の変化を監視するリポーター結合構築物(リポーター遺伝子)をもつようにＩｎｔＲラムダインテグラーゼにより遺伝子操作され得る。リポーター結合構築物は、検出可能な遺伝子の発現を制御する公知調節配列で(例えば蛍光、薬剤耐性、免疫組織化学的反応、または転写物生産などにより)検出され得る遺伝子を含むように設計される。調節プロモーター配列の典型的な例は当業界では公知である。
【０２３４】
Ａ)薬剤経路スクリーニングについてのリポーターＡＣｅｓ
ＡＣｅｓは、シグナルが一つまたは若干の経路を通して伝達されていることを示すリポーター結合構築物をもつように遺伝子操作され得る。例えば、特定シグナル伝達経路の末端(または他の選択された点)にある遺伝子からの転写調節プロモーターは、経路が活性化されたとき(またはダウンレギュレーションされたときも)適切なリードアウトを表すようにＡＣｅｓで遺伝子操作され得る。一実施態様において、異なる経路からの若干のリポーターは、ＡＣｅｓ染色体に置かれ得る。かかるリポーターＡＣｅｓを含む細胞(および／または総体動物)を、様々な薬剤または化合物に暴露し、リポーター遺伝子(複数も可)により選択された経路(複数も可)に対する薬剤または化合物の効果についてモニターし得る。すなわち、薬剤または化合物は、それらが活性化またはダウンレギュレーションする特定経路により分類または同定され得る。同様に、ゲノムアレイ実験から得られた転写プロフィールは、ここで提供されたリポーターＡＣｅｓを用いて生物学的に実証され得る。
【０２３５】
Ｂ)毒性化合物試験用リポーターＡＣｅｓ
環境的または人為的遺伝子毒性物質は、ＤＮＡ損傷、誘導されたアポトーシスまたは壊死、および細胞周期摂動に応じて転写的に調節されるプロモーターに結合された若干のリポーター‐遺伝子プラットホームＡＣｅｓをもつセルラインで試験され得る。さらに、新規薬剤および／または化合物は、かかるスクリーンによりそれらの細胞／遺伝子傷害性についての遺伝子毒性物質ＡＣｅｓリポーターで同様に試験され得る。同様に、毒性化合物試験は、遺伝子毒性物質暴露を測定する(「炭鉱のカナリヤ」)ＡＣｅｓ染色体をもつ総体トランスジェニック動物で実施され得る。すなわち、同一または類似型ＡＣｅｓは、細胞に基くかまたは総体動物環境での毒性試験に使用され得る。一例には、様々なシトクロムＰ４５０プロファイルプロモーターなどにより制御されたリポーター結合遺伝子をもつＡＣｅｓが含まれる。
【０２３６】
Ｃ)個別化薬理ゲノム学／薬剤プロファイリング用のリポーターＡＣｅｓ
よくある病気でも様々な機構を介して生じ得る。多くの場合、所定の病気について利用可能な多数の治療法がある。しかしながら、所定の治療法の成果は、病気の起点となった機構および／または患者の遺伝的背景により異なり得る。所定の患者について最も有効な治療法を確立するため、本発明で提供されたＡＣｅｓリポーターが利用され得る。ＡＣｅｓリポーターを患者細胞標本で使用することにより、患者についての個別化薬剤摂取法が決定され得る。さらに、個体の特定遺伝子の転写調節に影響を及ぼす潜在的な多型性もこの方法により評価され得る。
【０２３７】
Ｄ)類似患者腫瘍の分類についてのリポーターＡＣｅｓ
上記５.Ｃ)に記載された他の病気と同様、癌細胞は、異なる機構を介して発生する。さらに、癌細胞が増殖するにしたがい、それはゲノム改変を被り得る。同じ病気、すなわち類似した癌を有する異なる患者の細胞へ導入されたＡＣｅｓリポーターを用いることにより、各患者の特定癌が類別され得、それによって最も有効な治療プログラムの識別が容易になる。例えば、それにはある種の乳癌のアレイプロファイリングの確認が含まれる。それに続いて、適切な薬剤プロファイリングが上記要領で実施され得る。
【０２３８】
Ｅ)「分化」センサーとしてのリポーターＡＣｅｓ
幹細胞または他の始原細胞において「分化」センサーとしてＡＣｅｓリポーターを用いることにより、特定種類の分化または非分化細胞について(ＦＡＣＳに基くスクリーニング、薬剤選択および／または自殺遺伝子の使用)選択による濃厚化が行われ得る。例えば、一実施態様で、この検定法はまた、細胞分化の小分子修飾因子についての化合物スクリーニングに使用され得る。
【０２３９】
Ｆ)リポーターＡＣｅｓによる総体動物試験
最後に、総体蛍光イメージング技術(Yang et al.(２０００)PNAS ９７：１２２７８)により、上記リポーターＡＣｅｓ方法のいずれかを総体イメージングと連係的に使用することにより、動物を殺さずとも総体動物内におけるリポーター遺伝子をモニターすることができる。これによって、与えられた一連の条件下での、発現パターンの時間的および空間的分析が行われ得る。試験される条件には、例えば、幹細胞の正常な分化、罹患組織にターゲッティングされるにせよ、または全身的に提示されるにせよ薬剤または化合物処理に対して示される応答、遺伝子毒性物質に対する応答などが含まれ得る。
【０２４０】
以下の実施例は、説明を目的として記載されているに過ぎず、本発明の範囲の限定を意図したものではない。
【実施例】
【０２４１】
実施例１
ｐＦＫ１６１
ドクターGyula Hadlaczkyから入手されたコスミドｐＦＫ１６１(配列番号１１８)は、ネズミｒＤＮＡ反復単位から誘導された９ｋｂのＮｏｔＩ挿入体を含む(このコスミドの記述については、Hadlaczky et al.によるＰＣＴ出願公開第ＷＯ９７／４０１８３号記載のクローン１６１参照)。このコスミドは、クローン１６１と称され、配列番号２６におけるヌクレオチド１０２３２〜１５０００に対応する配列を含む。それは、巨大染色体のフラグメントを挿入することにより製造された(米国特許第６０７７６９７号および国際ＰＣＴ出願第ＷＯ９７／４０１８３号参照)。例えば、受託番号９６０４０９２９としてヨーロピアン・コレクション・オブ・アニマル・セル・カルチャー(ＥＣＡＣＣ)に寄託された、Ｈ１Ｄ３は、この巨大染色体をもつマウス‐ハムスターハイブリッドセルラインであり、以下の要領でプラスミドｐＷＥ１５(ストラタジーン、ラジョラ、カリフォルニア、配列番号３１)に挿入された。単離されたＳＡＴＡＣを含む１００μｌ低融点アガロースブロック(メガ‐プラグ)の半分を、３７℃で一晩ＮｏｔＩにより消化した。プラスミドｐＷＥ１５も同様にＮｏｔＩで一晩消化した。次いで、メガ‐プラグを溶かし、消化されたプラスミド、ライゲーション緩衝液およびＴ４ ＤＮＡリガーゼと混合した。ライゲーションを一晩１６℃で実施した。細菌性ＤＨ５α細胞をライゲーション生成物により形質転換し、形質転換細胞をＬＢ／Ａｍｐプレートで平板培養した。合計１８９コロニーについて、１５〜２０コロニーを各プレートで培養した。プラスミドＤＮＡを、ＬＢ／Ａｍｐ培地における培養で生残っているコロニーから単離し、ｐＵＣ１９プローブにハイブリダイズしているＤＮＡの存在についてサザーンブロットハイブリダイゼーションにより分析した。このスクリーニング方法は、挿入体は欠くが、ｐＷＥ１５プラスミドを含むクローンまで含め、全てのクローンが検出されることを確実にした。
【０２４２】
１８９形質転換体全ての液体培養物を用いて、挿入体ＤＮＡ内における制限部位分析用のコスミドミニプレップを生成した。初めの１８９コスミドクローンのうち６が挿入体を含んでいた。これらのクローンを以下の通り称した：２８(＝９ｋｂ挿入体)、３０(〜９ｋｂ挿入体)、６０(〜４ｋｂ挿入体)、１１３(〜９ｋｂ挿入体)、１５７(〜９ｋｂ挿入体)および１６１(〜９ｋｂ)。制限酵素分析は、クローンのうち３つ(１１３、１５７および１６１)が同じ挿入体を含むことを示した。
【０２４３】
配列分析するため、コスミドクローン番号１６１の挿入体を以下の要領でサブクローニングした。クローン番号１６１の挿入体の末端フラグメントを得るため、クローンをＮｏｔＩおよびＢａｍＨＩで消化し、ＮｏｔＩ／ＢａｍＨＩ−消化ｐＢｌｕｅｓｃｒｉｐｔＫＳ(ストラタジーン、ラジョラ、カリフォルニア)とライゲーションした。クローン番号１６１の挿入体の２フラグメント：０.２ｋｂおよび０.７ｋｂ挿入体フラグメントを得た。クローン番号１６１の挿入体の内部フラグメントをサブクローニングするため、同じ消化物をＢａｍＨＩ−消化ｐＵＣ１９とライゲーションした。クローン番号１６１の挿入体の３フラグメント：０.６ｋｂ、１.８ｋｂおよび４.８ｋｂ挿入体フラグメントが得られた。
【０２４４】
挿入体は、配列番号１８として提供されている、ＧＥＮＢＡＮＫ受託番号Ｘ８２５６４に示された７５５１−１５６７０位間のマウスリボソームＲＮＡ遺伝子(ｒＤＮＡ)反復単位の内部セクションに対応する。クローン番号１６１の挿入体について得られた配列データを配列番号１９〜２５に示す。具体的には、個々のサブクローンは、ＧＥＮＢＡＮＫ受託番号Ｘ８２５６４(配列番号１８)および配列番号１９〜２５における以下の位置に対応していた。
【表２】
2005503778.tif 000003
【０２４５】
配列番号１９〜２５に示された配列は、ＧＥＮＢＡＮＫ受託番号Ｘ８２５６４の７５５１〜１５６７０位に提示された配列とは幾つかの位置が異なっている。上記相違は、ｒＤＮＡの反復単位間におけるランダムな突然変異に起因し得る。
【０２４６】
ここで使用するため、クローンからのｒＤＮＡ挿入体を、コスミドをＮｏｔＩおよびＢｇｌIIで消化することにより調製し、上記要領で精製した。細菌ストックの増殖および維持およびプラスミドの精製を、標準的な公知方法を用いて実施し(例えば、Sambrook et al.(１９８９)Molecular Cloning: A Laboratory Manual、第２版、コールドスプリングハーバー・ラボラトリー・プレス参照)、ミディ‐およびマキシ‐プレップキット(キアゲン、ミッシサウガ、オンタリオ)を用いてプラスミドを細菌培養物から精製した。
【０２４７】
ｐＤｓＲｅｄ１Ｎ１
このベクターは、クロンテックから入手され(配列番号２９参照)、赤色蛍光タンパク質(ＤｓＲｅｄ；Ｇｅｎｂａｎｋ受託番号ＡＦ２７２７１１；配列番号３９および４０)をコード化する。ＤｓＲｅｄは、鮮明な赤色蛍光を有しており、インド洋‐西太平洋地域イソギンチャク近縁生物ディスコソマ(Discosoma)種から単離された。プラスミドｐＤｓＲｅｄ１Ｎ１(クロンテック；配列番号２９)は、ＣＭＶプロモーターの制御下で蛍光タンパク質のヒト‐コドン最適化変異体を構成的に発現する。未修飾である、このベクターは、高レベルのＤｓＲｅｄ１を発現し、興味の対象であるタンパク質を多重クローニング部位(ＭＣＳ)へクローニングすることによりＮ−末端融合体を生成する部位を含む。それは、細菌または真核生物細胞で選択されるためＫａｎおよびＮｅｏ耐性である。
【０２４８】
プラスミドｐＭＧ
プラスミドｐＭＧ(インビボゲン、サンディエゴ、カリフォルニア、ｐＭＧのヌクレオチド配列については配列番号２７参照)は、イントロンＡを伴う即時型ヒトサイトメガロウイルス(ｈＣＭＶ)エンハンサー／プロモーターの制御下ハイグロマイシンホスホトランスフェラーゼ遺伝子を含む。ベクターｐＭＧはまた、単一ベクター配列からの２異種遺伝子の共発現を可能にする２つの転写単位を含む。
【０２４９】
ｐＭＧの第一転写単位は、興味の対象である遺伝子を挿入するための多重クローニング部位、ハイグロマイシンホスホトランスフェラーゼ遺伝子(ｈｐｈ)およびｈｐｈおよび多重クローニング部位の上流に位置するイントロンＡを伴う即時型ヒトサイトメガロウイルス(ｈＣＭＶ)エンハンサー／プロモーター(例えば、Chapman et al.(１９９１)Nuc.Acids Res.１９：３９７９−３９８６参照)を含み、このエンハンサー／プロモーターは、ｈｐｈおよびポリシストロンｍＲＮＡとして多重クローニング部位へ挿入された興味の対象である遺伝子の発現を駆動する。第一転写単位はまた、ｈｐｈ遺伝子の上流であるがｈＣＭＶプロモーターの下流にある修飾ＥＭＣＶリボソーム内部侵入部位(ＩＲＥＳ)およびｈｐｈ遺伝子の翻訳におけるリボソーム侵入用ＭＣＳを含む(配列番号２７、ヌクレオチド２７３６−３３０８参照)。ＩＲＥＳは、ＩＲＥＳの末端へのイントロン(ＩＭ７)内における構成的エシェリキア・コリ(E.coi)プロモーター(ＥＭ７)の挿入により修飾される。哺乳類細胞において、エシェリキア・コリ(E.coli)プロモーターは、イントロンとして処理され、転写物からスプライシングされる。ウシ成長ホルモン(ｂＧＨ)遺伝子からのポリアデニル化シグナル(例えば、GoodwinおよびRottman(１９９２)J.Biol.Chem.２６７：１６３３０−１６３３４参照)およびヒトα２グロビン遺伝子の３'フランキング領域から誘導されたポーズ部位(例えば、Enriquez-Harris et al.(１９９１)EMBO J.１０：１８３３−１８４２参照)は、第一転写単位の末端に位置する。標準ＡＡＵＡＡＡヘキサヌクレオチド配列へｂＧｈ遺伝子３'のフランキング配列を挿入することにより、有効なポリアデニル化が促進される。
【０２５０】
ｐＭＧの第二転写単位は、興味の対象である遺伝子を挿入するための別の多重クローニング部位およびこの多重クローニング部位の上流に位置するＥＦ−１α／ＨＴＬＶハイブリッドプロモーターを含み、このプロモーターは、多重クローニング部位に挿入された興味の対象である遺伝子の発現を駆動する。ハイブリッドプロモーターは、ヒトＴ細胞白血病ウイルス(ＨＴＬＶ)Ｉ型長末端反復(例えば、Takebe et al.(１９８８)Mol.Cell.Biol ８：４６６−４７２参照)のＲセグメントおよびＵ５配列部分(Ｒ−Ｕ５')を含む修飾ヒト伸長因子−１アルファ(ＥＦ−１アルファ)遺伝子プロモーター(例えば、Kim et al.(１９９０)Gene ９１：２１７−２２３)である。シミアンウイルス４０(ＳＶ４０)後期ポリアデニル化シグナル(CarswellおよびAlwine(１９８９)Mol.Cell.Biol.９：４２４８−４２５８参照)は、多重クローニング部位の下流に位置する。ベクターｐＭＧは、ウサギβ‐グロビン遺伝子に基き、ＡＡＴＡＡＡヘキサヌクレオチド配列および高ＧＴ／Ｔ配列およびそれらの間に２２〜２３ヌクレオチドを含む転写単位の末端に第一および第二転写単位についての合成ポリアデニル化部位を含む(例えば、Levitt et al.(１９８９)Genes Dev.３：１０１９−１０２５)。Ｃ２補体遺伝子(Moreira et al.(１９９５)EMBO J.１４：３８０９−３８１９参照)から誘導されたポーズ部位もまた、第二転写単位の３'末端に位置する。
【０２５１】
ベクターｐＭＧはまた、ＳＶ４０ポリアデニル化シグナルおよび合成ポリアデニル化部位間に位置するｏｒｉ配列(ｏｒｉ ｐＭＢ１)を含む。
【０２５２】
実施例２
Ａ．プラットホーム染色体の生成についてのターゲッティングベクターの構築およびＬＭｔｋ細胞へのトランスフェクション
ＳａｌＩ(クレノウ充填)／ＳｍａＩネオマイシン耐性含有フラグメントを、ＰｖｕII／ＢａｍＨＩ(クレノウ充填)プロマイシン耐性含有フラグメント(プラスミドｐＰＵＲから単離、クロンテック・ラボラトリーズ、インコーポレイテッド、パロアルト、カリフォルニア；配列番号３０)と置き換えることによりベクターｐＷＥ１５(ＧｅｎｅＢａｎｋ受託番号Ｘ６５２７９)から誘導されたターゲッティングベクターを修飾して、プラスミドｐＷＥＰｕｒｏを生成した。それに続いて、マウスｒＤＮＡ領域の一部分を含むプラスミドｐＦＫ１６１(配列番号１１８)からの９ＫｂのＮｏｔＩフラグメントを、ｐＷＥＰｕｒｏのＮｏｔＩ部位へクローン化することにより、プラスミドｐＷＥＰｕｒｏ９Ｋを生成した(図２)。ベクターｐＷＥＰｕｒｏ９ＫをＳｐｅＩで消化することにより線状化し、ＬＭｔｋ−マウス細胞へトランスフェクションした。プロマイシン耐性コロニーを単離し、それに続いて、蛍光ｉｎ ｓｉｔｕハイブリダイゼーション(ＦＩＳＨ)(マウスメジャーおよびマイナーＤＮＡ反復配列、プロマイシン遺伝子およびテロメア配列をプローブとして使用)、および蛍光活性化細胞選別(ＦＡＣＳ)により人工染色体形成について試験した。この選別から、ｐＷＥＰｕｒｏ９Ｋベクターに含まれるプロマイシン耐性遺伝子の４〜８コピーをもつ人工染色体を含むサブクローンを単離し、５Ｂ１１.１２と称した。５Ｂ１１.１２サブクローンのＦＩＳＨ分析は、ＡＣｅｓにおけるテロメアおよびマウスマイナー配列の存在を立証した。５Ｂ１１.１２ ＡＣｅｓにおいてＤＯＴ ＰＣＲを行うと、ＡＣｅｓにおいて特性確認されていないユーロクロマチン領域は存在しないことが示された。一組換え部位、例えば一ａｔｔまたはｌｏｘＰ遺伝子操作部位またはそれらの複数を、このＡＣｅｓへ導入することにより、異種核酸を部位特異的に導入するためのプラットホームが提供された。
【０２５３】
Ｂ．プラットホーム染色体への単一配列特異的組換え部位のターゲッティング
５Ｂ１１.１２プラットホームの生成後、相同的組換えを介して単一配列特異的組換え部位を染色体プラットホームに配置させる。これについては、部位特異的組換え配列を含むＤＮＡ配列の両端に、プラットホーム染色体と相同的なＤＮＡ配列を隣接させ得る。例えば、ｐＷＥＰｕｒｏ９Ｋベクターから調製されたプラットホーム染色体を用いて、マウスｒＤＮＡ配列またはマウスメジャーサテライトＤＮＡを相同性配列として使用することにより、プラットホーム染色体へターゲッティングさせ得る。これらの相同的配列が部位特異的組換え部位の両端に隣接するようにベクターを設計し、適切な制限酵素消化によりプラットホーム染色体との相同性を有する自由末端を生成させた後、プラットホーム染色体を含む細胞へＤＮＡをトランスフェクションする(図３)。マウスｒＤＮＡまたはマウスメジャー反復ＤＮＡを用いてプラットホーム染色体へターゲッティングされる部位特異的カセットの例には、ＳＶ４０−ａｔｔＰ−ハイグロカセットおよびｌｏｘＰ部位が両端に隣接する赤色蛍光タンパク質(ＲＦＰ)遺伝子がある(Ｃｒｅ／ｌｏｘ、例えば米国特許第４９５９３１７号およびここでの記載参照)。部位特異的カセットのトランスフェクションおよび組込み後、プラットホーム染色体への相同的組換え事象をサブクローニングし、ＦＡＣＳ(例、耐性または蛍光マーカーの発現を介したスクリーンおよび単細胞サブクローン)およびＰＣＲ分析により同定する。
【０２５４】
例えば、ＳＶ４０初期プロモーター‐バクテリオファージラムダａｔｔＰ部位‐ハイグロマイシン選択マーカーを含む遺伝子カセットの両端に隣接するマウスｒＤＮＡ遺伝子座の領域を含むベクターが構築され得る(図４および下記参照)。ラムダインテグラーゼ‐伝達部位特異的組換えについてのバクテリオファージラムダａｔｔＰ部位の使用は下記に記載されている。プラットホーム染色体へのＳＶ４０−ａｔｔＰ−ハイグロカセットの相同的組換え事象を、相同的組換えを検出するＰＣＲプライマーを用いて同定し、さらにＦＩＳＨ分析により確認した。単一部位特異的組換え部位を伴うプラットホーム染色体を含むサブクローン化コロニーを同定後、単一部位特異的組換え部位を伴うプラットホーム染色体をもつ細胞は、現時点で標的遺伝子発現ベクターを組込むように部位特異的リコンビナーゼ(例、ラムダＩＮＴ、Ｃｒｅ)により遺伝子操作され得る。
【０２５５】
Ｃ．５Ｂ１１.１２プラットホームへの、ｌｏｘＰ部位が両端に隣接した赤色蛍光タンパク質(ＲＦＰ)遺伝子のターゲッティング
別の例として、ｌｏｘＰ組換え部位は、新たな生合成中にＡＣｅｓへ既に導入されており、この結果、高い数のｌｏｘＰ部位を含むＡＣｅｓのセグメントを多数生じ得ることにより、Ｃｒｅ伝達組換え時に不安定さをまねく可能性があると考えられた。したがって、遺伝子ターゲッティング方法に修正を加えることにより、導入され、恐らくは共に増幅された内在性ｒＤＮＡ配列を含む５Ｂ１１−１２ＡＣｅｓの遺伝子座へさらに限られた数のｌｏｘＰ組換え部位を導入した。５〜１１染色体中に分布した半数体マウスゲノムにはｒＤＮＡ遺伝子の２００を越えるコピーが存在するが(株により異なる)、ｒＤＮＡ配列はサテライト反復配列の場合よりも低頻度の標的を表すためそれらをＡＣｅｓでの標的として選択した。さらに、他のＬＭＴＫ染色体とよりも、５Ｂ１１−１２ＡＣｅｓとの間でかなり強いｐＷＥＰｕｒｏ９Ｋハイブリダイゼーションが観察されており、ｒＤＮＡ内における転写されたスペーサー配列が、ｒＲＮＡコーディング領域ほどには保存され得ないという観察結果を考えると、ｐＷＥＰｕｒｏ９ＫにおけるｒＤＮＡ遺伝子セグメントに基いたターゲッティングベクターは、他のＬＭＴＫ染色体に対するよりもＡＣｅｓに対するターゲッティングの確率の方が高いことが予測された。したがって、ｐＷＥＰｕｒｏ９Ｋに含まれるｒＤＮＡ配列に基いてターゲッティングベクター、ｐＢＳＦＫＬｏｘＤｓＲｅｄＬｏｘを設計し、構築した。
【０２５６】
プラスミドｐＢＳＦＫＬｏｘＤｓＲｅｄＬｏｘを４工程で生成させた。第一に、ｐＷＥＰｕｒｏ９Ｋ(図２)のＮｏｔＩ ｒＤＮＡ挿入体を、ｐＢＳ ＳＫ(ストラタジーン)へ挿入することにより、ｐＢＳＦＫを生成させた。第二に、３'末端におけるＭ１３前進および逆プライミング部位と相補的なプライマーおよびＬｏｘＰ部位を含む３４ｂｐの５'伸長を用いたｐＮＥＢ１９３(配列番号３２；ニューイングランド・バイオラブズ)のＰＣＲ増幅により、ｌｏｘＰポリリンカーカセットを生成させた。このカセットをｐＮＥＢ１９３へ再挿入することにより、ｐ１９３ＬｏｘＭＣＳＬｏｘを生成させた。次いで第三に、ｐＤｓＲｅｄ１−Ｎ１(配列番号２９；クロンテック)からのＤｓＲｅｄ遺伝子を、ｌｏｘＰ部位間のポリリンカーへクローン化することにより、ｐ１９３ＬｏｘＤｓＲｅｄＬｏｘを生成させた。第四に、ｌｏｘＰ部位が両端に隣接するＤｓＲｅｄ遺伝子から成るフラグメントを、ｐＢＳＦＫのｒＤＮＡ挿入体内における特有のＮｄｅＩへクローン化して、ｐＢＳＦＫＬｏｘＤｓＲｅｄＬｏｘを生成させた。
【０２５７】
ｐＢＳＦＫＬｏｘＤｓＲｅｄＬｏｘのゲル精製１１Ｋｂ ＰｍｌＩ／ＥｃｏＲＶフラグメントを、トランスフェクションに使用した。ターゲッティングされた組込みを検出するため、ターゲッティングフラグメントには存在しないｐＷＥＰｕｒｏ９Ｋの５'ＮｏｔＩ−ＰｍｌＩフラグメント内におけるｒＤＮＡ配列(５'プライマー)およびＬｏｘＤｓＲｅｄＬｏｘカセット内の配列(３'プライマー)からＰＣＲプライマーを設計した。ターゲッティングＤＮＡがｒＤＮＡ配列内に正確に組込まれている場合、これらのプライマーを用いたＰＣＲ増幅により、２.３Ｋｂバンドが生じる。１〜４μｇのゲノムＤＮＡを含むＰＣＲ反応を、マスターＴａｑプロトコル(エッペンドルフ)にしたがって、ネズミｒＤＮＡ５'プライマー(５'−ＣＧＧＡＣＡＡＴＧＣＧＧＴＴＧＴＧＣＧＴ−３'；配列番号７２)およびＤｓＲｅｄ３'プライマー(５'ＧＧＣＣＣＣＧＴＡＡＴＧＣＡＧＡＡＧＡＡ−３'；配列番号７３)を用いて実施し、ＰＣＲ産物をアガロースゲル電気泳動により分析した。
【０２５８】
１.５×１０６５Ｂ１１−１２ＬＭＴＫ細胞を、リポフェクタミン・プラス(インビトロゲン)を用いて上記ｐＢＳＦＫＬｏｘＤｓＲｅｄＬｏｘターゲッティングＤＮＡ２μｇによりトランスフェクションした。フロー選別するため、採取した細胞を培地に懸濁し、励起用の４８８ｎｍレーザーおよびＲＦＰ蛍光の最適検出用５８５／４２バンドパスフィルターを備えたベクトン・ディッキンソン・ヴァンテージＳＥ細胞選別装置に適用した。シース緩衝液としてｄＰＢＳを用いて細胞を選別した。陰性対照親５Ｂ１１−１２細胞およびＤｓＲｅｄにより安定してトランスフェクションされた陽性対照ＬＭＴＫセルラインを用いて、選択ゲートを確立した。ＲＦＰ陽性ゲート集団を回収し、１×ペニシリン‐ストレプトマイシン(インビトロゲン)を補った培地に希釈し、次いで前記と同様に平板培養した。４ラウンドの濃厚化後、ＲＦＰ陽性細胞のパーセントは、５０％またはそれより高いレベルに達した。集団からのＤＮＡを、ターゲッティングされた組込みの証拠についてＰＣＲにより分析した。最終的に、単細胞サブクローンを陽性プールから確立し、ＰＣＲにより分析し、ＰＣＲ陽性クローンを下記要領でＦＩＳＨにより確認した。Lahm et al.、Transgenic Res.、１９９８、７：１３１−１３４に示された前記方法、または場合によってはWizard ゲノミックＤＮＡ精製キット(プロメガ)を用いて、ＤＮＡをプールまたは単細胞クローンから精製した。ＦＩＳＨ分析については、ＤｓＲｅｄ特異的プライマーおよびビオチン‐標識ｄＵＴＰ(５'ＲＦＰプライマー：５'−ＧＧＴＴＴＡＡＡＧＴＧＣＧＣＴＣＣＴＣＣＡＡＧＡＡＣＧＴＣＡＴＣ−３'、配列番号７４、および３'ＲＦＰプライマー：５'ＡＧＡＴＣＴＡＧＡＧＣＣＧＣＣＧＣＴＡＣＡＧＧＡＡＣＡＧＧＴＧＧＴＧＧＣＧＧＣＣ−３'；配列番号７５)を用いたＰＣＲにより、ビオチニル化ＤｓＲｅｄ遺伝子プローブを生成させた。ＤｓＲｅｄプローブのシグナル強度を最大にするため、製造業者のプロトコル(ＮＥＮ)にしたがってタイラミド増幅を実施した。
【０２５９】
安定してトランスフェクションされたクローンの薬剤選択による濃厚化に頼らないより一般的なターゲッティングストラテジーの実行可能性に関する試験方法は、以下の通り要約され得る。赤色蛍光タンパク質遺伝子(ＲＦＰ；ＤｓＲｅｄ遺伝子によりコード化)を、ターゲッティングベクターのｌｏｘＰ部位間に挿入することにより、ｐＢＳＦＫＬｏｘＤｓＲｅｄＬｏｘを生成させた。ｐＢＳＦＫＬｏｘＤｓＲｅｄＬｏｘによるトランスフェクション後、連続ラウンドの高速フローソーティングおよび培養中の選別細胞の拡大を用いることにより、ＲＦＰを発現する安定した形質転換体について濃厚化し得る。ターゲッティングされた組込み事象において、ｐＷＥＰｕｒｏ９Ｋにおける４５ｓ前ｒＲＮＡ遺伝子のセグメント内のスペーサー領域からターゲッティングカセットにおけるＤｓＲｅｄ遺伝子内の特異的アンカー配列まで増幅するプライマーによるＰＣＲスクリーニングにより、特徴的な２.３Ｋｂバンドが生じる。しかしながら、ｒＤＮＡクラスターは幾つかの染色体で見出されるため、ＡＣｅｓへのターゲッティングの確認には、蛍光ｉｎ ｓｉｔｕハイブリダイゼーション(ＦＩＳＨ)分析が必要とされる。最後に、ＤｓＲｅｄ遺伝子の両端にｌｏｘＰ部位が隣接していることにより、それは除去され、それに続いて興味の対象である他の遺伝子により置換され得る。
【０２６０】
５Ｂ１１−１２細胞へのターゲッティング配列のトランスフェクション後、赤色蛍光性細胞を検出するフローサイトメトリーおよびＰＣＲスクリーニングの組み合わせを用いて、ターゲッティングされたクローンの濃厚化を実施した。最終的に、１７の単細胞クローンが、ＰＣＲによりターゲッティングされた可能性のある細胞として同定され、これらのうち１６がＦＩＳＨによりＡＣｅｓへのＤｓＲｅｄ組込み事象を含むことが見出された。これらのサブクローンは、ここではＤ１１−Ｃ４、Ｄ１１−Ｃ１２、Ｄ１１−Ｈ３、Ｃ９−Ｃ９、Ｃ９−Ｂ９、Ｃ９−Ｆ４、Ｃ９−Ｈ８、Ｃ９−Ｆ２、Ｃ９−Ｇ８、Ｃ９−Ｂ６、Ｃ９−Ｇ３、Ｃ９−Ｅ１２、Ｃ９−Ａ１１、Ｃ１１−Ｅ３、Ｃ１１−Ａ９およびＣ１１−Ｈ４と称される。Ｄ１１−Ｃ４サブクローンから単離されたゲノムＤＮＡのＰＣＲ分析により、ｒＤＮＡ座へターゲッティングされた組込みを示す、２.３Ｋｂバンドが生じた。ＤｓＲｅｄ遺伝子プローブでのＦＩＳＨ分析によるサブクローンのさらなる分析は、ＡＣｅｓのｒＤＮＡ座へのターゲッティングされた組込みと一致する、５Ｂ１１−１２ＡＣｅｓで見られたｒＤＮＡ染色領域の一つと共に局在するＡＣｅｓにおけるＬｏｘＤｓＲｅｄＬｏｘターゲッティングカセットの組込みを立証しており、他の染色体での組込みは全く観察されなかった。選別および置換の幾つかの周期を通してトランスフェクション細胞を異種集団として維持したため、ターゲッティングされた事象の頻度を評価することは不可能であった。ほとんどの哺乳類セルラインにおいて、相同的組換えを介した遺伝子ターゲッティングの頻度は、ほぼ１０−５〜１０−７処理細胞である。哺乳類細胞におけるこれらの事象が低頻度であるにもかかわらず、ＲＦＰ発現に基くスクリーニングパラダイムをＰＣＲ分析と結び付けると、大集団における上記の稀な事象でも有効に検出および濃厚化することができることは明らかである。薬剤選択が可能ではないかまたは望ましくない場合、かかる系は有用な代替手段を提供し得る。また、サブクローンＤ１１−Ｃ４における修飾ＡＣｅｓがフローサイトメトリーにより精製され得ることも立証された。結果は、Ｄ１１−Ｃ４サブクローンのフローカリオグラムが５Ｂ１１−１２セルラインのそれからは改変されなかったことを示している。すなわち、Ｄ１１−Ｃ４ ＡＣｅｓは、宿主セルラインの天然染色体から高収率で精製され得る。
【０２６１】
Ｄ．ＡＣｅｓにおけるＬｏｘＰの単一部位への減数
ＤｓＲｅｄ遺伝子プローブを用いたＡＣｅｓでのＦＩＳＨにより検出される強いハイブリダイゼーションシグナルは、ターゲッティングカセットの幾つかのコピーが、Ｄ１１−Ｃ４ラインにおけるＡＣｅｓで存在し得ることを示唆している。これはまた、多数のｒＤＮＡ遺伝子が正確にターゲッティングされたことを示唆している。
【０２６２】
したがって、必要な場合のある種の実施態様において、部位が同一線上にあるとすれば、Ｃｒｅリコンビナーゼによるｉｎ ｓｉｔｕ処理により、ＡＣｅｓにおけるｌｏｘＰ部位の数は単一部位へ減数され得る。かかるプロセスは、天然マウス染色体における多数のｌｏｘＰがフランキングした組込みについて報告されている(Garrick et al.、Nature Genet.、１９９８年１月、１８(１)：５６−５９)。Ｄ１１−Ｃ４ ＡＣｅｓでの単一ｌｏｘＰ部位への減数の結果、ＤｓＲｅｄ遺伝子が失われ、この事象について有用なスクリーンの基礎が形成される。
【０２６３】
この目的のため、まずｅＧＦＰコーディング配列を含むｐＣＸ−ｅＧＦＰ(配列番号７１)のＥｃｏＲＩフラグメントを欠失し、それをＰＣＲ増幅したＣｒｅリコンビナーゼコーディング配列(配列番号５８)と置き換えてｐＣＸ−Ｃｒｅを生じさせることにより、Ｃｒｅ発現プラスミドｐＣＸ−Ｃｒｅ／ＧＦＰIIIを生成させた。次に、ｐＤ２ｅＧＦＰ−Ｎ１(ＳＶ４０ポリＡシグナルを伴うＤ２ＥＧＦＰ遺伝子を駆動するＣＭＶプロモーターを含む；クロンテック；配列番号８７)のＡｓｅＩ／ＳｓｐＩフラグメントを、ｐＣＸ−Ｃｒｅの満たされたＨｉｎｄIII部位へ挿入することにより、ｐＣＸ−Ｃｒｅ＼ＧＦＰIIIを生成させた。Ｃｒｅリコンビナーゼコーディング配列をアンチセンス配向で挿入すること以外、対照プラスミドｐＣＸ−ＣｒｅＲｅｖ＼ＧＦＰIIIも同様にして生成した。ＬＭＴＫ‐セルラインＤ１１−Ｃ４(多数のｌｏｘＰ‐ＤｓＲＥＤ部位を伴う第一世代プラットホームＡＣｅｓを含む)および５Ｂ１１−１２セルライン(ｌｏｘＰ−ＤｓＲＥＤ部位を全く伴わないＡＣｅｓを含む)を、上記と同様に培養中で維持する。前記と同様にリポフェクタミン(インビトロゲン)を用いて、２μｇのプラスミドｐＣＸ−Ｃｒｅ＼ＧＦＰIIIまたは２μｇのｐＣＸ−ＣｒｅＲｅｖ＼ＧＦＰIIIにより、Ｄ１１Ｃ４細胞をトランスフェクションする。
【０２６４】
トランスフェクションの４８〜７２時間後、トランスフェクションされたＤ１１−Ｃ４細胞を採取し、以下の要領でＦＡＣＳｔａヴァンテージ細胞選別装置(ベクトン‐ディッキンソン)を用いて細胞血球計算によりＧＦＰ陽性細胞を選別する。非トランスフェクション細胞により確立されたゲートレベルより高いＧＦＰ蛍光性を呈するｐＣＸ−Ｃｒｅ＼ＧＦＰIIIまたは対照プラスミドｐＣＸ−ＣｒｅＲｅｖ＼ＧＦＰIIIによりトランスフェクションされたＤ１１−Ｃ４細胞を全て、集め、さらに７〜１４日間培養状態に置く。７〜１４日後、最初のＤ１１−Ｃ４細胞を採取し、以下の要領で細胞血球計算により分析する。非トランスフェクションＤ１１−Ｃ４細胞を用いて、ＲＦＰ陽性集団を規定するゲートを確立し、５Ｂ１１−１２細胞を用いて、ＲＦＰ陰性ゲートを設定する。ｐＣＸ−Ｃｒｅ＼ＧＦＰIIIによりトランスフェクションされたＤ１１−Ｃ４のＧＦＰ陽性集団は、当然、ｐＣＸ−ＣｒｅＲｅｖ＼ＧＦＰIIIトランスフェクションまたは非トランスフェクション対照Ｄ１１−Ｃ４細胞と比べて低い赤色蛍光性を示す。ＲＦＰ発現が大きく減少しているか全く呈されない細胞を集め、それに続いて単細胞クローンを確立する。これらのクローンを拡大させ、蛍光ｉｎ ｓｉｔｕハイブリダイゼーションおよびサザーンブロッティングによって分析することにより、ｌｏｘＰ−ＤｓＲｅｄ遺伝子コピーの除去が確認される。
【０２６５】
実施例３
多重部位特異的組換え部位を含むプラットホーム染色体の生成を目的とするターゲッティングベクターの構築およびＬＭｔｋ−細胞へのトランスフェクション
染色体に基くプラットホーム生成についての選択マーカー系の一例を図４に示す。この系は、ＳＶ４０初期プロモーター、次にそれに隣接して(１)バクテリオファージラムダａｔｔＰ部位を含む２８２塩基対(ｂｐ)配列および(２)プロマイシン耐性マーカーを含むベクターを含む。最初に、プラスミドｐＰＵＲ(クロンテック・ラボラトリーズ、インコーポレイテッド、パロアルト、カリフォルニア、配列番号３０)からのＳＶ４０初期プロモーターを含むＰｖｕII／ＳｔｕＩフラグメントを、ｐＮＥＢ１９３(マサチューセッツ、ベヴァリーのニューイングランド・バイオラブズから入手されたＰＵＣ１９誘導体；配列番号３２)のＥｃｏＲＩ／ＣＲＩ部位へサブクローニングすることにより、プラスミドｐＳＶ４０１９３を生成した。ｐＵＣ１９とｐＮＥＢ１９３の唯一の差異はポリリンカー領域に存する。特有のＡｓｃＩ部位(ＧＧＣＧＣＧＣＣ)は、ＢａｍＨＩ部位とＸｂａＩ部位の間に位置し、特有のＰｍｅＩ部位(ＧＴＴＴＡＡＡＣ)は、ＰｓｔＩ部位とＳａｌＩ部位の間に位置する。
【０２６６】
以下のプライマー：
ａｔｔＰＵＰ：ＣＣＴＴＧＣＧＣＴＡＡＴＧＣＴＣＴＧＴＴＡＣＡＧＧ(配列番号１)
ａｔｔＰＤＷＮ：ＣＡＧＡＧＧＣＡＧＧＧＡＧＴＧＧＧＡＣＡＡＡＡＴＴＧ(配列番号２)
を用いて、ａｔｔＰ部位をラムダゲノム(ＧｅｎＢａｎｋ受託番号ＮＣ００１４１６)からＰＣＲ増幅した。
【０２６７】
生成したフラグメントを増幅し、精製した後、ａｔｔＰ部位をｐＳＶ４０１９３のＳｍａＩ部位へクローン化し、ａｔｔＰ部位の配向をＤＮＡ配列分析により測定した(プラスミドｐＳＶ４０１９３ａｔｔＰ)。プラスミドｐＰＵＲ(クロンテック・ラボラトリーズ、インコーポレイテッド、パロアルト、カリフォルニア)をＡｇｅＩ／ＢａｍＨＩで消化し、次いでクレノウでオーバーハングを満たすることにより、プロマイシン耐性(Ｐｕｒｏ)をコード化する遺伝子を単離し、それに続いてｐＳＶ４０１９３ａｔｔＰのａｔｔＰ部位の下流にあるＡｓｃＩ部位へクローン化することにより、プラスミドｐＳＶ４０１９３ａｔｔＰｓｅｎｓｅＰＵＲ(図４、配列番号１１３)を生成させた。
【０２６８】
プラスミドｐＳＶ４０１９３ａｔｔＰｓｅｎｓｅＰＵＲをＳｃａＩで消化し、プラスミドｐＦＫ１６１(配列番号１１８)と共にマウスＬＭｔｋ−細胞へトランスフェクションし、上記と同様にしてプラットホーム人工染色体を同定および単離した。この具体例としての多重部位特異的組換え部位含有プラットホームＡＣｅｓの調製方法を図５で概説する。この実験から生成する一プラットホームＡＣｅｓをＢ１９−１８と称す。それに続いて、このプラットホームＡＣｅｓ染色体は、本明細書の実施例７および８の記載にしたがって、ラムダインテグラーゼ伝達部位特異的組換え系を用いて標的遺伝子発現核酸を含むように遺伝子操作され得る。
【０２６９】
実施例４
人工染色体へのＲＦＰ発現ベクターのラムダインテグラーゼ伝達部位特異的組換え
この実施例では、赤色蛍光タンパク質(ＲＦＰ)を発現するベクターを製造し、ＬＭＴＫ−細胞内の人工染色体に存するａｔｔＰ部位へ組換えた。この組換えは図７に示されている。
【０２７０】
Ａ．野生型および突然変異体ラムダインテグラーゼを含む発現ベクターの構築
ラムダインテグラーゼタンパク質の１７４位にあるグルタミン酸での突然変異は、インビトロでの組換えおよびＤＮＡ超コイル形成中における補助タンパク質ＩＨＦについての必要条件を緩和するものである(Miller et al.(１９８０)Cell ２０：７２１−７２９；Lange-Gustafson et al.(１９８４)J.Biol.Chem.２５９：１２７２４−１２７３２参照)。この部位での突然変異は、哺乳類細胞におけるａｔｔＰ、ａｔｔＢ分子内組換えを促進する(Lorbach et al.(２０００)J.Mol.Biol ２９６：１１７５−１１８１)。
【０２７１】
突然変異体をコード化する核酸を構築するため、以下のプライマー：
Ｌａｍｉｎｔ１(配列番号３)
ＴＴＣＧＡＡＴＴＣＡＴＧＧＧＡＡＧＡＡＧＧＣＧＡＡＧＴＣＡＴＧＡＧＣＧ)
Ｌａｍｉｎｔ２(配列番号４)
(ＴＴＣＧＡＡＴＴＣＴＴＡＴＴＴＧＡＴＴＴＣＡＡＴＴＴＴＧＴＣＣＣＡＣ)
を用いて、ラムダインテグラーゼをバクテリオファージラムダＤＮＡ(ｃ１８５７ ｉｎｄ Ｓａｍ７；ニューイングランド・バイオラブズ)からＰＣＲ増幅した。生成したＰＣＲ産物をＥｃｏＲＩで消化し、ｐＵＣ１９のＥｃｏＲＩ部位へクローン化した。クイックチェンジ位置指定突然変異誘発キット(ストラタジーン)および以下のオリゴ(１７４位においてグルタミン酸からアルギニンへの変化を生じさせる)：
ラムダＩＮＴＥ１７４Ｒ
(配列番号６)
(ＣＧＣＧＣＡＧＣＡＡＡＡＴＣＴＡＧＡＧＴＡＡＧＧＡＧＡＴＣＡＡＧＡＣＴＴＡＣＧＧＣＴＧＡＣＧ)、
ＬａｍｉｎｔＲ１７４ｒｅｖ(配列番号７)
(ＣＧＴＣＡＧＣＣＧＴＡＡＧＴＣＴＴＧＡＴＣＴＣＣＴＴＡＣＴＣＴＡＧＡＴＴＴＴＧＣＴＧＣＧＣＧ)
を用いてラムダインテグラーゼをアミノ酸１７４位において突然変異させた。
【０２７２】
生成した部位指定突然変異体を配列分析により確認した。野生型および突然変異体ラムダ遺伝子を、ｐＣＸのＥｃｏＲＩ部位へクローン化することにより、ｐＣＸ−ＬａｍＩｎｔ(配列番号１２７)およびｐＣＸＬａｍＩｎｔＲ(図８、配列番号１１２)が生成された。
【０２７３】
プラスミドｐＣＸ(配列番号７０)を、プラスミドｐＣＸｅＧＦＰ(配列番号７１)から誘導した。ｅＧＦＰマーカーを含むＥｃｏＲＩフラグメントの切除により、ｐＣＸが生成した。プラスミドｐＣＸＬａｍＩＮＴＲ(配列番号１１２)を生成するため、ラムダインテグラーゼＥ１７４Ｒ(配列番号３７)突然変異を含むＥｃｏＲＩフラグメントを、ｐＣＸのＥｃｏＲＩ部位へクローン化し、プラスミドｐＣＸ−ＬａｍＩＮＴを生成するため、野生型ラムダインテグラーゼを含むＥｃｏＲＩフラグメントを、ｐＣＸのＥｃｏＲＩ部位へクローン化した。
【０２７４】
Ｂ．ａｔｔＢおよびＤｓＲｅｄを含む組込みベクターの構築
プラスミドｐＤｓＲｅｄＮ１(クロンテック・ラボラトリーズ、パロアルト、カリフォルニア；配列番号２９)を、ＨｐａＩで消化し、以下のアニーリングされたオリゴ：
ａｔｔＢ(配列番号８)
(ＴＧＡＡＧＣＣＴＧＣＴＴＴＴＴＴＡＴＡＣＴＡＡＣＴＴＧＡＧＣＧＡＡ)
ａｔｔＢ(配列番号９)
(ＴＴＣＧＣＴＣＡＡＧＴＴＡＧＴＡＴＡＡＡＡＡＡＧＣＡＧＧＣＴＴＣＡ)
にライゲーションした。生成したベクター(ｐＤｓＲｅｄＮ１−ａｔｔＢ)を、ＰＣＲおよび配列分析により確認した。
【０２７５】
Ｃ．ＬＭｔｋ−細胞へのトランスフェクション
リポフェクタミン・プラス試薬(ライフ・テクノロジーズ、ガイザーズバーグ、メリーランド)を用いて、プロトタイプＡ ＡＣｅｓ(Ｌ１−１８；クロモス・モレキュラー・システムズ、インコーポレイテッド、バーナビー、ＢＣカナダ)を含むＬＭ(ｔｋ−)細胞を、ｐＤｓＲｅｄＮ１またはｐＤｓＲｅｄＮ１−ａｔｔＢおよびｐＣＸＬａｍＩｎｔ(配列番号１２７)またはｐＣＸＬａｍＩｎｔＲ(配列番号１１２)により共トランスフェクションした。トランスフェクションされた細胞を、１０％ＦＢＳ(ＣａｎＳｅｒａ)およびＧ４１８(ＣａｌＢｉｏｃｈｅｍ)を１ｍｇ／ｍｌ濃度で補ったＤＭＥＭ(ライフ・テクノロジーズ、ガイザーズバーグ、メリーランド)中で成長させた。
【０２７６】
Ｄ．細胞選別による濃厚化
トランスフェクションされた細胞を、ＦＡＣｓヴァンテージＳＥ細胞選別装置(ベクトン・ディッキンソン)を用いて選別することにより、ＤｓＲｅｄを発現する細胞について濃厚化した。細胞を２００ワットでの４８８ｎｍアルゴンレーザーにより刺激し、５８５／４２検出チャンネルで蛍光を発している細胞を集めた。選別した細胞を成長培地に戻して回収および拡大した。ＤｓＲｅｄを発現する細胞について３連続濃厚化後、同じパラメーターを用いて９６ウェルプレートへの単細胞選別を行った。単細胞クローンのデュプリケイトプレートをＰＣＲ分析用に調製した。
【０２７７】
Ｅ．単細胞クローンのＰＣＲ分析
９６ウェルプレートの各横行および縦列からの細胞のプールをＤＮＡ単離に使用した。ウィザードゲノミックＤＮＡ精製キット(プロメガ・インコーポレイテッド、マディソン、ウィスコンシン)を用いてＤＮＡを調製した。ＤＮＡプールでの整列ＰＣＲ分析を遂行することにより、以下のプライマーセットを用いて部位特異的組換え事象を確認した：
ａｔｔＰｄｗｎ２(配列番号１０)
(ＴＣＴＴＣＴＣＧＧＧＣＡＴＡＡＧＴＣＧＧＡＣＡＣＣ)
ＣＭＶｅｎ(配列番号１１)
(ＣＴＣＡＣＧＧＧＧＡＴＴＴＣＣＡＡＧＴＣＴＣＣＡＣ)
次いで：
ａｔｔＰｄｗｎ(配列番号１２)
(ＣＡＧＡＧＧＣＡＧＧＧＡＧＴＧＧＧＡＣＡＡＡＡＴＴＧ)
ＣＭＶｅｎ２(配列番号１３)
(ＣＡＡＣＴＣＣＧＣＣＣＣＡＴＴＧＡＣＧＣＡＡＡＴＧ)。
【０２７８】
生じたＰＣＲ反応をゲル電気泳動により分析し、部位特異的組換え事象を含む可能性のある個々のクローンを、各９６ウェルプレートについてプールした横行および縦列全部のＰＣＲ結果を合わせることにより同定した。次いで、組換えジャンクションの両端に隣接する以下のプライマーを用いるＰＣＲにより、個々のクローンをさらに分析した。Ｌ１ｆｏｒおよびＦ１ｒｅｖは、ａｔｔＲジャンクションの両端に隣接し、ＲＥＤｆｏｒおよびＬ２ｒｅｖはａｔｔＬジャンクションの両端に隣接する(図７参照)：
Ｌｉｆｏｒ(配列番号１４)
ＡＧＴＡＴＣＧＣＣＧＡＡＣＧＡＴＴＡＧＣＴＣＴＴＣＡ
Ｆ１ｒｅｖ(配列番号１５)
ＧＣＣＧＡＴＴＴＣＧＧＣＣＴＡＴＴＧＧＴＴＡＡＡ
ＲＥＤｆｏｒ(配列番号１６)
ＣＣＧＣＣＧＡＣＡＴＣＣＣＣＧＡＣＴＡＣＡＡＧＡＡ
Ｌ２ｒｅｖ(配列番号１７)
ＴＴＣＣＴＴＣＧＡＡＧＧＧＧＡＴＣＣＧＣＣＴＡＣＣ。
【０２７９】
Ｆ．組換えジャンクションの配列分析
組換えジャンクションに及ぶＰＣＲ産物を、ｐｃＤＮＡ３.１Ｄ／Ｖ５Ｈｉｓ(インビトロゲン・インコーポレイテッド、サンディエゴ、カリフォルニア)へトポ(Ｔｏｐｏ)クローン化し、次いでサイクルシーケンシングにより配列決定した。サイクルシーケンシングにより正確なａｔｔＲおよびａｔｔＬジャンクションを有するクローンが確認された。
【０２８０】
Ｇ．蛍光Ｉｎ Ｓｉｔｕハイブリダイゼーション(ＦＩＳＨ)
ビオチンで標識したＤｓＲｅｄコーディング領域でプローブし、タイラミド・シグナル増幅システム(ＴＳＡ；ＮＥＮライフ・サイエンス・プロダクツ)で可視化することによる蛍光ｉｎ ｓｉｔｕハイブリダイゼーション(ＦＩＳＨ)により、正確な組換えジャンクション配列を含むセルラインを更に分析した。結果は、ＲＦＰ配列がＡＣｅｓに存在することを示している。
【０２８１】
Ｈ．サザン分析
正確な組換え事象を伴うＡＣｅｓを含むセルラインからゲノムＤＮＡを採取し、ＥｃｏＲＩで消化した。消化したＤＮＡを０.７％アガロースゲルで分離し、移動させ、ナイロン膜に固定し、ＲＦＰコーディング配列でプローブした。結果は、各クローンにＲＦＰコーディング配列の組込まれたコピーがあることを示していた。
【０２８２】
実施例５
ＲＦＰプラットホームＡＣｅｓへのＧＦＰをコード化する第二遺伝子の送達
Ａ．ａｔｔＢおよびＧＦＰを含む組込みベクターの構築(ｐＤ２ｅＧＦＰＩｒｅｓＰｕｒｏａｔｔＢ)
プラスミドｐＩＲＥＳｐｕｒｏ２(クロンテック、パロアルト、カリフォルニア、配列番号８８)を、ＥｃｏＲＩおよびＮｏｔＩで消化し、次いでｐＤ２ｅＧＦＰ−Ｎ１(クロンテック、パロアルト、カリフォルニア)からのＤ２ｅＧＦＰ ＥｃｏＲＩ−ＮｏｔＩフラグメントにライゲーションすることにより、ｐＤ２ｅＧＦＰＩｒｅｓＰｕｒｏ２を生成させた。それに続いて、ａｔｔＢ部位をコード化するオリゴをアニーリングし、ｐＤ２ｅＧＦＰＩｒｅｓＰｕｒｏ２のＮｒｕＩ部位へライゲーションすることにより、ｐＤ２ｅＧＦＰＩｒｅｓＰｕｒｏａｔｔＢを生成した。ＮｒｕＩ部位におけるａｔｔＢの配向をＰＣＲにより測定した。
【０２８３】
Ｂ．ＬＭｔｋ−細胞のトランスフェクション
リポフェクタミン・プラス試薬を用いて、多ａｔｔＰ部位を有する実施例４で製造されたＲＦＰプラットホームＡＣｅｓを含むＬＭｔｋ−細胞を、ｐＣＸＬａｍＩｎｔＲおよびｐＤ２ｅＧＦＰＩｒｅｓＰｕｒｏａｔｔＢによりコトランスフェクションした。各ベクター５μｇを、７５０μｌのＤＭＥＭ(ダルベッコ修飾イーグル培地)を含む管中へ入れた。プラス試薬２０μｌをＤＮＡに加え、室温で１５分間インキュベーションした。３０μｌのリポフェクタミンおよび７５０μｌのＤＭＥＭの混合物を、ＤＮＡ混合物に加え、さらに１５分間室温でインキュベーションした。次いで、５ｍｌのＤＭＥＭ中の１０ｃｍ皿に付着させた約３００万の細胞にＤＮＡ混合物を滴下した。細胞を４時間ＤＮＡ‐脂質混合物とインキュベーション(３７℃、５％ＣＯ２)した後、２０％胎児ウシ血清を含むＤＭＥＭを皿に加え、培養培地を１０％濃度の胎児ウシ血清にした。皿を５％ＣＯ２、３７℃でインキュベーションした。
【０２８４】
プラスミドｐＤ２ｅＧＦＰＩｒｅｓＰｕｒｏａｔｔＢは、ＩＲＥＳエレメントを介してＧＦＰ遺伝子に転写的に結合されているプロマイシン遺伝子を有する。トランスフェクションの二日後、細胞を４μｇ／ｍｌプロマイシン含有培地に置き、ゲノムに組込まれたｐＤ２ｅＧＦＰＩｒｅｓＰｕｒｏａｔｔＢプラスミドを含む細胞を選択した。プロマイシン選択の１７日後に２３クローンを単離した。これらのクローンを拡大させ、次いで、製造業者のプロトコルにしたがって２色(ＲＦＰ／ビオチンおよびＧＦＰ／ジゴキシゲニン)ＴＳＡ−ＦＩＳＨ(ＮＥＮ)によりＡＣｅｓにおけるＧＦＰの存在について分析した。２３クローンのうち１６が、ＧＦＰプローブによりＡＣｅｓにおいて陽性ＦＩＳＨシグナルを生じた。
【０２８５】
実施例６
ヒト間葉性幹細胞(ｈＭＳＣ)へのＡＣｅｓの送達
Ａ．トランスフェクション
ｈＭＳＣ(キャンブレックス・バイオウィタッカー製品コードＰＴ−２５０１、ロット番号Ｆ０６５８、イースト・ラザフォード、ニュージャージー)へのＡＣｅｓの最も有効な送達についてのトランスフェクション条件を、リポフェクタミン・プラスおよびスーパーフェクトを用いて検定した。１００万のプロトタイプＢ ＡＣｅｓ、すなわち、一次ネズミ動原体周囲ヘテロクロマチンを有し、ハイグロマイシンＢ選択マーカー遺伝子およびｌａｃＺリポーター遺伝子を含む「ペイロード」をもつネズミ由来の６０Ｍｂ ＡＣｅｓ(Telenius et al.、１９９９、Chrom.Res.、７：３−７；およびKereso et al.、１９９６、Chrom.Res.、４：２２６−２３９参照、各々出典明示で援用する)を、１〜１２μｌのトランスフェクション剤と合わせた。リポフェクタミン・プラスの場合、プラス試薬を１５分間ＡＣｅｓと合わせた後、さらに１５分間リポフェクタミンと合わせた。１００万のＡＣｅｓ当たり２μｌのスーパーフェクト割合でスーパーフェクトを１０分間複合体形成させた。次いで、ＡＣｅｓ／トランスフェクション剤複合体を、５０万受容細胞に適用し、製造業者のプロトコルにしたがってトランスフェクションを続行させた。トランスフェクションされた細胞のパーセントを、２００ｍＷで４８８ｎｍに調整したアルゴンレーザーを伴うＦＡＣＳヴァンテージフローサイトメーターで測定し、ＦＩＴＣ蛍光を標準ＦＩＴＣ５３０／３０ｎｍバンドパスフィルターを通して集めた。２４時間後、ＩｄＵｒｄ標識ＡＣｅｓを、トランスフェクション剤および用量により変えながら３０〜５０％の範囲でヒトＭＳＣに送達した。トランスフェクション試薬の用量を変えた実験で集めたデータからＡＣｅｓ送達曲線を作成した。ＩｄＵｒｄ標識ＡＣｅｓの移動により測定し、フローサイトメトリーにより検出した、受容ｈＭＳＣ細胞へのＡＣｅｓの送達を示すスーパーフェクトおよびリポフェクタミン・プラスの用量応答曲線を作製した。スーパーフェクトは、１００万ＡＣｅｓ当たり２μｌより多い用量で３０〜５０％の範囲において最大送達を示す。リポフェクタミン・プラスは、１００万ＡＣｅｓにつき５〜８μｌ前後で４２〜４８％送達ピークを有する。次いで、これらの用量曲線と毒性データとの相互関係を明らかにして非常に高い潜在的トランスフェクション効率を可能にするトランスフェクション条件を決定した。修正平板効率検定法(de Jong et al.、２００１、Chrom.Research、９：４７５−４８５)により、毒性を測定した。集団の正規化平板効率(最大送達量％で)は、スーパーフェクトで０.２〜０.４およびリポフェクタミン・プラスで０.５〜０.６の範囲であった。
【０２８６】
トランスフェクションされた集団は混合した細胞型から成るため、フローサイトメトリーにより各下位集団へのＡＣｅｓ送達の評価および標的集団の精製が行われた。前方散乱(細胞サイズ)および側方散乱(内部細胞粒度)を示すフロープロファイルは、３領域：Ｒ３(小細胞領域)、Ｒ４(中細胞領域)、Ｒ５(大細胞領域)へゲーティングされる３つの異なるｈＭＳＣ集団を表した。送達曲線を再分析し、各下位集団への送達の差異を評価することにより、トランスフェクション条件をさらに最適化した。混合集団の細胞サイズおよび粒度特性に基いたゲーティングにより表された各下位集団への送達％を示すスーパーフェクトおよびリポフェクタミンの用量応答曲線を作製した。３つの異なるｈＭＳＣ集団がゲーティングされ、送達用量％曲線を作製した。スーパーフェクトおよびリポフェクタミン・プラスを用いると、全体的送達％は細胞サイズと共に増加した(大細胞では８０〜９０％送達)。高用量(１００万ＡＣｅｓ当たり８〜１２μｌ)のリポフェクタミン・プラスは、小集団への染色体移動の全体比率の増加を示す(１０〜２０％)。これは、小未分化細胞集団が所望の標的宿主細胞である場合に、このトランスフェクション剤を使用することの利点を示唆している。
【０２８７】
Ｂ．ｈＭＳＣにおけるＡＣｅｓの遺伝子からの発現
上記(Ａ)項で行なわれた送達スクリーニング方法にしたがって、最も有望な結果のものをさらなる分析にかけることにより、発現をモニターし、構造的に無傷のＡＣｅｓの存在を証明した。これらの実験に使用したトランスフェクション条件は、スクリーニング過程で使用したものと正確に同一であった。「Ｄ１１Ｃ４」として実施例２Ｃで示されたＲＦＰ遺伝子(赤色蛍光タンパク質)を含むＡＣｅｓでｈＭＳＣをトランスフェクションすることにより、短期発現をモニターした。未選択集団をトランスフェクションの７２〜９６時間後に採取し、陽性蛍光細胞％をフローサイトメトリーにより測定した。ＲＦＰ発現は１〜２０％の範囲内であった。
【０２８８】
７〜１０日の期間にわたってハイグロマイシンＢ耐性細胞について選択することにより、長期発現を検定した。細胞遺伝学分析を行って、中期染色体をマウス主要サテライトＤＮＡプローブ(ネズミ動原体周囲ヘテロクロマチンをターゲッティングする)およびラムダプローブ(ｌａｃＺ遺伝子にハイブリダイズする)にハイブリダイズさせる、蛍光Ｉｎ Ｓｉｔｕハイブリダイゼーション(ＦＩＳＨ)により無傷ＡＣｅｓの存在を検出した。ヒト間葉性トランスフェクション培養物については、拡散したコロニーが形成し、拡大に利用可能な倍加数が限られているため、標準サブクローニングは行なわれなかった。細胞遺伝学的分析を集団全体に対して実施し、トランスフェクション後３〜１０日の期間にわたって試料を採取した。次いで、ハイグロマイシン耐性集団をコルチシンにより有糸分裂で遮断し、ＦＩＳＨにより無傷ＡＣｅｓの存在について分析した。予備的ＦＩＳＨ結果は、ｈＭＳＣトランスフェクション集団の約２〜８％が無傷ＡＣｅｓを有していたことを示す。これは、６０〜９５％の範囲であるラット骨格筋筋芽細胞クローンに匹敵した。ｈＭＳＣトランスフェクション集団における無傷ＡＣｅｓの％を増加させるため、実施例２Ｃに記載された濃厚化工程が使用され得る。
【０２８９】
Ｃ．ｈＭＳＣの分化
トランスフェクションされたｈＭＳＣ細胞を誘導して脂肪または骨細胞に分化させた初回実験において、結果は、トランスフェクション細胞が非トランスフェクション対照と同等の速度で分化していると思われ、顕微鏡検査、ＦＩＳＨ、オイルレッドＯ染色(脂肪細胞検定法)およびカルシウム分泌(骨細胞検定法)により試験したとことによると、培養物は系統特異的であることを示している。
【０２９０】
したがって、これらの結果は、本発明で提供される人工染色体(ＡＣｅｓ)がｈＭＳＣ標的細胞へ有効にトランスフェクションされ得ることを示している。ＭＳＣ(例えばｈＭＳＣ)をターゲッティングすることにより、細胞が拡大および純化し易い未分化状態の細胞への遺伝子移動が行われ得る。次いで、遺伝子修飾細胞は、インビトロで分化され得るかまたは微小環境が特異的細胞系統への形質転換を誘導するインビボ部位へ注入され得る。
【０２９１】
実施例７
プラットホームＡＣｅｓへのプロモーター非随伴マーカー遺伝子の送達
実施例３および４と同様にして、ｐＳＶ４０ａｔｔＰｓｅｎｓｅＰＵＲＯ(図４)を含むプラットホームを構築した。
【０２９２】
Ａ．ターゲッティングベクターの構築
ｐＬＩＴａｔｔＢＺｅｏ(配列番号９１)から得られた、ａｔｔＢＺｅｏを含む１０６７ｂｐのＨｉｎｄIII−ＳｓｐＩフラグメントを、ＨｉｎｄIIIおよびＳｓｐＩで消化したｐＵＣ１８(配列番号１２２)へライゲーションすることにより、基本ベクターｐ１８ａｔｔＢＺｅｏ(３１６６ｂｐ；配列番号１１４)を構築した。
【０２９３】
１．ｅＧＦＰ遺伝子を含むｐＣＸｅＧＦＰ(配列番号７１；Okabe et al.(１９９７)FEBS Lett ４０７：３１３−３１９)からの２９７７ｂｐのＳｐｅＩ−ＨｉｎｄIIIフラグメントを、ＨｉｎｄIIIおよびＸｂａIで消化したｐ１８ａｔｔＢＺｅｏ(配列番号１１４)へ挿入することにより、ｐ１８ａｔｔＢＺＥＯ−ｅＧＦＰ(６１１９ｂｐ；配列番号１２６)を構築した。
【０２９４】
２．ニワトリベータアクチンプロモーターの調節下にあるｅＧＦＰ遺伝子、ニワトリベータアクチンプロモーターの５'に位置する６コピーのＨＳ４コアエレメントおよびポリアデニル化シグナルを含む、ｐＣＸｅＧＦＰａｔｔＢ(６ＸＨＳ４)２(配列番号１２３)からの４４６５ｂｐのＨｉｎｄIIIフラグメントを、ｐ１８ａｔｔＢＺｅｏ(配列番号１１４)のＨｉｎｄIII部位へライゲーションすることにより、ｐ１８ａｔｔＢＺＥＯ−５'６ＸＨＳ４ｅＧＦＰ(図１０；７６３１ｂｐ；配列番号１１６)を構築した。
【０２９５】
３．ｐ１８ａｔｔＢＺｅｏ−(６ＸＨＳ４)２ｅＧＦＰ(配列番号１１０)から５'６ＸＨＳ４エレメントを除去することにより、ｐ１８ａｔｔＢＺｅｏ−３'６ＸＨＳ４ｅＧＦＰ(図１１、７６００ｂｐ；配列番号１１５)を製造した。ｐ１８ａｔｔＢＺｅｏ−(６ＸＨＳ４)２ｅＧＦＰをＥｃｏＲＶおよびＳｐｅＩで消化し、クレノウで処理し、再ライゲーションすると、ｐ１８ａｔｔＢＺｅｏ３'６ＸＨＳ４ｅＧＦＰ(配列番号１１５)が形成された。
【０２９６】
４．ｐ１８ａｔｔＢＺＥＯ−(６ＸＨＳ４)２ｅＧＦＰ(図１２；９０８０ｂｐ；配列番号１１０)を２工程で製造した。まず、６コピーのＨＳ４コアエレメントを含む、ｐＣＸｅＧＦＰａｔｔＢ(６ＸＨＳ４)２(配列番号１２３)からのＥｃｏＲＩ−ＳｐｅＩフラグメントを、ＥｃｏＲＩおよびＸｂａＩで消化したｐ１８ａｔｔＢＺｅｏ(配列番号１１４)へライゲーションして、ｐ１８ａｔｔＢＺｅｏ６ＸＨＳ４(４６１５ｂｐ；配列番号１１７)を製造した。次に、ｐ１８ａｔｔＢＺｅｏ６ＸＨＳ４をＨｉｎｄIIIで消化し、ニワトリベータアクチンプロモーターの調節下にあるｅＧＦＰ遺伝子、ニワトリベータアクチンプロモーターの５'に位置する６コピーのＨＳ４コアエレメントおよびポリアデニル化シグナルを含む、ｐＣＸｅＧＦＰａｔｔＢ(６ＸＨＳ４)２からの４４６５ｂｐのＨｉｎｄIIIフラグメントへライゲーションした。
【０２９７】
【表３】
2005503778.tif 000004
＊ＮＴ＝試験されず
【０２９８】
Ｂ．トランスフェクションおよび選択。
第２世代プラットホームＡＣＥを含むマウスセルライン、Ｂ１９−３８(実施例３に示した要領で構築された)を、皿１枚当たり約５００万細胞の割合で４枚の１０ｃｍ皿へ平板培養した。細胞を、３７℃および５％ＣＯ２での１０％胎児ウシ血清含有ＤＭＥＭ中で一晩インキュベーションした。翌日、細胞を上記実施例７.Ａ.で列挙した４ベクターの各々５μｇおよび５μｇのｐＣＸＬａｍＩｎｔＲ(配列番号１１２)により、１０ｃｍ皿１枚当たり合計１０μｇについてトランスフェクションした。リポフェクタミン・プラス試薬を用いて、製造業者のプロトコルに従って細胞をトランスフェクションした。トランスフェクションの２日後、ゼオシンを５００μｇ／ｍｌで培地に加えた。コロニーが形成するまで細胞を選択培地で維持した。次いで、コロニーを環状クローン化した(例えば、McFarland、２０００、Methods Cell Sci、３月；２２(１)：６３−６６参照)。
【０２９９】
Ｃ．クローンの分析(ＰＣＲ，配列決定)。
ゲノムＤＮＡを、ウィザードキット(プロメガ)により製造業者のプロトコルにしたがって候補クローンの各々から単離した。以下のプライマーセットを用いて、ゼオシン耐性クローンから単離されたゲノムＤＮＡを分析した：５ＰａｃＳＶ４０‐ＣＴＧＴＴＡＡＴＴＡＡＣＴＧＴＧＧＡＡＴＧＴＧＴＧ ＴＣＡＧＴＴＡＧＧＧＴＧ(配列番号７６)；アンチセンスＺｅｏ‐ＴＧＡＡＣＡＧＧＧＴＣＡＣＧＴＣＧＴＣＣ(配列番号７７)。上記プライマーおよび４ゼオシンベクターのいずれかの部位特異的組込みからのゲノムＤＮＡによるＰＣＲ増幅の結果、６７３ｂｐのＰＣＲ産物が得られた。
【０３００】
表２に示されている通り、ここまでにＰＣＲにより分析された４ゼオシン耐性候補クローンのうち、全部で４つが部位特異的組込み事象についての正確な配列を呈する。
【０３０１】
実施例８
部位特異的組換えによるＰＣＲ産物の組込み。
この実施例では、遺伝子をベクターへクローン化せずに、部位特異的組換えにより遺伝子をプラットホームＡＣｅｓへ組込む。
【０３０２】
Ａ．ＰＣＲプライマー設計
プライマーセットにおける一方のプライマーの５'末端にａｔｔＢ部位を含むようにＰＣＲプライマーを設計する。一つまたは複数プライマーであり得る、残りのプライマーは、ａｔｔＢ部位を含まないが、興味の対象である一遺伝子または複数遺伝子の両端に隣接する配列および付随する調節配列に相補的である。最初の実施例では、２プライマー(一方はａｔｔＢ部位を含む)を用いて、選択遺伝子、例えばプロマイシンを増幅させる。
【０３０３】
図１３に示されている通り第二の例では、プライマーセットは、上流プロモーターの増幅を伴わずにＧＦＰ遺伝子を増幅するプライマー１および２を含む。プライマー１は、オリゴの５'末端にａｔｔＢ部位を含む。プライマー３および４は、ベクターｐＩＲＥＳｂｌａｓｔｉｃｉｄｉｎからＩＲＥＳブラスチシジンＤＮＡ配列を増幅するように設計される。プライマー３の５'末端は、アニーリングが２つのプライマーの５'末端間で行われ得るようにプライマー２の５'末端に相補的な配列を含む。
【０３０４】
Ｂ．ＰＣＲ反応および後続のライゲーションによるＰＣＲ産物からの環状分子の生成
上記Ａ項で示された第一の例では、２つのＰＣＲプライマーを、プロマイシンＤＮＡ鋳型、例えばｐＰＵＲ(クロンテック)、熱安定性ＤＮＡポリメラーゼおよびＤＮＡ増幅に適切な条件と組合わせる。次いで、生成したＰＣＲ産物(ａｔｔＢ−プロマイシン)を精製し、自己ライゲーションさせると環状分子が生成する。
【０３０５】
上記Ａ項で示された第二の例では、ＧＦＰ遺伝子およびＩＲＥＳ−ブラスチシジン配列の増幅は、プライマー１および２をＤＮＡ鋳型ｐＤ２ｅＧＦＰおよびプライマー３および４を鋳型ｐＩＲＥＳｂｌａｓｔｉｃｉｄｉｎと適切な条件下で組合わせて所望の鋳型を増幅させることにより行われる。別々の反応での２生成物(ａｔｔＢ−ＧＦＰおよびＩＲＥＳ−ブラスチシジン)の初回増幅後、プライマー１および４と一緒に第１ラウンドの増幅からのＰＣＲ産物の両方を用いて第２ラウンドの増幅を実施することにより、融合生成物ａｔｔＢ−ＧＦＰ−ＩＲＥＳ−ブラスチシジンを増幅させる(図１３)。プライマー設計で相補的配列を用いて融合生成物を製造するこの技術は、対立遺伝子置換についてサッカロマイシス・セレヴィシエ(Saccharomyces cerevisiae)で使用される(Erdeniz et al(１９９７)Gen Res ７：１１７４−１１８３)。次いで、増幅産物を標準方法によりＰＣＲ反応混合物から精製し、ライゲーションすると、環状分子が形成される。
【０３０６】
Ｃ．リコンビナーゼを用いたＡＣｅｓへのＰＣＲ産物の導入
次いで、バクテリオファージラムダインテグラーゼＥ１７４Ｒを用いて環状ＰＣＲ産物をプラットホームＡＣｅｓへ導入する。導入は、環状化ＰＣＲ産物と一緒にラムダインテグラーゼ突然変異体Ｅ１７４Ｒをコード化するｐＣＸＬａｍＩｎｔＲ(配列番号１１２)ベクターを、プラットホームＡＣＥを含むセルラインへトランスフェクションすることによりインビボで実施され得る。
【０３０７】
Ｄ．マーカー遺伝子についての選択
マーカー遺伝子(この場合プロマイシン、ブラスチシジンまたはＧＦＰ)を用いて、正しい組込み事象を含む細胞についての集団を濃厚化する。第二の例における正しい組込み事象(図１４)によって、ａｔｔＢ−ＧＦＰ−ＩＲＥＳ−ブラスチシジンＰＣＲ産物に対し５'にプラットホームＡＣｅｓに存するプロモーターが並置されることにより、ＧＦＰおよびブラスチシジンの両方の転写を行わせ得る。濃厚化を薬剤選択により行なう場合、トランスフェクションの２４〜４８時間後ブラスチシジンをトランスフェクション細胞での培地に加える。コロニーがプレート上で形成されるまで選択を維持させる。濃厚化を細胞選別により行う場合、細胞をトランスフェクションの２〜４日後に選別することにより、蛍光マーカー(この場合ＧＦＰ)を発現する細胞を濃厚化する。
【０３０８】
Ｅ．クローンの分析
クローン分離株をＰＣＲ、ＦＩＳＨおよび配列分析により分析し、正しい組込み事象を確認する。
【０３０９】
実施例９
ヒトプラットホームＡＣｅｓ「ＡＣＥ０.１」の構築
Ａ．ターゲッティングベクターｐＰＡＣｒＤＮＡの構築。
ゲノムシステムズ(インサイト・ゲノミクス)は、プライマー５'ＨＥＴＳ(ＧＧＧＣＣＧＡＡＡＣＧＡＴＣＴＣＡＡＣＣＴＡＴＴ；配列番号７８)、および３'ＨＥＴＳ(ＣＧＣＡＧＣＧＧＣＣＣＴＣＣＴＡＣＴＣ；配列番号７９)と共に供給された。それらのプライマーは、ヒトｒＤＮＡ配列(ＧｅｎＢａｎｋ受託番号Ｕ１３３６９)のｎｔ９６８０−１０２１８と相同的な５３８ｂｐのＰＣＲ産物を増幅するのに使用され、またベクターｐＣＹＰＡＣ２(Ioannou et al.(１９９４)Nat.Genet.６(１)：８４−８９)で構築されたヒトゲノムＰ１ＡＣ(Ｐ１人工染色体)ライブラリーをスクリーニングするプローブとして使用された。ゲノムシステムズクローン番号１８７２０はこのスクリーンで分離されたもので、制限分析により評価されたところによるとヒトｒＤＮＡの３反復配列を含む。ＧＳクローン番号１８７２０をＰｍｅＩ、すなわちヒトｒＤＮＡ(４５Ｋｂｐ)の単一反復配列に特有な制限酵素で消化し、次いで再ライゲーションしてｐＰＡＣｒＤＮＡを形成させた(図１５)。ｐＰＡＣｒＤＮＡにおける挿入体を、制限消化物および５'および３'末端の配列分析により分析した。ｐＰＡＣｒＤＮＡ、ｒＤＮＡ配列はＧｅｎＢａｎｋ受託番号Ｕ１３３６９と相同性であり、それは(Ｇｅｎｂａｎｋ配列に対して)〜３３９８０にある一反復配列の端部から始まり、約３５１２０までの次の反復配列(ＧｅｎＢａｎｋファイルに列挙されたものからオフセットされた反復配列)の始まりまでの単一反復配列を含む約４５ｋＢの挿入体を含む。すなわち、ｒＤＮＡ配列は、ちょうど３３９８０(＋／−１０ｂｐ)から第１反復配列(４３Ｋｂｐ)の最後まで伸び、第２反復配列へ続いてｂｐ３５１２０(＋／−１０ｂｐ)に至る反復配列の１コピーにわたっている。
【０３１０】
Ｂ．トランスフェクションおよびＡＣｅｓ形成。
５０万のＭＳＵ１.１細胞(Morgan et al.、１９９１、Exp.Cell Res.、１１月；１９７(１)１２５−１３６；ミシガン州立大学のドクターJustin McCormickにより提供された)を、６ｃｍプレート１枚(全部で３プレート)につき平板培養し、一晩増殖させた。細胞は翌日には培養飽和密度の７０〜８０％であった。一プレートを、１５μｇのｐＰＡＣｒＤＮＡ(ＰｍｅＩで線状化した)および２μｇのｐＳＶ４０ａｔｔＰｓｅｎｓｅＰｕｒｏ(ＳｃａＩにより線状化した；実施例３参照)によりトランスフェクションした。残りのプレートを対照とし、２０μｇのｐＢＳ(ストラタジーン)または２０μｇのｐＳＶ４０ａｔｔＢｓｅｎｓｅＰｕｒｏ(ＳｃａＩで線状化した)によりトランスフェクションした。全３プレートを、ＣａＰＯ４プロトコルを用いてトランスフェクションした。
【０３１１】
Ｃ．プロマイシン耐性コロニーの選択
トランスフェクションの１日後、３０秒間１０％グリセリン含有ＰＢＳ培地を加えることにより、細胞に「グリセリンショック」を与えた。それに続いて、グリセリンを除去し、新しいＤＭＥＭにより置き換えた。トランスフェクションの４日後、選択培地を加えた。選択培地は１μｇ／ｍｌのプロマイシンを含む。トランスフェクションプレートを、２週間選択培地中５％ＣＯ２、３７℃で維持すると、その時点でｐＰＡＣｒＤＮＡおよびｐＳＶ４０ａｔｔＰｓｅｎｓｅＰｕｒｏによりトランスフェクションされたプレートではコロニーが見られた。選択後１７日目にコロニーをプレートから環状クローン化し、選択培地で分析用に拡大させた。２コロニーのみ(Ｍ２−２ｄおよびＭ２−２ｂ)、クローニング後選択培地で増殖することができた。選択培地中で３７日後、対照プレートからは、コロニーは全く見られなかった。
【０３１２】
Ｄ．クローンの分析
ＦＩＳＨ分析を候補クローンについて行うことにより、ＡＣｅｓ形成を検出した。候補クローンからの中期拡散物を、多重プローブの組み合わせでプローブした。一実験において、使用したプローブはビオチン標識ヒトアルフォイドＤＮＡ(ｐＰＡＣｒＤＮＡ)および陰性対照としてジゴキシゲニン標識マウス主要ＤＮＡ(ｐＦＫ１６１)であった。候補Ｍ２−２ｄをフローソーティングにより単細胞サブクローン化し、候補サブクローンをＦＩＳＨにより再分析した。Ｍ２−２ｄのサブクローン１Ｂ１は、プラットホームＡＣｅｓであると測定されたものであり、ヒトプラットホームＡＣＥ０.１とも称す。
【０３１３】
実施例１０
ヒトプラットホームＡＣＥ０.１へのマーカー遺伝子の部位特異的組込み
プロモーター非随伴送達方法を用いて、プロモーター非随伴ブラスチシジンマーカー遺伝子をヒトプラットホームＡＣｅｓへ極めて有効に送達した。プロモーター非随伴ブラスチシジンマーカー遺伝子を伴うヒトＡＣｅｓプラットホームがもたらす、ｐＬＩＴ３８ａｔｔＢＢＳＲｐｏｌｙＡ１０およびｐＣＸＬａｍＩｎｔＲによりコトランスフェクションされた集団から予測されたサイズのＰＣＲ産物を表すブラスチシジン耐性クローンは３８中２１であった(図８；配列番号１１１および１１２)。ｐＢｌｕｅＳｃｒｉｐｔによりトランスフェクションされた集団により生じたブラスチシジン耐性コロニーは０であった。
【０３１４】
Ａ．ｐＬＩＴ３８ａｔｔＢ−ＢＳＲｐｏｌｙＡ１０およびｐＬＩＴ３８ａｔｔＢ−ＢＳＲｐｏｌｙＡ２の構築
ベクターｐＬＩＴＭＵＳ３８(ニューイングランド・バイオラブズ；米国特許第５６９１１４０号；配列番号１１９)を、ＥｃｏＲＶで消化し、ａｔｔＢ部位(ａｔｔＢ１  ５'−ＴＧＡＡＧＣＣＴＧＣＴＴＴＴＴＴＡＴＡＣＴＡＡＣＴＴＧＡＧＣＧＡＡ−３'(配列番号８)；)ａｔｔＢ２  ５'−ＴＴＣＧＣＴＣＡＡＧＴＴＡＧＴＡＴＡＡＡＡＡＡＧＣＡＧＧＣＴＴＣＡ−３'；配列番号９)を形成する、２つのアニーリングしたオリゴマーにライゲーションした。このライゲーション反応により、ベクターｐＬＩＴ３８ａｔｔＢ(配列番号１２０)を得た。ブラスチシジン耐性遺伝子およびＳＶ４０ポリＡ部位を、鋳型としてｐＰＡＣ４(Frengen,E.et al.(２０００)Genomics ６８(２)、１１８−１２６；ＧｅｎＢａｎｋ受託番号Ｕ７５９９２)を用いてプライマー：５ＢＳＤ(ＡＣＣＡＴＧＡＡＡＡＣＡＴＴＴＡＡＣＡＴＴＴＣＴＣＡＡＣＡ；配列番号８０)およびＳＶ４０ｐｏｌｙＡ(ＴＴＴＡＴＴＴＧＴＧＡＡＡＴＴＴＧＴＧＡＴＧＣＴＡＴＴＧＣ；配列番号８１)によりＰＣＲ増幅した。次いで、ブラスチシジン−ＳＶ４０ポリＡ ＰＣＲ産物を、クレノウ処理後ＢａｍＨＩで消化した、ＢａｍＨＩ部位におけるｐＬＩＴ３８ａｔｔＢへライゲーションした。ｐＬＩＴ３８ａｔｔＢ−ＢＳＤｐｏｌｙＡ１０(配列番号１１１)およびｐＬＩＴ３８ａｔｔＢ−ＢＳＤｐｏｌｙＡ２(配列番号１２１)は、ベクターへライゲーションされたことによる２配向のＰＣＲ産物である。
【０３１５】
Ｂ．ヒトプラットホームＡＣＥ０.１を含むＭＳＵ１.１細胞のトランスフェクション
ヒトプラットホームＡＣＥ０.１(実施例９参照)を含むＭＳＵ１.１細胞を、拡大させ、１皿当たり１.３×１０６細胞で５枚の１０ｃｍ皿に平板培養した。細胞を３７℃および５％ＣＯ２で、１０％胎児ウシ血清を含むＤＭＥＭ中において一晩インキュベーションした。翌日、エキソゲン(ＥｘＧｅｎ)５００インビトロトランスフェクション試薬(ＭＢＩファーメンタス、カタログ番号Ｒ０５１１)を用いてトランスフェクションされた細胞(表３参照)のプレート１枚につき合計１０μｇのＤＮＡで、表３に示された各プラスミド５μｇにより細胞をトランスフェクションした。製造業者のプロトコルにしたがってトランスフェクションを行った。細胞をトランスフェクション後３７℃および５％ＣＯ２で、１０％胎児ウシ血清を含むＤＭＥＭ中においてインキュベーションした。
【表４】
2005503778.tif 000005
【０３１６】
Ｃ．ブラスチシジン耐性クローンの選択。
トランスフェクションの３日後、細胞を１枚の１０ｃｍ皿から２枚の１５ｃｍ皿へ分配した。１５ｃｍ皿において４日間１０％胎児ウシ血清を補ったＤＭＥＭ中で細胞を維持した。トランスフェクション後７日目に、ブラスチシジンを培地へ導入した。安定してトランスフェクションされた細胞を１μｇ／ｍｌブラスチシジンで選別した。各プレートで形成されたコロニーの数は、表３に列挙されている。これらのコロニーを環状クローン化し、ＰＣＲ分析用に拡大させた。ブラスチシジン含有培地で拡大させると、生存し得ないコロニーもあったため、対応するＰＣＲデータをもたない。
【０３１７】
Ｄ．ＰＣＲ分析
プレート３からの４０クローンのうち３８が環状クローニング後に成長した。ゲノムＤＮＡを、プロメガ・ウィザードゲノムｃＤＮＡ精製キットによりこれらのクローンから単離し、ＥｃｏＲＩで消化し、以下のプライマー：３ＢＳＰ−ＴＴＡＡＴＴＴＣＧＧＧ ＴＡＴＡＴＴＴＧＡＧＴＧＧＡ(配列番号８２)；５ＰａｃＳＶ４０−ＣＴＧＴＴＡＡＴＴＡＡＣＴＧＴＧＧＡＡ ＴＧＴＧＴＧＴＣＡＧＴＴＡＧＧＧＴＧ(配列番号７６)によるＰＣＲ反応における鋳型として使用した。ＰＣＲ条件は以下の通りであった。１００ｎｇのゲノムＤＮＡを、各プライマー１２.５ｐｍｏｌｅ、各ｄＮＴＰ２.５ｍＭ、および１×ハーキュラーゼ緩衝液(ストラタジーン)を含む５０μｌ反応物中０.５μｌのハーキュラーゼポリメラーゼ(ストラタジーン)により増幅した。以下の通りプログラム化されたパーキンエルマーサーマルサイクラーに反応物を置いた：１０分間９５℃で初回変性、１分間９４℃、１分間５３℃、１分間７２℃および１分間７２℃で３５サイクル、１０分間７２℃で最終伸長および４℃維持。ｐＬＩＴ３８ａｔｔＢ−ＢＳＲｐｏｌｙＡ１０がヒトプラットホームＡＣＥ０.１へ正確に組込まれている場合、上記プライマーによるＰＣＲ増幅からは、当然８０４ｂｐの生成物が生じる。プレート３からの３８クローンのうち２１は予測された８０４ｂｐサイズのＰＣＲ産物を生じさせた。
【０３１８】
実施例１１
プラットホームＡＣｅｓへの、プロモーター非随伴マーカー遺伝子および治療生成物をコード化する遺伝子を含むベクターの送達
ｐＳＶ４０ａｔｔＰｓｅｎｓｅＰＵＲＯ(図４)を含むプラットホームＡＣｅｓを実施例３および４に示した方法で構築した。
【０３１９】
Ａ．送達ベクターの構築
１．エリトロポエチンｃＤＮＡベクター、ｐ１８ＥＰＯｃＤＮＡ
以下のプライマー：ＥＰＯ５ＸＢＡ−ＴＡＴＣＴＡＧＡＡＴＧＧＧＧＧＴＧＣ ＡＣＧＡＡＴＧＴＣＣＴＧＣＣ(配列番号８３)；ＥＰＯ３ＢＳＩ−ＴＡＣＧＴＡＣＧＴＣＡＴＣ ＴＧＴＣＣＣＣＴＧＴＣＣＴＧＣＡＧＧＣ(配列番号８４)を用いて、エリトロポエチンｃＤＮＡをヒトｃＤＮＡライブラリー(E.Perkins et al.、１９９９、Proc.Natl.Acad.Sci.USA ９６(５)：２２０４−２２０９)からＰＣＲ増幅した。以下の条件を用いた２連続ラウンドのＰＣＲを通してｃＤＮＡを増幅した：９５℃で３分間熱変性；３０秒変性(９５℃)、３０秒のアニーリング(６０℃)、および１分伸長(７２℃)の３５サイクル；最終サイクルの後７２℃で７分伸長。ＢＩＯ−Ｘ−ＡＣＴ(ＢＩＯＬＩＮＥ)を用い、第１ラウンドの増幅において２.５ｎｇのヒトｃＤＮＡライブラリーからエリトロポエチンｃＤＮＡを増幅した。５μｌの第１増幅産物を、第２ラウンド増幅用鋳型として用いた。Ｔａｑポリメラーゼ(エッペンドルフ)による第２増幅から２つのＰＣＲ産物が生成し、各生成物をｐＣＲ２.１−Ｔｏｐｏ(インビトロゲン)へクローン化し、配列決定した。大きい方のＰＣＲ産物は、エリトロポエチンについて予測されたｃＤＮＡ配列を含んでいた。エリトロポエチンｃＤＮＡを、ｐＴｏｐｏＥＰＯからｐ１８ａｔｔＢＺｅｏ(６ＸＨＳ４)２ｅＧＦＰ(配列番号１１０)へ移動させた。ｐＴｏｐｏＥＰＯをＢｓｉＷＩおよびＸｂａＩで消化することにより、５８８ｂｐのＥＰＯ ｃＤＮＡを放出させた。ＢｓｒＧＩおよびＢｓｉＷＩは適合し得る末端を生成させる。ｅＧＦＰ遺伝子をＢｓｉＷＩおよびＸｂａＩでの消化によりｐ１８ａｔｔＢＺｅｏ(６ＸＨＳ４)２ｅＧＦＰから除去し、８.３Ｋｂｐベクターバックボーンをゲル精製し、５８８ｂｐのＥＰＯ ｃＤＮＡへライゲーションすることにより、ｐ１８ＥＰＯｃＤＮＡ(配列番号１２４)が生成した。
【０３２０】
２．ゲノムエリトロポエチンベクター、ｐ１８ｇｅｎＥＰＯ。
エリトロポエチンゲノムクローンを、以下のプライマーを用いてヒトゲノムライブラリー(クロンテック)からＰＣＲ増幅した：ＧＥＮＥＰＯ３ＢＳＩ−ＣＧＴＡＣＧＴＣＡＴＣＴＧＴＣＣＣＣＴ ＧＴＣＣＴＧＣＡ(配列番号８５)；ＧＥＮＥＰＯ５ＸＢＡ−ＴＣＴＡＧＡＡＴＧＧＧＧＧＴ ＧＣＡＣＧＧＴＧＡＧＴＡＣＴ(配列番号８６)。増幅についての反応条件は以下の通りであった：３分間(９５℃)熱変性；３０秒変性(９５℃)、３０秒アニーリング(６５℃から５０℃へと１サイクルにつき０.５℃ずつ低下させる)、および３分伸長(７２℃)の３０サイクル；３０秒変性(９５℃)、３０秒アニーリング(５０℃)、および３分伸長(７２℃)の１５サイクル；最終サイクルの後、７２℃で７分の伸長を行わせる。エリトロポエチンゲノムＰＣＲ産物(２１４７ｂｐ)をゲル精製し、ｐＣＲ２.１Ｔｏｐｏへクローン化してｐＴｏｐｏｇｅｎＥＰＯを生成させた。配列分析は、エリトロポエチンのゲノムクローンのイントロン配列における２ｂｐの置換および挿入を表した。ＸｂａＩによる部分消化およびＢｓｉＷＩによる完全消化により、ｐＴｏｐｏｇｅｎＥＰＯからエリトロポエチンゲノム挿入体を切除した。生じた２１５８ｂｐゲノムエリトロポエチンフラグメントを、ＸｂａＩおよびＢｓｒＧＩによるｐ１８ａｔｔＢＺｅｏ(６ＸＨＳ４)２ｅＧＦＰ(配列番号１１０)の消化から生じた８.３Ｋｂｐフラグメントへライゲーションすることにより、ｐ１８ｇｅｎＥＰＯ(配列番号１２５)を生成した。
【０３２１】
Ｂ．薬剤によるトランスフェクションおよび選択
エリトロポエチンゲノムおよびｃＤＮＡ遺伝子を、ｐＣＸＬａｍＩｎｔＲとのコトランスフェクションにより各々プラットホームＡＣｅｓＢ１９−３８(実施例３に示した方法で構築された)へ移動させた。また、ｐ１８ＥＰＯｃＤＮＡ(配列番号１２４)またはｐ１８ｇｅｎＥＰＯ(配列番号１２５)と一緒にｐＣＸＬａｍＩｎｔＲ(配列番号１２７)を用いて対照トランスフェクションを行った。リポフェクタミン・プラスを用いて、製造業者のプロトコルにしたがってＤＮＡをＢ１９−３８細胞へトランスフェクションした。トランスフェクションの４８時間後細胞を選択培地(ＤＭＥＭ、１０％ＦＢＳおよびゼオシン５００μｇ／ｍｌ含有)に導入し、１３日間選択培地で維持した。トランスフェクション後１５日目にクローンを分離した。
【０３２２】
Ｃ．クローンの分析(ＥＬＩＳＡ、ＰＣＲ)
１．ＥＬＩＳＡ検定法
モノクローナル抗ヒトエリトロポエチン抗体(Ｒ＆Ｄシステムズ、カタログ番号ＭＡＢ２８７)、ポリクローナル抗ヒトエリトロポエチン抗体(Ｒ＆Ｄシステムズ、カタログ番号ＡＢ−２８６−ＮＡ)およびアルカリ性ホスファターゼコンジュゲートヤギ抗ウサギＩｇＧ(重および軽鎖)(ジャクソン・イムノリサーチ・ラボラトリーズ、インコーポレイテッド、カタログ番号１１１−０５５−１４４)を用いたＥＬＩＳＡ検定法により、３０クローンをエリトロポエチン生産について試験した。陰性対照は、ｐ１８ａｔｔＢＺｅｏ(６ＸＨＳ４)(配列番号１１７；対照ベクター挿入無し)およびｐＣＸＬａｍＩｎｔＲ(配列番号１１２)によりトランスフェクションしたＢ１９−３８細胞から単離したゼオシン耐性クローンであった。予備ＥＬＩＳＡ検定法を以下の要領で実行した。１)ヌンク‐イムノプレート(マキシソーブ９６ウェル、カタログ番号４３９４５４)を、４℃で一晩モノクローナル抗ヒトエリトロポエチン抗体の１／２００希釈液(リン酸緩衝食塩水中、ｐＨ７.４(ＰＢＳ)、シグマ・カタログ番号Ｐ−３８１３)７５μｌによりコーティングした。２)翌日、０.１５％トウィーン２０(シグマ、カタログ番号Ｐ−９４１６)を含む３００μｌのＰＢＳでプレートを３回洗浄した。３)次いで、プレートを、３７℃で１時間ＰＢＳ中の１％ウシ血清アルブミン(ＢＳＡ；シグマ、カタログ番号Ａ−７０３０)３００μｌで遮断した。４)工程２)と同様に洗浄を反復した。５)次いで、クローン上清(９６ウェルプレートの１ウェルにつき１クローン当たり７５μｌ)をプレートに加え、３７℃で１時間インキュベーションした。ＥＬＩＳＡ検定法で分析したクローン上清を分析前の７日間細胞上で維持した。６)工程２の洗浄を反復した。７)７５μｌのポリクローナル抗ヒトエリトロポエチン抗体(希釈緩衝液(０.５％ＢＳＡ、０.０１％トウィーン２０、１×ＰＢＳ、ｐＨ７.４)中で１／２５０希釈率)を加え、３７℃で１時間インキュベーションした。８)工程２の洗浄を反復した。９)希釈緩衝液で１／４０００に希釈したヤギ抗ウサギコンジュゲートアルカリ性ホスファターゼ７５μｌを加え、３７℃で１時間インキュベーションした。１０)工程２の洗浄を反復した。１１)基質緩衝液(０.１エタノールアミン‐ＨＣｌ(シグマ、カタログ番号Ｅ−６１３３)、５ｍＭのＭｇＣｌ２(シグマ、カタログ番号Ｍ−２３９３)、ｐＨ９.８)で１ｍｇ／ｍｌに希釈した、７５μｌの基質、ｐ−ニトロフェニルリン酸(シグマＮ２６４０)を加えた。プレートを室温(２２℃)で１時間暗所でインキュベーションした。１２)ユニバーサル・マイクロプレート・リーダー(バイオ‐テック・インスツルメンツ、インコーポレイテッド、モデル番号ＥＬＸ８００ＵＶ)において４０５ｎｍ(レファレンス波長４９５ｎｍ)での吸光度を読み取った。希釈ヒト組換え体エリトロポエチン(ロシュ、カタログ番号１−１２０−１６６；希釈範囲１２５−７.８単位／ｍｌ)の示数からエリトロポエチン標準曲線を誘導した。この予備検定から、エリトロポエチンの最高発現性を示す２１クローンについて、２４時間クローン上にあった培地上清およびその１：３希釈物を用いて同様の方法で再度分析した。
【０３２３】
２．ＰＣＲ分析
最高の発現性を示した(最初の上記ＥＬＩＳＡ検定法により評価された)２１クローンおよびＢ１９−３８セルラインからゲノムＤＮＡを分離し、ＰＣＲ分析に用いた。製造業者のプロトコルにしたがってウィザードゲノムＤＮＡ精製キット(プロメガ)を用いてゲノムＤＮＡを分離した。ＭａｓｔｅｒＴａｑＤＮＡポリメラーゼ(エッペンドルフ)およびプライマーセット５ＰａｃＳＶ４０−ＣＴＧＴＴＡＡＴＴＡＡＣＴＧＴＧＧＡＡＴＧＴＧＴＧＴＣＡＧＴＴＡＧＧＧＴＧ(配列番号７６)およびアンチセンスＺｅｏ−ＴＧＡＡＣＡＧＧＧＴＣＡＣＧＴＣＧＴＣＣ(配列番号７７)により、鋳型としてのゲノムＤＮＡ１００ｎｇについて増幅を行った。増幅条件は以下の通りであった：３分間(９５℃)熱変性；３０秒変性(９５℃)、３０秒アニーリング(６５℃から５０℃へと１サイクルにつき０.５℃ずつ低下させる)、および１分伸長(７２℃)の３０サイクル；３０秒変性(９５℃)、３０秒アニーリング(５０℃)、および１分伸長(７２℃)の１５サイクル；最終サイクルの後、７２℃で１０分の伸長を行う。ＰＣＲ産物をゲル電気泳動によりサイズ分離した。検定した２１クローンのうち、１９が、部位特異的組込み事象について予測された通りの６５０ｂｐのＰＣＲ産物を生産した。１９クローンは全て、ｐ１９ＥＰＯｃＤＮＡ(５)またはｐ１８ｇｅｎＥＰＯ(１４)およびｐＣＸＬａｍＩｎｔＲ(すなわち突然変異体インテグラーゼ)による形質転換の結果であった。残りの２クローンは、両方ともｐ１８ｇｅｎＥＰＯ(配列番号１２５)およびｐＣＸＬａｍＩｎｔ(すなわち、野生型インテグラーゼ；配列番号１２７)による形質転換の結果であり、４００ｂｐのＰＣＲ産物を生産した。
【０３２４】
実施例１２
植物人工染色体形成の誘導に有用な形質転換ベクターの調製
植物人工染色体(ＰＡＣ)は、ターゲッティングＤＮＡ、例えばｒＤＮＡまたはラムダＤＮＡを含み得る核酸、例えばＤＮＡを植物細胞へ誘導することにより生成され得るもので、その細胞を成長させ、次いで得られた細胞の中から、核酸導入前の細胞に存在した染色体とは異なる構造をもつ染色体を含むものを同定する。ＰＡＣの構造は、例えば、セグメント化、反復領域含有およびヘテロクロマチン構造のように、染色体ＤＮＡの増幅を反映する。また、ＰＡＣにとっての前駆体である構造、例えば複数の動原体および／またはそのフラグメントを含む染色体を含む細胞を選択し、それらを培養および／または遺伝子操作することにより、最終的に細胞内にＰＡＣを生成させるも可能である。
【０３２５】
ＰＡＣを生成させる方法において、核酸は、様々な植物細胞へ導入され得る。核酸は、ターゲッティングＤＮＡおよび／または１つまたはそれ以上の選択可能マーカー(例えばこの場合、ビアロフォス(ｂａｒ)耐性をコード化するＤＮＡ)またはスコア可能なマーカー(例えばこの場合、ＧＦＰをコード化するＤＮＡ)をコード化する植物発現可能なＤＮＡを含み得る。ターゲッティングＤＮＡの例には、ニコチアナ・タバクム(N.tabacum)ｒＤＮＡ遺伝子間スペーサー配列(ＩＧＳ)およびアラビドプシス(Arabidopsis)ｒＤＮＡ、例えば１８Ｓ、５.８Ｓ、２６Ｓ ｒＤＮＡおよび／または遺伝子間スペーサー配列があるが、これらに限定はされない。ＤＮＡは、様々な方法を用いて、例えば、限定されるわけではないが、アグロバクテリウム(Agrobacterium)仲介方法、ＰＥＧ仲介ＤＮＡ取込みおよび例えばHartmann et al[(１９９８)Plant Molecular Biology ３６：７４１]による標準的手順を用いたエレクトロポレーション法により導入され得る。上記ＤＮＡが導入される細胞は選択条件下で培養され得、最初はそれを非選択的条件下で成長させ、次いで選択培地に移し得る。細胞またはプロトプラストを選択剤含有プレートで平板培養し、個々のカルスに成長させ得る。耐性カルスは、スコア可能なマーカー発現についてスコアされ得る。耐性培養物の分裂中期拡散物が製造され得、特異的プローブを用いたＦＩＳＨ分析により分裂中期染色体を調べることにより、染色体領域の増幅を検出し得る。機能的動原体または人工染色体中間体構造をもつ人工染色体、例えば、限定されるわけではないが、本明細書に記載されている二動原体染色体、前二動原体染色体、ミニ染色体、ヘテロクロマチン構造(例、ソーセージ染色体)、および安定した自己複製性人工染色体中間体を有する細胞を同定し、培養する。特に、自己複製性人工染色体を含む細胞を同定する。
【０３２６】
ＰＡＣ生成のため植物細胞へ導入されるＤＮＡは、ベクター形態を含め、いかなる形態でも取り得る。ＰＡＣ生成方法で使用されるベクターの一例は以下の要領で製造され得る。
【０３２７】
人工染色体を製造するため、ｐＡｇIIａおよびｐＡｇIIｂにより実例として示された、選択マーカー、ターゲッティング配列およびスコア可能なマーカーを含む植物形質転換ベクターを、様々なフラグメントを組合わせる当業界公知の手順を用いて構築した。これらのベクターは、基本ベクターとしてｐＡＧ１を用い、以下のＤＮＡフラグメントをｐＡｇ１へ挿入することにより製造され得る：ノパリンシンターゼ(ＮＯＳ)プロモーターフラグメントの制御下にあり、ＮＯＳターミネーターフラグメントが３'末端で隣接するβ‐グルコロニダーゼをコード化するＤＮＡ、マウスサテライトＤＮＡのフラグメントおよびニコチアナ・タバクム(N.tabacum)ｒＤＮＡ遺伝子間スペーサー配列(ＩＧＳ)。植物形質転換ベクターを構築するとき、ベクターｐＡＧ２も基本ベクターとして使用され得る。
【０３２８】
１．ｐＡＧ１の構築
ベクターｐＡｇ１(配列番号８９)は、ホスフィノトリシンに対する耐性を付与するｂａｒ遺伝子からのＤＮＡが加えられたベクターｐＣａｍｂｉａ１３００の修飾バージョンである、ｐＣａｍｎｉａ３３００(センター・フォー・ジ・アプリケーション・オブ・モレキュラー・バイオロジー・トゥ・インターナショナル・アグリカルチャー、すなわち、ＣＡＭＢＩＡ、キャンベラ、オーストラリア国；www.cambia.org)と称されるＣＡＭＢＩＡベクターの誘導体である。ｐＣａｍｂｉａ３３００のヌクレオチド配列は配列番号９０に提供されている。ｐＣａｍｂｉａ３３００はまた、ポリリンカー領域を含むｌａｃＺアルファ配列を含む。
【０３２９】
ｐＡｇ１は、２つの新規機能的ＤＮＡフラグメントをｐＣａｍｂｉａ３３００のポリリンカーへ挿入することにより構築された：すなわち、第１配列は、ａｔｔＢ部位およびＳＶ４０ポリＡシグナル配列が３'末端で隣接するプロモーター非随伴ゼオマイシン耐性エンコーディングＤＮＡを含み、第２の配列は、植物での選択用にハイグロマイシンへの耐性を付与するハイグロマイシン耐性遺伝子(ハイグロマイシンホスホトランスフェラーゼ)からのＤＮＡを含む。ゼオマイシン−ＳＶ４０ポリＡシグナル融合体は植物細胞で機能するとは予測されていないが、それは、ラムダａｔｔインテグラーゼにより触媒される部位特異的組換えによりａｔｔＢ部位へ機能的プロモーターを挿入することにより哺乳類細胞で活性化され得る。すなわち、ａｔｔＢ−ゼオマイシン配列を含ませると、ゼオマイシン耐性エンコーディングＤＮＡの活性化により哺乳類細胞での植物人工染色体の機能性が評価され得、植物形質転換のためにｐＡｇ１を用いた結果形成された植物人工染色体へ新たなＤＮＡ配列を挿入するためのａｔｔ部位が提供される。第２の機能的ＤＮＡフラグメントにより、ハイグロマイシンによる植物細胞の選択が可能となる。すなわち、ｐＡｇ１は、ホスフィノトリシンに対する耐性を付与するｂａｒ遺伝子からのＤＮＡ、ハイグロマイシン耐性遺伝子からのＤＮＡ、独立したカリフラワーモザイクウイルス(ＣａＭＶ)３５Ｓプロモーターの制御下にある両耐性エンコーディングＤＮＡ、およびａｔｔＢ−プロモーター非随伴ゼオマイシン耐性エンコーディングＤＮＡを含む。
【０３３０】
ｐＡｇ１は、ボーダー配列間に位置するＤＮＡによる植物細胞またはプロトプラストのアグロバクテリウム(Agrobacterium)仲介形質転換で使用されるアグロバクテリウム(Agrobacterium)右および左Ｔ−ＤＮＡボーダー配列を含むバイナリーベクターである。ｐＡＧ１はまた、エシェリキア・コリ(E.coli)での複製用にｐＢＲ３２２ Ｏｒｉを含む。以下の要領で、ＨｉｎｄIII／ＰｓｔＩ消化ｐ３３００ａｔｔＢＺｅｏをＨｉｎｄIII／ＰｓｔＩ消化ｐＢＳＣａＭＶ３５ＳＨｙｇとライゲーションすることにより、ｐＡｇ１を構築した。
【０３３１】
ａ．ｐ３３００ａｔｔＢＺｅｏの生成
プラスミドｐＣａｍｂｉａ３３００をＰｓｔＩ／Ｅｃｌ１３６IIで消化し、ゼオシン耐性遺伝子をコード化するＤＮＡおよびａｔｔＢインテグラーゼ認識配列を含む、ＰｓｔＩ／ＳｔｕＩ消化ｐＬＩＴａｔｔＢＺｅｏ(ｐＬＩＴａｔｔＢＺｅｏのヌクレオチド配列は配列番号９１に提供されている)とライゲーションすることにより、ａｔｔＢ部位、ＳＶ４０ポリＡシグナルが３'末端で隣接するプロモーター非随伴ゼオマイシン耐性エンコーディングＤＮＡ、および再構築されたＰｓｔＩ部位を含むｐ３３００ａｔｔＢＺｅｏを生成した。
【０３３２】
ｂ．ｐＢＳＣａＭＶ３５ＳＨｙｇの生成
ＣａＭＶ ３５ＳプロモーターおよびＣａＭＶ ３５ＳｐｏｌｙＡシグナル配列が側面に隣接するハイグロマイシンホスホトランスフェラーゼをコード化するＤＮＡを含むＤＮＡフラグメントを、プラスミドｐＣａｍｂｉａ１３０２(ＧｅｎＢａｎｋ受託番号ＡＦ２３４２９８および配列番号９２)のＰＣＲ増幅により得た。増幅反応で使用したプライマーは以下の通りであった：
ＣａＭＶ３５ＳｐｏｌｙＡ：
５'−ＣＴＧＡＡＴＴＡＡＣＧＣＣＧＡＡＴＴＡＡＴＴＣＧＧＧＧＧＡＴＣＴＧ−３'(配列番号９３)
ＣａＭＶ３５Ｓｐｒ：
５'−ＣＴＡＧＡＧＣＡＧＣＴＴＧＣＣＡＡＣＡＴＧＧＴＧＧＡＧＣＡ−３'(配列番号９４)。
２１００ｂｐのＰＣＲフラグメントを、ＥｃｏＲＶ消化ｐＢｌｕｅｓｃｒｉｐｔIIＳＫ＋(ストラタジーン、ラジョラ、カリフォルニア、米国)とライゲーションすることにより、ｐＢＳＣａＭＶ３５ＳＨｙｇを生成した。
【０３３３】
ｃ．ｐＡｇ１の生成
ｐＡｇ１を生成するため、ｐＢＳＣａＭＶ３５ＳＨｙｇをＨｉｎｄIII／ＰｓｔＩで消化し、ＨｉｎｄIII／ＰｓｔＩ消化ｐ３３００ａｔｔＢＺｅｏとライゲーションした。すなわち、ｐＡｇ１は、別々のＣａＭＶ３５Ｓプロモーターの制御下ホスフィノトリシンおよびハイグロマイシンに対する耐性を付与するＤＮＡを伴うｐＣａｍｂｉａ３３００バックボーン、ａｔｔＢプロモーター非随伴ゼオマイシン耐性エンコーディングＤＮＡ組換えカセットおよび追加マーカー、例えばＧＦＰをコード化するＤＮＡを付加するのに特有な部位を含む。ａｔｔＢ部位は、本明細書に記載されている通り、ＰＡＣの製造において、ｐＡＧ１ベクターまたはその誘導体を用いた結果形成されるＰＡＣを含む植物人工染色体へ新たなＤＮＡ配列を付加するのに使用され得る。ａｔｔＢ部位は、相同性ａｔｔ部位を含むＤＮＡのリコンビナーゼ仲介による挿入に好都合な部位を提供する。
【０３３４】
２．ｐＡＧ２
ベクターｐＡｇ２(配列番号９５)は、ＮＯＳプロモーターの制御下、ＮＯＳポリＡシグナルが３'末端で隣接した、緑色蛍光タンパク質(ＧＦＰ)をコード化するＤＮＡをｐＡｇ１へ付加することにより形成されるベクターｐＡｇ１の誘導体である。ｐＡｇ２は以下の要領で構築された。ＮＯＳプロモーターを含むＤＮＡフラグメントを、ｐＧＥＭ−Ｔ−ＮＯＳ、またはクローニングベクターｐＧＥＭ−Ｔ−Ｅａｓｙ(プロメガ・バイオテック、マディソン、ウィスコンシン、米国)にＮＯＳプロモーターを含むｐＧＥＭＥａｓｙＮＯＳ(配列番号９６)のＸｂａＩ／ＮｃｏＩ消化により得、これをＧＦＰをコード化するＤＮＡを含む(ＣａＭＶ３５Ｓプロモーターは非随伴)ｐＣａｍｂｉａ１３０２のＸｂａＩ／ＮｃｏＩフラグメントにライゲーションすることにより、ＮＯＳプロモーターと機能し得るように結合したＧＦＰエンコーディングＤＮＡを含むｐ１３０２ＮＯＳ(配列番号９７)を生成した。プラスミドｐ１３０２ＮＯＳをＳｍａＩ／ＢｓｉＷＩで消化して、ＮＯＳプロモーターおよびＧＦＰエンコーディングＤＮＡを含むフラグメントを得た。フラグメントをＰｍｅＩ／ＢｓｉＷＩ消化ｐＡｇ１とライゲーションすることによりｐＡｇ２を生成した。すなわち、ｐＡｇ２は、ホスフィノトリシンに対する耐性を付与するｂａｒ遺伝子からのＤＮＡ、ハイグロマイシン耐性を付与するＤＮＡ、カリフラワーモザイクウイルス３５Ｓプロモーターの制御下にある両耐性エンコーディングＤＮＡ、カナマイシン耐性をコード化するＤＮＡ、ＮＯＳプロモーターの制御下にあるＧＦＰ遺伝子およびａｔｔＢゼオマイシン耐性エンコーディングＤＮＡを含む。当業者であれば、ｐＡｇ１およびｐＡｇ２誘導体を生成するのに他のフラグメントも使用され得ること、および当業界公知の方法を用いて他の異種ＤＮＡもｐＡｇ１およびｐＡｇ２誘導体に組込まれ得ることは容易に理解できるはずである。
【０３３５】
３．ｐＡｇIIａおよびｐＡｇIIｂ形質転換ベクター
以下のＤＮＡフラグメントをｐＡｇ１へ挿入することにより、ベクターｐＡｇIIａおよびｐＡｇIIｂを構築した：β‐グルコロニダーゼをコード化するＤＮＡ、ノパリンシンターゼターミネーターフラグメント、ノパリンシンターゼ(ＮＯＳ)プロモーターフラグメント、マウスサテライトＤＮＡのフラグメントおよびニコチアナ・タバクム(N.tabacum)ｒＤＮＡ遺伝子間スペーサー配列(ＩＧＳ)。ｐＡｇIIａおよびｐＡｇIIｂの構築は以下の通りであった。
【０３３６】
ニコチアナ・タバクム(N.tabacum)ｒＤＮＡ遺伝子間スペーサー(ＩＧＳ)配列(配列番号９８；またＧｅｎＢａｎｋ受託番号ＹＯ８４２２参照、またBorysyuk et al.(２０００)Nature Biotechnology １８：１３０３−１３０６；Borysyuk et al.(１９９７)Plant Mol.Biol.３５：６５５−６６０、米国特許第６１０００９２および６３５５８６０号参照)を、タバコゲノムＤＮＡのＰＣＲ増幅により得た。ＩＧＳは、タバコｒＤＮＡ遺伝子とのその相同性によりターゲッティング配列として使用され得る。この配列はまた、植物における増幅プロモーター配列である。標準ＰＣＲ条件(例、米国ウィスコンシン、マディソンのプロメガ・バイオテックにより記載)を用いて、このフラグメントをタバコゲノムＤＮＡから以下に示すプライマーにより増幅した：
ＮＴＩＧＳ−ＦＩ
５'−ＧＴＧ ＣＴＡ ＧＣＣ ＡＡＴ ＧＴＴ ＴＡＡ ＣＡＡ ＧＡＴ Ｇ−３'(配列番号９９)および
ＮＴＩＧＳ−ＲＩ
５'−ＡＴＧ ＴＣＴ ＴＡＡ ＡＡＡ ＡＡＡ ＡＡＡ ＣＣＣ ＡＡＧ ＴＧＡ Ｃ−３'(配列番号１００)。
増幅後、フラグメントをｐＧＥＭ−Ｔ Ｅａｓｙへクローン化することにより、ｐＩＧＳ−Ｉを得た。マウスサテライトＤＮＡのフラグメント(Ｍｓａｔ１フラグメント；ＧｅｎＢａｎｋ受託番号Ｖ００８４６、および配列番号１０１)を、以下のプライマーを用いてｐＳＡＴ−１からのＰＣＲにより増幅した：
ＭＳＡＴ−Ｆ１
５'−ＡＡＴ ＡＣＣ ＧＣＧ ＧＡＡ ＧＣＴ ＴＧＡ ＣＣＴ ＧＧＡ ＡＴＡ ＴＣＧ Ｃ−３'(配列番号１０２)および
ＭＳＡＴ−Ｒｉ
５'−ＡＴＡ ＡＣＣ ＧＣＧ ＧＡＧ ＴＣＣ ＴＴＣ ＡＧＴ ＧＴＧ ＣＡ Ｔ−３'(配列番号１０３)。
この増幅により、ＰＣＲフラグメントの５'末端におけるＳａｃIIおよびＨｉｎｄIII部位および３'末端におけるＳａｃII部位が付加された。次いで、このフラグメントをｐＩＧＳ−１におけるＳａｃII部位へクローン化してｐＭＩＧＳ−１を得、真核生物動原体特異的ＤＮＡおよびＦＩＳＨによる検出に好都合なＤＮＡ配列が提供された。
【０３３７】
次いで、ＮＯＳプロモーター：ＧＵＳ：ＮＯＳターミネーター融合体を含む機能的マーカー遺伝子を、ＮＯＳプロモーター(ＧｅｎＢａｎｋ受託番号Ｕ０９３６５；配列番号１０４)、エシェリキア・コリ(E.coli)β−グルクロニダーゼコーディング配列(ＧＵＳ遺伝子から；ＧｅｎＢａｎｋ受託番号Ｓ６９４１４、および配列番号１０５)、およびノパリンシンターゼターミネーター配列(ＧｅｎＢａｎｋ受託番号Ｕ０９３６５；配列番号１０７)を含めて構築した。ｐＧＥＭ−Ｔ−ＮＯＳにおけるＮＯＳプロモーターを、ＮｏｔＩ／ＳｐｅＩを用いてｐＢｌｕｅＳｃｒｉｐｔ(ストラタジーン、ラジョラ、カリフォルニア、米国)におけるプロモーター非随伴ＧＵＳ遺伝子に付加することにより、ＧＵＳ遺伝子に対して反対配向でＮＯＳプロモーターを有するｐＮＧＮ−１を形成させた。
【０３３８】
ｐＭＩＧＳ−１をＮｏｔＩ／ＳｐｅＩで消化することによりマウス主要サテライトＤＮＡおよびタバコＩＧＳを含むフラグメントを得、次いでこれをＮｏｔＩ消化ｐＮＧＮ−１へ付加することによりｐＮＧＮ−２を得た。次いで、ＮＯＳプロモーターを再配向させて機能的ＧＵＳ遺伝子を得、ＳｐｅＩによる消化および再ライゲーションによりｐＮＧＮ−３を得た。次いで、プラスミドｐＮＧＮ−３をＨｉｎｄIIIで消化し、β‐グルクロニダーゼコーディング配列およびｒＤＮＡ遺伝子間スペーサーをＭｓａｔ配列と一緒に含むＨｉｎｄIIIフラグメントをｐＡＧ−１へ加えることにより、Ｔ−ＤＮＡ領域内で、ｐＡｇ１の右Ｔ−ＤＮＡボーダー付近に位置する特有なＨｉｎｄIII部位を用いてｐＡｇIIａ(配列番号１０８)を形成させた。
【０３３９】
また、ｐＡＧIIａで観察されるのとは反対配向で挿入されたＨｉｎｄIIIフラグメント(配列番号１０８)を含む、ｐＡｇIIｂと称される別のプラスミドベクターを採取した。すなわち、ｐＡｇIIａおよびｐＡｇIIｂは、マウス主要サテライト配列、ＧＵＳ ＤＮＡ配列およびＩＧＳ配列を含むＨｉｎｄIIIフラグメントの配向のみが異なる。ｐＡｇIIａのヌクレオチド配列は配列番号１０９に提供されている。
【０３４０】
修飾は当業者により容易に理解されるものであるため、この発明は、添付の請求の範囲でのみ制限されるものとする。
【図面の簡単な説明】
【０３４１】
【図１】図１は、米国特許第６０２５１５５および６０７７６９７号および国際ＰＣＴ出願第ＷＯ９７／４０１８３号に詳述された方法を用いて製造された一例としてのＡＣｅｓ人工染色体の製法を描いた図である。
【図２】図２は、ベクターｐＷＥ１５(ジェンバンク受託番号Ｘ６５２７９、配列番号３１)から誘導されたターゲッティングベクターである、ｐＷＥＰｕｒｏ９Ｋの地図を提供する。
【図３】図３は、単一組換え部位、例えばｌｏｘＰ部位またはａｔｔＰまたはａｔｔＢ部位を伴うＡＣｅｓプラットホーム染色体の構築を示す。
【図４】図４は、プラスミドｐＳＶ４０−１９３ａｔｔＰｓｅｎｓｅＰｕｒの地図を提供する。
【図５】図５は、多重組換え組込み部位、例えばａｔｔＰ部位を伴う染色体プラットホームの形成方法を示す。
【図６】図６は、ａｔｔＰ、ａｔｔＢ、ａｔｔＬおよびａｔｔＲのコア領域の配列を示す。
【図７】図７は、ａｔｔＰ部位を含む人工染色体によるマーカー遺伝子、ＤｓＲｅｄおよびａｔｔＢ部位をコード化するベクターの挿入的組換えを示す。
【図８】図８は、ラムダインテグラーゼ(Ｅ１７４Ｒ)−エンコーディング核酸を含む、プラスミドｐＣＸＬａｍＩｎｔＲの地図を提供する。
【図９】図９は、プラットホーム技術を図式的に要約したものである。
【図１０】図１０は、プラスミドｐ１８ａｔｔＢＺＥＯ−５'６ＸＨＳ４ｅＧＦＰについてのベクター地図を提供する。
【図１１】図１１は、プラスミドｐ１８ａｔｔＢＺＥＯ−３'６ＸＨＳ４ｅＧＦＰについてのベクター地図を提供する。
【図１２】図１２は、プラスミドｐ１８ａｔｔＢＺＥＯ−(６ＸＨＳ４)２ｅＧＦＰについてのベクター地図を提供する。
【図１３】図１３は、実施例８に示された部位特異的組換えによるＰＣＲ産物の組込みを示す。
【図１４】図１４は、実施例８に示された部位特異的組換えによるＰＣＲ産物の組込みを示す。
【図１５】図１５は、実施例９.Ａ.に示されたプラスミドｐＰＡＣｒＤＮＡについてのベクター地図を提供する。
【図１】
2005503778.tif 000007
【図２】
2005503778.tif 000008
【図３】
2005503778.tif 000009
【図４】
2005503778.tif 000010
【図５】
2005503778.tif 000011
【図６】
2005503778.tif 000012
【図７】
2005503778.tif 000013
【図８】
2005503778.tif 000014
【図９】
2005503778.tif 000015
【図１０】
2005503778.tif 000016
【図１１】
2005503778.tif 000017
【図１２】
2005503778.tif 000018
【図１３】
2005503778.tif 000019
【図１４】
2005503778.tif 000020
【図１５】
2005503778.tif 000021
【国際公開パンフレット】
2005503778.tif 000022
2005503778.tif 000023
2005503778.tif 000024
2005503778.tif 000025
2005503778.tif 000026
2005503778.tif 000027
2005503778.tif 000028
2005503778.tif 000029
2005503778.tif 000030
2005503778.tif 000031
2005503778.tif 000032
2005503778.tif 000033
2005503778.tif 000034
2005503778.tif 000035
2005503778.tif 000036
2005503778.tif 000037
2005503778.tif 000038
2005503778.tif 000039
2005503778.tif 000040
2005503778.tif 000041
2005503778.tif 000042
2005503778.tif 000043
2005503778.tif 000044
2005503778.tif 000045
2005503778.tif 000046
2005503778.tif 000047
2005503778.tif 000048
2005503778.tif 000049
2005503778.tif 000050
2005503778.tif 000051
2005503778.tif 000052
2005503778.tif 000053
2005503778.tif 000054
2005503778.tif 000055
2005503778.tif 000056
2005503778.tif 000057
2005503778.tif 000058
2005503778.tif 000059
2005503778.tif 000060
2005503778.tif 000061
2005503778.tif 000062
2005503778.tif 000063
2005503778.tif 000064
2005503778.tif 000065
2005503778.tif 000066
2005503778.tif 000067
2005503778.tif 000068
2005503778.tif 000069
2005503778.tif 000070
2005503778.tif 000071
2005503778.tif 000072
2005503778.tif 000073
2005503778.tif 000074
2005503778.tif 000075
2005503778.tif 000076
2005503778.tif 000077
2005503778.tif 000078
2005503778.tif 000079
2005503778.tif 000080
2005503778.tif 000081
2005503778.tif 000082
2005503778.tif 000083
2005503778.tif 000084
2005503778.tif 000085
2005503778.tif 000086
2005503778.tif 000087
2005503778.tif 000088
2005503778.tif 000089
2005503778.tif 000090
2005503778.tif 000091
2005503778.tif 000092
2005503778.tif 000093
2005503778.tif 000094
2005503778.tif 000095
2005503778.tif 000096
2005503778.tif 000097
2005503778.tif 000098
2005503778.tif 000099
2005503778.tif 000100
2005503778.tif 000101
2005503778.tif 000102
2005503778.tif 000103
2005503778.tif 000104
2005503778.tif 000105
2005503778.tif 000106
2005503778.tif 000107
2005503778.tif 000108
2005503778.tif 000109
2005503778.tif 000110
2005503778.tif 000111
2005503778.tif 000112
2005503778.tif 000113
2005503778.tif 000114
2005503778.tif 000115
2005503778.tif 000116
2005503778.tif 000117
2005503778.tif 000118
2005503778.tif 000119
2005503778.tif 000120
2005503778.tif 000121
2005503778.tif 000122
2005503778.tif 000123
2005503778.tif 000124
2005503778.tif 000125
2005503778.tif 000126
2005503778.tif 000127
2005503778.tif 000128
2005503778.tif 000129
2005503778.tif 000130
2005503778.tif 000131
2005503778.tif 000132
2005503778.tif 000133
2005503778.tif 000134
2005503778.tif 000135
2005503778.tif 000136
2005503778.tif 000137
2005503778.tif 000138
2005503778.tif 000139
2005503778.tif 000140
2005503778.tif 000141
2005503778.tif 000142
2005503778.tif 000143
2005503778.tif 000144
2005503778.tif 000145
2005503778.tif 000146
2005503778.tif 000147
2005503778.tif 000148
2005503778.tif 000149
2005503778.tif 000150
2005503778.tif 000151
2005503778.tif 000152
2005503778.tif 000153
2005503778.tif 000154
2005503778.tif 000155
2005503778.tif 000156
2005503778.tif 000157
2005503778.tif 000158
2005503778.tif 000159
2005503778.tif 000160
2005503778.tif 000161
2005503778.tif 000162
2005503778.tif 000163
2005503778.tif 000164
2005503778.tif 000165
2005503778.tif 000166
2005503778.tif 000167
2005503778.tif 000168
2005503778.tif 000169
2005503778.tif 000170
2005503778.tif 000171
2005503778.tif 000172
2005503778.tif 000173
2005503778.tif 000174
2005503778.tif 000175
2005503778.tif 000176
2005503778.tif 000177
2005503778.tif 000178
2005503778.tif 000179
2005503778.tif 000180
2005503778.tif 000181
2005503778.tif 000182
2005503778.tif 000183
2005503778.tif 000184
2005503778.tif 000185
2005503778.tif 000186
2005503778.tif 000187
2005503778.tif 000188
2005503778.tif 000189
2005503778.tif 000190
2005503778.tif 000191
2005503778.tif 000192
2005503778.tif 000193
2005503778.tif 000194
2005503778.tif 000195
2005503778.tif 000196
2005503778.tif 000197
2005503778.tif 000198
2005503778.tif 000199
2005503778.tif 000200
2005503778.tif 000201
2005503778.tif 000202
2005503778.tif 000203
2005503778.tif 000204
2005503778.tif 000205
2005503778.tif 000206
2005503778.tif 000207
2005503778.tif 000208
2005503778.tif 000209
2005503778.tif 000210
2005503778.tif 000211
2005503778.tif 000212
2005503778.tif 000213
2005503778.tif 000214
2005503778.tif 000215
2005503778.tif 000216
2005503778.tif 000217
2005503778.tif 000218
2005503778.tif 000219
2005503778.tif 000220
2005503778.tif 000221
2005503778.tif 000222
2005503778.tif 000223
2005503778.tif 000224
2005503778.tif 000225
2005503778.tif 000226
2005503778.tif 000227
2005503778.tif 000228
2005503778.tif 000229
2005503778.tif 000230
2005503778.tif 000231
2005503778.tif 000232
2005503778.tif 000233
2005503778.tif 000234
2005503778.tif 000235
2005503778.tif 000236
2005503778.tif 000237
2005503778.tif 000238
2005503778.tif 000239
2005503778.tif 000240
2005503778.tif 000241
2005503778.tif 000242
2005503778.tif 000243
2005503778.tif 000244
2005503778.tif 000245
2005503778.tif 000246
2005503778.tif 000247
2005503778.tif 000248
2005503778.tif 000249
2005503778.tif 000250
2005503778.tif 000251
2005503778.tif 000252
2005503778.tif 000253
2005503778.tif 000254
2005503778.tif 000255
2005503778.tif 000256
2005503778.tif 000257
2005503778.tif 000258
2005503778.tif 000259
2005503778.tif 000260
2005503778.tif 000261
2005503778.tif 000262
2005503778.tif 000263
2005503778.tif 000264
2005503778.tif 000265
2005503778.tif 000266
2005503778.tif 000267
2005503778.tif 000268
2005503778.tif 000269
2005503778.tif 000270
2005503778.tif 000271
2005503778.tif 000272
2005503778.tif 000273
2005503778.tif 000274
2005503778.tif 000275
2005503778.tif 000276
2005503778.tif 000277
2005503778.tif 000278
2005503778.tif 000279
2005503778.tif 000280
2005503778.tif 000281
2005503778.tif 000282
2005503778.tif 000283
2005503778.tif 000284
2005503778.tif 000285
2005503778.tif 000286
2005503778.tif 000287
2005503778.tif 000288
2005503778.tif 000289
2005503778.tif 000290
2005503778.tif 000291
2005503778.tif 000292
2005503778.tif 000293
【国際公開パンフレット（コレクトバージョン）】
2005503778.tif 000294
2005503778.tif 000295
【国際公開パンフレット（コレクトバージョン）】
2005503778.tif 000296
2005503778.tif 000297
2005503778.tif 000298
2005503778.tif 000299
2005503778.tif 000300
2005503778.tif 000301
2005503778.tif 000302
2005503778.tif 000303
2005503778.tif 000304
2005503778.tif 000305
2005503778.tif 000306
2005503778.tif 000307
2005503778.tif 000308
2005503778.tif 000309
2005503778.tif 000310
2005503778.tif 000311
2005503778.tif 000312
2005503778.tif 000313
2005503778.tif 000314
2005503778.tif 000315
2005503778.tif 000316
2005503778.tif 000317
2005503778.tif 000318
2005503778.tif 000319
2005503778.tif 000320
2005503778.tif 000321
2005503778.tif 000322
2005503778.tif 000323
2005503778.tif 000324
2005503778.tif 000325
2005503778.tif 000326
2005503778.tif 000327
2005503778.tif 000328
2005503778.tif 000329
2005503778.tif 000330
2005503778.tif 000331
2005503778.tif 000332
2005503778.tif 000333
2005503778.tif 000334
2005503778.tif 000335
2005503778.tif 000336
2005503778.tif 000337
2005503778.tif 000338
2005503778.tif 000339
2005503778.tif 000340
2005503778.tif 000341
2005503778.tif 000342
2005503778.tif 000343
2005503778.tif 000344
2005503778.tif 000345
2005503778.tif 000346
2005503778.tif 000347
2005503778.tif 000348
2005503778.tif 000349
2005503778.tif 000350
2005503778.tif 000351
2005503778.tif 000352
2005503778.tif 000353
2005503778.tif 000354
2005503778.tif 000355
2005503778.tif 000356
2005503778.tif 000357
2005503778.tif 000358
2005503778.tif 000359
2005503778.tif 000360
2005503778.tif 000361
2005503778.tif 000362
2005503778.tif 000363
2005503778.tif 000364
2005503778.tif 000365
2005503778.tif 000366
2005503778.tif 000367
2005503778.tif 000368
2005503778.tif 000369
2005503778.tif 000370
2005503778.tif 000371
2005503778.tif 000372
2005503778.tif 000373
2005503778.tif 000374
2005503778.tif 000375
2005503778.tif 000376
2005503778.tif 000377
2005503778.tif 000378
2005503778.tif 000379
2005503778.tif 000380
2005503778.tif 000381
2005503778.tif 000382
2005503778.tif 000383
2005503778.tif 000384
2005503778.tif 000385
2005503778.tif 000386
2005503778.tif 000387
2005503778.tif 000388
2005503778.tif 000389
2005503778.tif 000390
2005503778.tif 000391
2005503778.tif 000392
2005503778.tif 000393
2005503778.tif 000394
2005503778.tif 000395
2005503778.tif 000396
2005503778.tif 000397
2005503778.tif 000398
2005503778.tif 000399
2005503778.tif 000400
2005503778.tif 000401
2005503778.tif 000402
2005503778.tif 000403
2005503778.tif 000404
2005503778.tif 000405
2005503778.tif 000406
2005503778.tif 000407
2005503778.tif 000408
2005503778.tif 000409
2005503778.tif 000410
2005503778.tif 000411
2005503778.tif 000412
2005503778.tif 000413
2005503778.tif 000414
2005503778.tif 000415
2005503778.tif 000416
2005503778.tif 000417
2005503778.tif 000418
2005503778.tif 000419
2005503778.tif 000420
2005503778.tif 000421
2005503778.tif 000422
2005503778.tif 000423
2005503778.tif 000424
2005503778.tif 000425
2005503778.tif 000426
2005503778.tif 000427
2005503778.tif 000428
2005503778.tif 000429
2005503778.tif 000430
2005503778.tif 000431
2005503778.tif 000432
2005503778.tif 000433
2005503778.tif 000434
2005503778.tif 000435
2005503778.tif 000436
2005503778.tif 000437
2005503778.tif 000438
2005503778.tif 000439
2005503778.tif 000440
2005503778.tif 000441
2005503778.tif 000442
2005503778.tif 000443
2005503778.tif 000444
2005503778.tif 000445
2005503778.tif 000446
2005503778.tif 000447
2005503778.tif 000448
2005503778.tif 000449
2005503778.tif 000450
2005503778.tif 000451
2005503778.tif 000452
2005503778.tif 000453
2005503778.tif 000454
2005503778.tif 000455
2005503778.tif 000456
2005503778.tif 000457
2005503778.tif 000458
2005503778.tif 000459
2005503778.tif 000460
2005503778.tif 000461
2005503778.tif 000462
2005503778.tif 000463
2005503778.tif 000464
2005503778.tif 000465
2005503778.tif 000466
2005503778.tif 000467
2005503778.tif 000468
2005503778.tif 000469
2005503778.tif 000470
2005503778.tif 000471
2005503778.tif 000472
2005503778.tif 000473
2005503778.tif 000474
2005503778.tif 000475
2005503778.tif 000476
2005503778.tif 000477
2005503778.tif 000478
2005503778.tif 000479
2005503778.tif 000480
2005503778.tif 000481
2005503778.tif 000482
2005503778.tif 000483
2005503778.tif 000484
2005503778.tif 000485
2005503778.tif 000486
2005503778.tif 000487
2005503778.tif 000488
2005503778.tif 000489
2005503778.tif 000490
2005503778.tif 000491
2005503778.tif 000492
2005503778.tif 000493
2005503778.tif 000494
2005503778.tif 000495
2005503778.tif 000496
2005503778.tif 000497
2005503778.tif 000498
2005503778.tif 000499
2005503778.tif 000500
2005503778.tif 000501
2005503778.tif 000502
2005503778.tif 000503
2005503778.tif 000504
2005503778.tif 000505
2005503778.tif 000506
2005503778.tif 000507
2005503778.tif 000508
2005503778.tif 000509
2005503778.tif 000510
2005503778.tif 000511
2005503778.tif 000512
2005503778.tif 000513
2005503778.tif 000514
2005503778.tif 000515
2005503778.tif 000516
2005503778.tif 000517
2005503778.tif 000518
2005503778.tif 000519
2005503778.tif 000520
2005503778.tif 000521
2005503778.tif 000522
2005503778.tif 000523
2005503778.tif 000524
2005503778.tif 000525
2005503778.tif 000526
2005503778.tif 000527
2005503778.tif 000528
2005503778.tif 000529
2005503778.tif 000530
2005503778.tif 000531
2005503778.tif 000532
2005503778.tif 000533
2005503778.tif 000534
2005503778.tif 000535
2005503778.tif 000536
2005503778.tif 000537
2005503778.tif 000538
2005503778.tif 000539
2005503778.tif 000540
2005503778.tif 000541
2005503778.tif 000542
2005503778.tif 000543
2005503778.tif 000544
2005503778.tif 000545
2005503778.tif 000546
2005503778.tif 000547
2005503778.tif 000548
2005503778.tif 000549
2005503778.tif 000550
2005503778.tif 000551
2005503778.tif 000552
2005503778.tif 000553
2005503778.tif 000554
2005503778.tif 000555
2005503778.tif 000556
2005503778.tif 000557
2005503778.tif 000558
2005503778.tif 000559
2005503778.tif 000560
2005503778.tif 000561
2005503778.tif 000562
2005503778.tif 000563
2005503778.tif 000564
2005503778.tif 000565
2005503778.tif 000566
2005503778.tif 000567
2005503778.tif 000568
【国際公開パンフレット（コレクトバージョン）】
2005503778.tif 000569
2005503778.tif 000570
【国際調査報告】
2005503778.tif 000571
2005503778.tif 000572
2005503778.tif 000573
2005503778.tif 000574